(57)【要約】【課題】ユーザーの手を煩わせることなく、携帯電子機器を常時適切な利用可能状態を維持できるようにして、携帯電子機器の使い勝手を向上させる。【解決手段】クレードル１は、モバイル機器４が載置されるとこれを検出し、サーバ装置２に通知する。サーバ装置２はクレードル１からモバイル機器４の載置が通知されると、モバイル機器４に提供すべきデータを準備し、これをクレードル１を介してモバイル機器に送信し、これをモバイル機器４に格納して、モバイル機器４において利用できるようにする。クレードル１を介してのモバイル機器４とサーバ装置２との間のデータの送受信処理と並行して、クレードル１はモバイル機器４のバッテリに充電を行う。【選択図】図１
2008289133.tif 000002
【特許請求の範囲】
【請求項１】
サーバ装置と、前記サーバ装置と自機に接続するようにされる携帯電子機器との間のデータの送受を仲介するクレードル装置とからなるデータ通信システムであって、
前記クレードル装置は、
前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により前記携帯電子機器が接続するようにされたことが検出された場合に、前記第２の通信手段を通じて、前記携帯電子機器が接続するようにされたことを前記サーバ装置に通知するようにする通知制御手段と、
前記通知制御手段の制御により、前記携帯電子機器が接続するようにされたことが前記サーバ装置に通知された後、前記サーバ装置から送出される携帯電子機器用のデータを、前記第２の通信手段を通じて受信して、これを前記第１の通信手段を通じて前記携帯電子機器に送信するようにする中継制御手段と
を備え、
前記サーバ装置は、
前記クレードル装置との間で通信を行う通信手段と、
前記携帯電子機器に対して提供すべき前記携帯電子機器用のデータを準備するデータ準備手段と、
前記通信手段を通じて、前記クレードル装置からの前記携帯電子機器が接続するようにされたことの通知を受信した場合に、前記データ準備手段において準備された前記携帯電子機器用のデータを、前記通信手段を通じて前記携帯電子機器に送信するようにする通信制御手段と
を備えるデータ通信システム。
【請求項２】
請求項１に記載のデータ通信システムであって、
前記サーバ装置は、
前記通信手段を通じて、前記クレードル装置を介して送信されてくる前記携帯電子機器からの機器属性を示す情報を受信することができるものであり、
前記データ準備手段は、前記通信手段を通じて受信した前記携帯電子機器の機器属性に応じて、前記携帯電子機器用のデータとして準備すべきデータを特定するデータ通信システム。
【請求項３】
請求項１に記載のデータ通信システムであって、
前記サーバ装置は、
前記携帯電子機器に対して前記携帯電子機器用のデータを既に送信している場合に、前記携帯電子機器用のデータとしてどのようなデータを送信したかを示す情報を含む送信履歴を記憶保持する送信履歴記憶手段を備えており、
前記データ準備手段は、前記送信履歴記憶手段に記憶保持されている前記送信履歴に応じて、前記携帯電子機器用のデータとして準備すべきデータを特定するデータ通信システム。
【請求項４】
請求項１に記載のデータ通信システムであって、
前記サーバ装置は、
前記通信手段を通じて前記携帯電子機器に問合せを行うことにより、あるいは、前記通信手段を通じて受信した前記携帯電子機器から提供を受けたデータに基づいて、前記携帯電子機器に蓄積されている蓄積データのデータ属性を判別する判別手段を備え、
前記データ準備手段は、前記判別手段により判別された前記データ属性に応じて、前記携帯電子機器用のデータとして準備すべきデータを特定するデータ通信システム。
【請求項５】
請求項１に記載のデータ通信システムであって、
前記サーバ装置は、
前記携帯電子機器用のデータとして準備すべきデータについての情報の指示入力を受け付ける指示入力受付手段を備え、
前記データ準備手段は、前記指示入力受付手段を通じて受け付けた前記指示入力に応じて、前記携帯電子機器用のデータとして準備すべきデータを特定するデータ通信システム。
【請求項６】
請求項１に記載のデータ通信システムであって、
前記クレードル装置の前記中継制御手段は、
前記携帯電子機器に蓄積されているデータを前記第１の通信手段を通じて受信して、これを前記第２の通信手段を通じて前記サーバ装置に送信する処理と、前記サーバ装置からのデータの消去指示を前記第２の通信手段を通じて受信して、これを前記第１の通信手段を通じて前記携帯電子機器へ送信する処理とについても順次に行うように制御することができるものであり、
前記サーバ装置は、
前記クレードル装置を通じて前記携帯電子機器から送信され、前記通信手段を通じて受信したデータを記憶保持する記憶手段と、
前記携帯電子機器に送信するデータの消去指示を形成する消去指示形成手段と
を備え、
前記データ準備手段は、前記記憶手段に記憶された前記携帯通信端末からのデータに基づいて、前記携帯電子機器用のデータを準備するものであり、
前記通信制御手段は、前記通信手段を通じて、前記携帯電子機器から送信され前記クレードル装置を介して提供されるデータの受信と、前記消去指示形成手段で形成された前記消去指示の前記クレードル装置を介しての前記携帯電子機器への送信をも制御することができるものであるデータ通信システム。
【請求項７】
サーバ装置と、前記サーバ装置と自機に接続するようにされる携帯電子機器との間のデータの送受を仲介するクレードル装置とからなるデータ通信システムで用いられる前記クレードル装置であって、
前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により前記携帯電子機器の載置が検出された場合に、前記第２の通信手段を通じて、前記携帯電子機器が接続するようにされたことを前記サーバ装置に通知するようにする通知制御手段と、
前記通知制御手段の制御により、前記携帯電子機器が接続するようにされたことが前記サーバ装置に通知された後、前記サーバ装置から送出される携帯電子機器用のデータを、前記第２の通信手段を通じて受信して、これを前記第１の通信手段を通じて前記携帯電子機器に送信するようにする中継制御手段と
を備えるクレードル装置。
【請求項８】
請求項７に記載のクレードル装置であって、
前記中継制御手段は、前記携帯電子機器に蓄積されているデータを前記第１の通信手段を通じて受信して、これを前記第２の通信手段を通じて前記サーバ装置に送信する処理と、前記サーバ装置からのデータの消去指示を前記第２の通信手段を通じて受信して、これを前記第１の通信手段を通じて前記携帯電子機器へ送信する処理とについても順次に行うように制御することができるものであるクレードル装置。
【請求項９】
サーバ装置と、前記サーバ装置と自機に接続するようにされる携帯電子機器との間のデータの送受を仲介するクレードル装置とからなるデータ通信システムで用いられる前記サーバ装置であって、
前記クレードル装置との間で通信を行う通信手段と、
前記携帯電子機器に対して提供すべき前記携帯電子機器用のデータを準備するデータ準備手段と、
前記通信手段を通じて、前記クレードル装置からの前記携帯電子機器が接続するようにされたことの通知を受信した場合に、前記データ準備手段において準備された前記携帯電子機器用のデータを、前記通信手段を通じて前記携帯電子機器に送信するようにする送信制御手段と
を備えるサーバ装置。
【請求項１０】
請求項９に記載のサーバ装置であって、
前記通信手段を通じて、前記クレードル装置を介して送信されてくる前記携帯電子機器からの前記機器属性を示す情報を受信することができるものであり、
前記データ準備手段は、前記通信手段を通じて受信した前記携帯電子機器の機器属性に応じて、前記携帯電子機器用のデータとして準備すべきデータを特定するサーバ装置。
【請求項１１】
請求項９に記載のサーバ装置であって、
前記携帯電子機器に対して前記携帯電子機器用のデータを既に送信している場合に、前記携帯電子機器用のデータとしてどのようなデータを送信したかを示す情報を含む送信履歴を記憶保持する送信履歴記憶手段を備えており、
前記データ準備手段は、前記送信履歴記憶手段に記憶保持されている前記送信履歴に応じて、前記携帯電子機器用のデータとして準備すべきデータを特定するサーバ装置。
【請求項１２】
請求項９に記載のサーバ装置であって、
前記通信手段を通じて前記携帯電子機器に問合せを行うことにより、あるいは、前記通信手段を通じて受信した前記携帯電子機器から提供を受けたデータに基づいて、前記携帯電子機器に蓄積されている蓄積データのデータ属性を判別する判別手段を備え、
前記データ準備手段は、前記判別手段により判別された前記データ属性に応じて、前記携帯電子機器用のデータとして準備すべきデータを特定するサーバ装置。
【請求項１３】
請求項９に記載のサーバ装置であって、
前記携帯電子機器用のデータとして準備すべきデータについての情報の指示入力を受け付ける指示入力受付手段を備え、
前記データ準備手段は、前記指示入力受付手段を通じて受け付けた前記指示入力に応じて、前記携帯電子機器用のデータとして準備すべきデータを特定するサーバ装置。
【請求項１４】
請求項９に記載のサーバ装置であって、
前記クレードル装置を通じて前記携帯電子機器から送信され、前記通信手段を通じて受信したデータを記憶保持する記憶手段と、
前記携帯電子機器に送信するデータの消去指示を形成する消去指示形成手段と
を備え、
前記データ準備手段は、前記記憶手段に記憶された前記携帯通信端末からのデータに基づいて、前記携帯電子機器用のデータを準備するものであり、
前記通信制御手段は、前記通信手段を通じて、前記携帯電子機器から送信され前記クレードル装置を介して提供されるデータの受信と、前記消去指示形成手段で形成された前記消去指示の前記クレードル装置を介しての前記携帯電子機器への送信をも制御することができるものであるサーバ装置。
【請求項１５】
サーバ装置と、前記サーバ装置と自機に接続するようにされる携帯電子機器との間のデータの送受を仲介するクレードル装置とからなるデータ通信システムで用いられる前記クレードル装置に搭載されたコンピュータに、
接続検出手段を通じて携帯電子機器が接続するようにされたことを検出する接続検出ステップと、
前記接続検出ステップにおいて、前記携帯電子機器が接続するようにされたことが検出された場合に、前記サーバ装置との間で通信を行う通信手段を通じて、前記携帯電子機器が接続するようにされたことを前記サーバ装置に通知するようにする通知制御ステップと、
前記通知ステップにおいて、前記携帯電子機器が接続するようにされたことを通知した後に、前記サーバ装置から送出される携帯電子機器用のデータを前記サーバ装置との間で通信を行う通信手段とを通じて受信して、これを前記携帯電子機器との間で通信を行う前記通信手段を通じて前記携帯電子機器に送信するようにする中継制御ステップと
を実行させるコンピュータ読み取り可能な転送制御プログラム。
【請求項１６】
請求項１５に記載の転送制御プログラムであって、
前記携帯電子機器に蓄積されているデータの前記サーバ装置への転送を行うデータ転送ステップと、
前記サーバ装置において作成されて送出されるデータ消去指示の前記携帯電子機器への転送を行うデータ消去指示転送ステップと
を実行させるコンピュータ読み取り可能な転送制御プログラム。
【請求項１７】
サーバ装置と、前記サーバ装置と自機に接続するようにされる携帯電子機器との間のデータの送受を仲介するクレードル装置とからなるデータ通信システムで用いられる前記サーバ装置に搭載されたコンピュータに、
前記携帯電子機器に対して提供すべき前記携帯電子機器用のデータを準備するデータ準備ステップと、
前記クレードル装置との間で通信を行う通信手段を通じて、前記クレードル装置からの前記携帯電子機器が接続するようにされたことの通知を受信する受信ステップと、
前記受信ステップを通じて前記携帯電子機器が接続するようにされたことの通知を受信した場合に、前記通信手段を通じて前記データ準備ステップにおいて準備された前記携帯電子機器用のデータを、前記携帯電子機器に送信するようにする送信ステップと
を実行させるコンピュータ読み取り可能な通信制御プログラム。
【請求項１８】
請求項１７に記載の通信制御プログラムであって、
前記クレードル装置を介して送信されてくる前記携帯電子機器からのデータを自機の通信手段を通じて受信するデータ受信ステップと、
前記携帯電子機器に送信するデータ消去指示を形成する消去指示形成ステップと、
前記消去指示形成ステップにおいて形成した前記データ消去指示を、自機の通信手段を通じて送出し、前記クレードル装置を介して前記携帯電子機器に送信するようにするデータ消去指示送信ステップと
を備え、
前記データ準備ステップにおいては、自機の記憶手段に記憶保持している前記クレードル装置を通じて前記携帯電子機器から提供されて自機の通信手段を通じて受信したデータに基づいて、前記携帯電子機器用のデータを準備する通信制御プログラム。
【請求項１９】
サーバ装置と、前記サーバ装置と自機に接続するようにされる携帯電子機器との間のデータの送受を仲介するクレードル装置とからなるデータ通信システムで用いられるデータ通信方法であって、
前記クレードル装置においては、
接続検出手段を通じて携帯電子機器が接続するようにされたことを検出する接続検出ステップと、
前記接続検出ステップにおいて、前記携帯電子機器が接続するようにされたことが検出された場合に、前記サーバ装置との間で通信を行う通信手段とを通じて、前記携帯電子機器が接続するようにされたことを前記サーバ装置に通知する通知制御ステップと、
前記通知制御ステップにおいて、前記携帯電子機器が接続するようにされたことを通知した後に、前記サーバ装置から送出される携帯電子機器用のデータを、前記サーバ装置との間で通信を行う通信手段を通じて受信して、これを前記携帯電子機器との間で通信を行う通信手段前記携帯電子機器に送信するようにする中継制御ステップと
を有し、
前記サーバ装置においては、
前記携帯電子機器に対して提供すべき前記携帯電子機器用のデータを準備するデータ準備ステップと、
前記クレードル装置との間で通信を行う通信手段を通じて、前記クレードル装置からの前記携帯電子機器が接続するようにされたことの通知を受信する受信ステップと、
前記受信ステップを通じて前記携帯電子機器が接続するようにされたことの通知を受信した場合に、前記通信手段を通じて前記データ準備手段において準備された前記携帯電子機器用のデータを、前記携帯電子機器に送信するようにする送信ステップと
を有するデータ通信方法。
【請求項２０】
請求項１９に記載のデータ通信方法であって、
前記クレードル装置においては、
前記携帯電子機器に蓄積されているデータの前記サーバ装置への転送を行うデータ転送ステップと、
前記サーバ装置において作成されて送出されるデータ消去指示の前記携帯電子機器への転送を行うデータ消去指示転送ステップと
を有し、
前記サーバ装置においては、
前記クレードル装置を介して送信されてくる前記携帯電子機器からのデータを自機の通信手段を通じて受信するデータ受信ステップと、
前記携帯電子機器に送信するデータ消去指示を形成する消去指示形成ステップと、
前記消去指示形成ステップにおいて形成した前記データ消去指示を、自機の通信手段を通じて送出し、前記クレードル装置を介して前記携帯電子機器に送信するようにするデータ消去指示送信ステップと
を有するデータ通信方法。
【請求項２１】
第１の携帯電子機器と、第２の携帯電子機器と、サーバ装置と、前記第１、第２の携帯電子機器と前記サーバ装置との間のデータの送受を仲介するクレードル装置とからなるデータ通信システムであって、
前記第１の携帯電子機器は、
前記クレードル装置との間で通信を行う通信手段と、
前記通信手段を通じて自機宛の要求を受信した場合に、当該要求に応じて要求元に送信する送信情報を準備する準備手段と、
前記準備手段により準備された送信情報を、前記通信手段を通じて要求元に送信するように制御する送信制御手段と
を備え、
前記第２の携帯電子機器は、
前記クレードル装置との間で通信を行う通信手段と、
前記通信手段を制御して自機宛に送信されてくる前記サーバ装置からの提供情報を受信するように制御する受信制御手段と、
前記通信手段を通じて受信した自機宛の前記提供情報を記憶保持する記憶手段と、
前記記憶手段に記憶された提供情報の利用を制御する利用制御手段と
を備え、
前記クレードル装置は、
自機に接続するようにされた前記第１、第２の携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記第１、第２の携帯電子機器と、前記サーバ装置との間の通信を中継するように制御する中継制御手段と
を備え、
前記サーバ装置は、
前記クレードル装置との間で通信を行う通信手段と、
前記通信手段を通じて前記クレードル装置に携帯電子機器が接続するようにされたことの通知を受け付けた場合に、前記第１、第２の携帯電子機器が前記クレードル装置に対して接続するようにされたか否かを判別する判別手段と、
前記判別手段により、前記第１、第２の携帯電子機器が前記クレードル装置に対して接続するようにされたと判別した場合に、前記第１の携帯電子機器に対して、目的とする情報の提供要求を形成し、前記通信手段を通じて前記第１の携帯電子機器に送信するようにする第１の送信制御手段と、
前記提供要求に応じて、前記第１の携帯電子機器から送信されてくる送信情報を、前記通信手段を通じて受信するように制御する第１の受信制御手段と、
前記第１の受信制御手段の制御により前記通信手段を通じて受け付けた前記送信情報に基づいて、前記第２の携帯電子機器に対して提供する提供情報を形成する形成手段と、
前記形成手段で形成された前記提供情報を、前記通信手段を通じて前記第２の携帯電子機器に送信するように制御する第２の送信制御手段と
を備えるデータ通信システム。
【請求項２２】
請求項２１に記載のデータ通信システムであって、
前記第１の携帯電子機器が撮像装置であり、前記第２の携帯電子機器が表示機能を備えた携帯電子機器である場合に、
前記サーバ装置において、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データから前記第２の携帯電子機器用の画像データを形成し、
前記第２の送信制御手段は、前記形成手段により形成された前記第２の携帯電子機器用の画像データを前記通信手段を通じて前記第２の携帯電子機器に送信するように制御するデータ通信システム。
【請求項２３】
請求項２１に記載のデータ通信システムであって、
前記第１、第２の携帯電子機器が共に音楽再生機能を備えたものである場合に、
前記サーバ装置において、
前記第１の送信制御手段は、前記第１の携帯電子機器に対して、保持している音楽データの提供を要求する提供要求を形成して前記通信手段を通じて送信するように制御し、
前記第１の受信制御手段は、前記第１の携帯電子機器からの音楽データを、前記通信手段を通じて受信するように制御し、
前記形成手段は、前記第１の携帯電子機器からの前記音楽データより前記第２の携帯電子機器用の音楽データを形成し、
前記第２の送信制御手段は、前記形成手段で形成された前記第２の携帯電子機器用の音楽データを、前記通信手段を通じて前記第２の携帯電子機器に送信するように制御するデータ通信システム。
【請求項２４】
請求項２１に記載のデータ通信システムであって、
前記第１の携帯電子機器が撮像装置であり、前記第２の携帯電子機器が表示機能を備えた携帯電子機器である場合に、
前記サーバ装置において、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに含まれる文字情報からテキストデータを形成し、
前記第２の送信制御手段は、前記形成手段により形成された前記テキストデータを、前記通信手段を通じて前記第２の携帯電子機器に送信するように制御するデータ通信システム。
【請求項２５】
請求項２１に記載のデータ通信システムであって、
前記第１の携帯電子機器が撮影位置の測位機能を備え、撮影することにより得た画像データに対して撮影位置データを付加することができる撮像装置であり、前記第２の携帯電子機器が表示機能を備えた携帯電子機器である場合に、
前記サーバ装置において、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに付加されている撮影位置データに基づいて、自機が保持する地図情報を参照し、撮影位置の名称と住所などの地図関連情報を付加した画像データを形成し、
前記第２の送信制御手段は、前記形成手段で形成された、前記地図関連情報を付加した画像データを、前記通信手段を通じて前記第２の携帯電子機器に送信するように制御するデータ通信システム。
【請求項２６】
第１の携帯電子機器と、第２の携帯電子機器と、サーバ装置と、前記第１、第２の携帯電子機器と前記サーバ装置との間のデータの送受を仲介するクレードル装置とからなるデータ通信システムで用いられる前記クレードル装置あって、
自機に接続するようにされた前記第１、第２の携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記第１、第２の携帯電子機器と、前記サーバ装置との間の通信を中継するように制御する中継制御手段と
を備えるクレードル装置。
【請求項２７】
第１の携帯電子機器と、第２の携帯電子機器と、サーバ装置と、前記第１、第２の携帯電子機器と前記サーバ装置との間のデータの送受を仲介するクレードル装置とからなるデータ通信システムで用いられる前記サーバ装置あって、
前記クレードル装置との間で通信を行う通信手段と、
前記通信手段を通じて前記クレードル装置に携帯電子機器が接続するようにされたことの通知を受け付けた場合に、前記第１、第２の携帯電子機器が前記クレードル装置に対して接続するようにされたか否かを判別する判別手段と、
前記判別手段により、前記第１、第２の携帯電子機器が前記クレードル装置に対して接続するようにされたと判別した場合に、前記第１の携帯電子機器に対して、目的とする情報の提供要求を形成し、前記通信手段を通じて前記第１の携帯電子機器に送信するようにする第１の送信制御手段と、
前記提供要求に応じて、前記第１の携帯電子機器から送信されてくる送信情報を前記通信手段を通じて受信するように制御する第１の受信制御手段と、
前記第１の受信制御手段の制御により前記通信手段を通じて受け付けた前記送信情報に基づいて、前記第２の携帯電子機器に対して提供する提供情報を形成する形成手段と、
前記形成手段で形成された前記提供情報を、前記通信手段を通じて前記第２の携帯電子機器に送信するように制御する第２の送信制御手段と
を備えるサーバ装置。
【請求項２８】
請求項２７に記載のサーバ装置であって、
前記第１の携帯電子機器が撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データから前記第２の携帯電子機器用の画像データを形成し、
前記第２の送信制御手段は、前記形成手段により形成された前記第２の携帯電子機器用の画像データを前記通信手段を通じて前記第２の携帯電子機器に送信するように制御するサーバ装置。
【請求項２９】
請求項２７に記載のサーバ装置であって、
前記第１、第２の携帯電子機器が共に音楽再生機能を備えたものである場合に、
前記第１の送信制御手段は、前記第１の携帯電子機器に対して、保持している音楽データの提供を要求する提供要求を形成して前記通信手段を通じて送信するように制御し、
前記第１の受信制御手段は、前記第１の携帯電子機器からの音楽データを前記通信手段を通じて受信するように制御し、
前記形成手段は、前記第１の携帯電子機器からの前記音楽データ前記第２の携帯電子機器用の音楽データを形成し、
前記第２の送信制御手段は、前記形成手段で形成された前記第２の携帯電子機器用の音楽データを、前記通信手段を通じて前記第２の携帯電子機器に送信するように制御するサーバ装置。
【請求項３０】
請求項２７に記載のサーバ装置であって、
前記第１の携帯電子機器が撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに含まれる文字情報からテキストデータを形成し、
前記第２の送信制御手段は、前記形成手段により形成された前記テキストデータを、前記通信手段を通じて前記第２の携帯電子機器に送信するように制御するサーバ装置。
【請求項３１】
請求項２７に記載のサーバ装置であって、
前記第１の携帯電子機器が撮影位置の測位機能を備え、撮影することにより得た画像データに対して撮影位置データを付加することができる撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに付加されている撮影位置データに基づいて、自機が保持する地図情報を参照し、撮影位置の名称と住所などの地図関連情報を付加した画像データを形成し、
前記第２の送信制御手段は、前記形成手段で形成された、前記地図関連情報を付加した画像データを、前記通信手段を通じて前記第２の携帯電子機器に送信するように制御するサーバ装置。
【請求項３２】
第１の携帯電子機器と、第２の携帯電子機器と、サーバ装置と、前記第１、第２の携帯電子機器と前記サーバ装置との間のデータの送受を仲介するクレードル装置とからなるデータ通信システムで用いられるデータ通信方法であって、
前記第１の携帯電子機器においては、
前記クレードル装置との間で通信を行う通信手段を通じて自機宛の要求を受信した場合に、データ準備手段が当該要求に応じて要求元に送信する送信情報を準備する準備工程と、
前記準備工程において準備した送信情報を、送信制御手段が前記通信手段を通じて要求元に送信するようにする送信制御工程と
を有し、
前記第２の携帯電子機器においては、
前記クレードル装置との間で通信を行う通信手段を制御して、受信制御手段が自機宛に送信されてくる前記サーバ装置からの提供情報を受信するようにする受信制御工程と、
前記通信手段を通じて受信した自機宛の前記提供情報を、記録手段が記憶手段に記録する記録工程と、
利用制御手段が、前記記憶手段に記憶された提供情報の利用を制御する利用制御工程と
を有し、
前記クレードル装置においては、
接続検出手段により、携帯電子機器が接続するようにされたことを検出する接続検出工程と、
前記接続検出工程において携帯電子機器が接続するようにされたことを検出した場合に、通知制御手段が、前記サーバ装置との間で通信を行うサーバ通信手段を通じて、前記携帯電子機器が接続するようにされたことを前記サーバ装置に通知するようにする通知制御工程と、
中継制御手段が、自機に接続するようにされた前記第１、第２の携帯電子機器との間で通信を行う携帯機器通信手段と、前記サーバ通信手段とを制御し、前記第１、第２の携帯電子機器と、前記サーバ装置との間の通信を中継するように制御する中継制御工程と
を有し、
前記サーバ装置においては、
前記クレードル装置との間で通信を行う通信手段を通じて前記クレードル装置に携帯電子機器が接続するようにされたことの通知を受け付けた場合に、判別手段が、前記第１、第２の携帯電子機器が前記クレードル装置に対して接続するようにされたか否かを判別する判別工程と、
前記判別工程において、前記第１、第２の携帯電子機器が前記クレードル装置に対して接続するようにされたと判別した場合に、第１の送信制御手段が、前記第１の携帯電子機器に対して、目的とする情報の提供要求を形成し、前記通信手段を通じて前記第１の携帯電子機器に送信するようにする第１の送信制御工程と、
前記提供要求に応じて、前記第１の携帯電子機器から送信されてくる送信情報を、第１の受信制御手段が、前記通信手段を通じて受信するように制御する第１の受信制御工程と、
前記第１の受信制御工程においての制御により前記通信手段を通じて受け付けた前記送信情報に基づいて、形成手段が前記第２の携帯電子機器に対して提供する提供情報を形成する形成工程と、
前記形成工程で形成した前記提供情報を、第２の送信制御手段が、前記通信手段を通じて前記第２の携帯電子機器に送信するように制御する第２の送信制御工程と
を備えるデータ通信方法。
【請求項３３】
第１の携帯電子機器と、第２の携帯電子機器と、サーバ装置と、前記第１、第２の携帯電子機器と前記サーバ装置との間のデータの送受を仲介するクレードル装置とからなるデータ通信システムの前記クレードル装置に搭載されたコンピュータが実行するプログラムであって、
接続検出手段を通じて、携帯電子機器が接続するようにされたことを検出する接続検出ステップと、
前記接続検出ステップにおいて携帯電子機器が接続するようにされたことを検出した場合に、通知制御手段が、前記サーバ装置との間で通信を行うサーバ通信手段を通じて、前記携帯電子機器が接続するようにされたことを前記サーバ装置に通知するようにする通知制御ステップと、
中継制御手段が、自機に接続するようにされた前記第１、第２の携帯電子機器との間で通信を行う携帯機器通信手段と、前記サーバ通信手段とを制御し、前記第１、第２の携帯電子機器と、前記サーバ装置との間の通信を中継するように制御する中継制御ステップと
を前記クレードル装置に搭載されたコンピュータが実行する転送制御プログラム。
【請求項３４】
第１の携帯電子機器と、第２の携帯電子機器と、サーバ装置と、前記第１、第２の携帯電子機器と前記サーバ装置との間のデータの送受を仲介するクレードル装置とからなるデータ通信システムの前記サーバ装置に搭載されたコンピュータが実行するプログラムであって、
前記クレードル装置との間で通信を行う通信手段を通じて前記クレードル装置に携帯電子機器が接続するようにされたことの通知を受け付けた場合に、判別手段が、前記第１、第２の携帯電子機器が前記クレードル装置に対して接続するようにされたか否かを判別する判別ステップと、
前記判別ステップにおいて、前記第１、第２の携帯電子機器が前記クレードル装置に対して接続するようにされたと判別した場合に、第１の送信制御手段が、前記第１の携帯電子機器に対して、目的とする情報の提供要求を形成し、前記通信手段を通じて前記第１の携帯電子機器に送信するようにする第１の送信制御ステップと、
前記提供要求に応じて、前記第１の携帯電子機器から送信されてくる送信情報を、第１の受信制御手段が、前記通信手段を通じて受信するように制御する第１の受信制御ステップと、
前記第１の受信制御ステップにおいての制御により前記通信手段を通じて受け付けた前記送信情報に基づいて、形成手段が前記第２の携帯電子機器に対して提供する提供情報を形成する形成ステップと、
前記形成ステップで形成した前記提供情報を、第２の送信制御手段が、前記通信手段を通じて前記第２の携帯電子機器に送信するように制御する第２の送信制御ステップと
を前記サーバ装置に搭載されたコンピュータが実行する通信制御プログラム。
【発明の詳細な説明】
【技術分野】
【０００１】
この発明は、例えば、携帯電話端末、デジタルカメラ、携帯型音楽再生装置などの種々の携帯電子機器（モバイル機器）とパーソナルコンピュータなどのサーバ装置との間のデータの送受を仲介するクレードル装置を用いて形成するシステム、このシステムで用いられる装置、方法、プログラムに関する。
【背景技術】
【０００２】
持ち運んで利用することが可能ないわゆるモバイル機器として、携帯型音楽再生装置や携帯型映像音響再生装置が利用されている。携帯型音楽再生装置としては、記録媒体としてＭＤ（Mini Disc（登録商標））を用いたＭＤプレイヤー、記録媒体として半導体メモリを用いたメモリプレイヤー、記録媒体としてハードディスクを用いたハードディスクプレイヤーなどがある。また、携帯型映像音響再生装置としては、例えば、ノート型のパーソナルコンピュータやゲーム機などとして実現されているほか、携帯型専用の映像音響再生装置も提供されるようになってきている。
【０００３】
これらの携帯型音楽再生装置や携帯型映像音響再生装置の場合、利用したい音楽データやＡＶデータ（同期を取って再生すべき映像データと音声データとからなるデータ）を、事前に、携帯型音楽再生装置や携帯型映像音響再生装置において利用可能な記録媒体に、あるいはそれらの機器に内蔵されている記録媒体に記録しておかなければならない。すなわち、携帯型音楽再生装置や携帯型映像音響再生装置を用いて、目的とするコンテンツデータを利用するためには、当該目的とするコンテンツデータを目的とする記録媒体に記録しておくという事前の準備が必要である。
【０００４】
しかし、ユーザー自身が、携帯型音楽再生装置や携帯型映像音響再生装置で利用したいコンテンツデータを目的とする記録媒体に記録する作業を一々行わなければならないことは面倒である。また、時間に余裕が無い場合には、コンテンツデータを目的とする記録媒体に記録する作業を行えない場合もある。
【０００５】
そこで、特許文献１には、ユーザーが好みのコンテンツデータを自動的に携帯型音楽再生装置や携帯型音響再生装置で利用可能にするために、携帯型音楽再生装置や携帯型映像音響再生装置においてコンテンツデータの利用履歴を取るようにし、コンテンツデータの利用履歴に応じて、ユーザーの好みに合致したコンテンツデータを自動的に携帯型音楽再生装置や携帯型音響再生装置に搭載されている記録媒体に記録して利用できるようにする技術が開示されている。
【０００６】
なお、上述した特許文献１は、以下の通りである。
【特許文献１】特開２００６−１４８２８４号公報
【発明の開示】
【発明が解決しようとする課題】
【０００７】
ところで、モバイル機器には、上述した携帯型音楽再生装置や携帯型映像音響再生装置のように再生機能が主な機能である機器以外にも、例えば、デジタルスチルカメラ、デジタルビデオカメラ、カメラ付き携帯電話端末、ＩＣ（Integrated Circuit）メモリレコーダ等の外出先における記録機能も主な機能として備えたものであるいわゆる携帯型記録再生装置も存在する。
【０００８】
このような携帯型記録再生装置の場合、外出先において、静止画像、動画像、音声などの情報を取り込んで、これらをデジタルデータとして自機の記録媒体に記憶保持することができると共に、これら記憶保持されたデータを必要に応じて読み出してその場で再生して利用することができるものもある。
【０００９】
携帯型記録再生装置において利用される記録媒体は、例えば、内蔵ハードディスク、内蔵ＩＣメモリなどのように予め内蔵されているものもあれば、ＭＤ（Mini Disc（登録商標））やＤＶＤ（Digital Versatile Disc）、半導体メモリカードのように着脱可能とされ、必要に応じて交換可能なものも存在する。
【００１０】
そして、携帯型記録再生装置において利用可能な記録媒体の記憶容量は年々大容量化されてはいるものの、その記憶容量は有限であるので、ある程度データが蓄積されたら、そのデータを例えば自宅のパーソナルコンピュータのハードディスクなどにバックアップし、このバックアップしたデータを携帯型記録再生装置の記録媒体から削除して、次の利用のために記憶可能容量を確保するようにしなければならない。
【００１１】
また、携帯型記録再生装置の場合、自機の記録媒体に記憶保持しているデータを単にパーソナルコンピュータのハードディスクなどの外部記録媒体に移し替えた後に消去する場合だけでなく、外出先などにおいて利用する可能性のあるデータについては残しておかなければならないし、また、外部記録媒体に移し替えて削除したデータがどのようなデータであったかを携帯型記録再生装置において把握できるようにしておかなければならない場合もある。
【００１２】
これらの処理を携帯記録再生装置のユーザーが手動で行うようにしたのでは、面倒であるし、ユーザーが忙しく、時間に余裕が無い場合などにおいては、適切なタイミングで適切な処理を行うことができない場合も発生すると考えられる。このため、携帯型記録再生装置においては、ユーザーの手を煩わせることなく、保持しているデータを適切に処理、管理できるようにしたり、必要なデータの提供を受けるようにしたりすることが望まれている。
【００１３】
また、このことは、携帯型記録再生装置以外にも、携帯型音楽再生装置や携帯型映像音響再生装置においても同様のことが言える。つまり、携帯型音楽再生装置や携帯型映像音響再生装置において用いられる記録媒体もその記憶容量は有限であるため、携帯型音楽再生装置や携帯型映像音響再生装置において新たに利用したいコンテンツデータが出てきた場合であって、当該機器の記録媒体に空き容量が無い場合には、記録済みデータの整理を行って空き領域を確保した後に、新たなコンテンツデータを記録するようにしなければならない。
【００１４】
このため、携帯型音楽再生装置や携帯型映像音響再生装置においてもユーザーの手を煩わせることなく、保持しているデータを適切に処理、管理できるようにしたり、必要なデータの提供を受けるようにしたりすることが望まれている。
【００１５】
さらに、上述したように、モバイル機器には、携帯型音楽再生装置、携帯型映像音響再生装置、デジタルスチルカメラ、デジタルビデオカメラ、携帯電話端末、ＩＣメモリレコーダなど種々のものがあり、１人のユーザーが複数種類のモバイル機器を利用する場合も多い。例えば、携帯電話端末と、デジタルスチルカメラと、携帯型音楽再生装置とを持ち歩き、これらを必要に応じて利用することは普通に行われていることである。
【００１６】
そして、携帯電話端末の中には、カメラ機能や音楽再生機能を備えたものがあるし、デジタルスチルカメラの中にも音楽再生機能を有するものがある。また、携帯型音楽再生装置の中にも、単に音楽を再生するだけでなく、画像再生機能を備えたものもある。このため、デジタルスチルカメラで撮影して得た静止画像データを携帯電話端末で利用できるようにしたり、携帯型音楽再生装置で利用している音楽データをデジタルスチルカメラで利用できるようにしたりするなどのこともできるようにしたい場合も発生する。
【００１７】
このように、種々のモバイル機器間においても、適切に機能を連携させるようにしたい場合も多いと考えられる。しかし、種々のモバイル機器は、もともと独立した機器であるし、連携させることが想定された特別の場合の他は、モバイル機器同士を連携させるようにするためには、ユーザーの手を煩わせることになる。
【００１８】
以上のことに鑑み、この発明は、ユーザーの手を煩わせることなく、モバイル機器（携帯電子機器）を常時適切な利用可能状態に維持できるようにして、モバイル機器等の使い勝手を向上させることができるようにすることを目的とする。
【課題を解決するための手段】
【００１９】
上記課題を解決するため、請求項１に記載の発明のデータ通信システムは、
サーバ装置と、前記サーバ装置と自機に接続するようにされる携帯電子機器との間のデータの送受を仲介するクレードル装置とからなるデータ通信システムであって、
前記クレードル装置は、
前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により前記携帯電子機器が接続するようにされたことが検出された場合に、前記第２の通信手段を通じて、前記携帯電子機器が接続するようにされたことを前記サーバ装置に通知するようにする通知制御手段と、
前記通知制御手段の制御により、前記携帯電子機器が接続するようにされたことが前記サーバ装置に通知された後、前記サーバ装置から送出される携帯電子機器用のデータを、前記第２の通信手段を通じて受信して、これを前記第１の通信手段を通じて前記携帯電子機器に送信するようにする中継制御手段と
を備え、
前記サーバ装置は、
前記クレードル装置との間で通信を行う通信手段と、
前記携帯電子機器に対して提供すべき前記携帯電子機器用のデータを準備するデータ準備手段と、
前記通信手段を通じて、前記クレードル装置からの前記携帯電子機器が接続するようにされたことの通知を受信した場合に、前記データ準備手段において準備された前記携帯電子機器用のデータを、前記通信手段を通じて前記携帯電子機器に送信するようにする通信制御手段と
を備える。
【００２０】
この請求項１に記載のデータ通信システムによれば、クレードル装置においては、接続検出手段を通じて携帯電子機器が接続するようにされたことが検出されると、これが通知制御手段の制御により第２の通信手段を通じてサーバ装置に通知される。サーバ装置においては、通信手段を通じて、携帯電子機器がクレードル装置に接続するようにされたことの通知が受信されると、データ準備手段で準備するようにされた携帯電子機器用のデータが送信制御手段の制御により通信手段を通じて送信される。
【００２１】
そして、クレードル装置では、中継制御手段の制御により、サーバ装置からの携帯電子機器用のデータを第２の通信手段を通じて受信して、これを第１の通信手段を通じて自機に接続するようにされている携帯電子機器に送信することにより、サーバ装置からの携帯電子機器用のデータを携帯電子機器に転送し、当該携帯電子機器で利用することができるようにされる。
【００２２】
これにより、携帯電子機器のユーザーは、携帯電子機器をクレードル装置に接続するようにするだけで、サーバ装置において準備された携帯電子機器用のデータを受信して、これを記憶保持し利用することができるようにされる。このように、ユーザーの手を煩わせることなく、携帯電子機器を常時適切な利用可能状態を維持できるようにして、携帯電子機器の使い勝手を向上させることができるようにされる。
【００２３】
なお、サーバ装置において準備される携帯電子機器用のデータとしては、例えば、携帯電子機器から送信されてきたデータを加工して得られるデータや携帯電子機器に対して新たに提供すべきデータなどが上げられる。
【００２４】
例えば、バックアップなどのために、携帯電子機器からサーバ装置に静止画像データが送信されてきている場合には、その縮小画像データを携帯電子機器用のデータとして作成して準備したり、あるいは、携帯電子機器からサーバ装置に動画像データが送信されてきている場合には、その動画像データのダイジェスト再生を行うためのダイジェストデータを作成して準備したりすることができるようにされる。
【００２５】
また、携帯電子機器に対して新たに提供可能になった静止画像データ、動画像データ、音声データ、ＡＶデータ等の種々のコンテンツデータや、その一部分のデータ（いわゆるお試し用のデータ）等を携帯電子機器用のデータとして準備し、これを送信することもできるようにされる。すなわち、サーバ装置において準備される携帯電子機器用のデータとしては、サーバ装置が記憶保持する種々のコンテンツデータを加工して作成するものの他、携帯電子機器に提供するために、自機が記憶保持しているデータから携帯電子機器用に送信するために整えたものや、外部から提供を受けたものなども含まれる。
【００２６】
また、請求項６に記載の発明のデータ通信システムは、請求項１に記載のデータ通信システムであって、
前記クレードル装置の前記中継制御手段は、
前記携帯電子機器に蓄積されているデータを前記第１の通信手段を通じて受信して、これを前記第２の通信手段を通じて前記サーバ装置に送信する処理と、前記サーバ装置からのデータの消去指示を前記第２の通信手段を通じて受信して、これを前記第１の通信手段を通じて前記携帯電子機器へ送信する処理とについても順次に行うように制御することができるものであり、
前記サーバ装置は、
前記クレードル装置を通じて前記携帯電子機器から送信され、前記通信手段を通じて受信したデータを記憶保持する記憶手段と、
前記携帯電子機器に送信するデータの消去指示を形成する消去指示形成手段と
を備え、
前記データ準備手段は、前記記憶手段に記憶された前記携帯通信端末からのデータに基づいて、前記携帯電子機器用のデータを準備するものであり、
前記通信制御手段は、前記通信手段を通じて、前記携帯電子機器から送信され前記クレードル装置を介して提供されるデータの受信と、前記消去指示形成手段で形成された前記消去指示の前記クレードル装置を介しての前記携帯電子機器への送信をも制御することができるものである。
【００２７】
この請求項６に記載のデータ通信システムによれば、クレードル装置の中継制御手段は、携帯電子機器からの当該携帯電子機器において蓄積されているデータのサーバ装置への中継と、サーバ装置からのデータの消去指示の携帯電子機器への中継とを行うことができるようにされている。
【００２８】
また、サーバ装置においては、通信制御手段の制御により通信手段を通じて受信したクレードル装置を介して提供される携帯電子機器からの蓄積データを記憶手段に記憶すると共に、消去指示形成手段において形成された消去指示を、クレードル装置を介して携帯通信機器に送信することができるようにされる。
【００２９】
そして、携帯電子機器においては、クレードル装置を介して提供されるサーバ装置からの消去指示に応じて、蓄積していたデータの消去処理を行うことができるようにされる。また、サーバ装置においては、データ準備手段により、記憶手段に記憶された携帯電子機器において蓄積されていたデータに基づいて、携帯電子機器用のデータを作成するなどして準備することができるようにされる。
【００３０】
具体的には、記憶手段に記憶された携帯電子機器において蓄積されていたデータを加工処理することにより、携帯電子機器用のデータを作成して準備したり、記憶手段に記憶された携帯電子機器において蓄積されていたデータとは異なるコンテンツデータを携帯電子機器用のデータとして取得することにより準備したりすることができるようにされる。
【００３１】
また、請求項２１に記載の発明のデータ通信システムは、
第１の携帯電子機器と、第２の携帯電子機器と、サーバ装置と、前記第１、第２の携帯電子機器と前記サーバ装置との間のデータの送受を仲介するクレードル装置とからなるデータ通信システムであって、
前記第１の携帯電子機器は、
前記クレードル装置との間で通信を行う通信手段と、
前記通信手段を通じて自機宛の要求を受信した場合に、当該要求に応じて要求元に送信する送信情報を準備する準備手段と、
前記準備手段により準備された送信情報を、前記通信手段を通じて要求元に送信するように制御する送信制御手段と
を備え、
前記第２の携帯電子機器は、
前記クレードル装置との間で通信を行う通信手段と、
前記通信手段を制御して自機宛に送信されてくる前記サーバ装置からの提供情報を受信するように制御する受信制御手段と、
前記通信手段を通じて受信した自機宛の前記提供情報を記憶保持する記憶手段と、
前記記憶手段に記憶された提供情報の利用を制御する利用制御手段と
を備え、
前記クレードル装置は、
自機に接続するようにされた前記第１、第２の携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記第１、第２の携帯電子機器と、前記サーバ装置との間の通信を中継するように制御する中継制御手段と
を備え、
前記サーバ装置は、
前記クレードル装置との間で通信を行う通信手段と、
前記通信手段を通じて前記クレードル装置に携帯電子機器が接続するようにされたことの通知を受け付けた場合に、前記第１、第２の携帯電子機器が前記クレードル装置に対して接続するようにされたか否かを判別する判別手段と、
前記判別手段により、前記第１、第２の携帯電子機器が前記クレードル装置に対して接続するようにされたと判別した場合に、前記第１の携帯電子機器に対して、目的とする情報の提供要求を形成し、前記通信手段を通じて前記第１の携帯電子機器に送信するようにする第１の送信制御手段と、
前記提供要求に応じて、前記第１の携帯電子機器から送信されてくる送信情報を、前記通信手段を通じて受信するように制御する第１の受信制御手段と、
前記第１の受信制御手段の制御により前記通信手段を通じて受け付けた前記送信情報に基づいて、前記第２の携帯電子機器に対して提供する提供情報を形成する形成手段と、
前記形成手段で形成された前記提供情報を、前記通信手段を通じて前記第２の携帯電子機器に送信するように制御する第２の送信制御手段と
を備える。
【００３２】
この請求項２１に記載の発明のデータ通信システムによれば、クレードル装置には、情報を提供する第１の携帯電子機器と、情報の提供を受ける第２の携帯情報機器とが接続することができるようにされる。そして、クレードル装置の接続検出手段により、携帯電子機器が接続されたことが検出されると、これが通知制御手段の制御により、サーバ装置に通知される。
【００３３】
サーバ装置において、判別手段によりクレードル装置からの通知に基づいて、第１、第２の携帯電子機器が、クレードル装置に接続された状態にあることが判別されると、第１の送信制御手段の制御により、第１の電子機器に目的とする情報の提供要求が送信され、これに応じて第１の携帯電子機器から送信されてくる提供情報が、第１の受信制御手段の制御により受信される。
【００３４】
この受信された提供情報が用いられ、形成手段により、第２の携帯電子機器に提供する提供情報が形成され、これが第２の送信制御手段の制御により、第２の携帯電子機器に送信するようにされる。
【００３５】
これにより、クレードル装置に対して、第１の携帯電子機器と第２の携帯電子機器とを接続するようにするだけで、ユーザーの手を介すことなく、第１の携帯電子機器が有する目的とする情報を、クレードル装置を介してサーバ装置が吸い上げ、これからサーバ装置において第２の携帯電子機器に提供する提供情報を形成するようにして、第２の携帯電子機器に提供することができるようにされる。すなわち、第１の携帯電子機器と第２の携帯電子機器との連携を強化し、携帯電子機器（モバイル機器）等の使い勝手を向上させることができる。
【発明の効果】
【００３６】
この発明によれば、ユーザーの手を煩わせることなく、モバイル機器（携帯電子機器）を常時適切な利用可能状態に維持できるようにして、携帯電子機器の使い勝手を向上させることができる。
【発明を実施するための最良の形態】
【００３７】
以下、図を参照しながら、この発明によるシステム、装置、プログラム、方法の位置実施の形態について説明する。
【００３８】
［第１の実施の形態］
［データ通信システムの概要］
図１は、この実施の形態のデータ通信システムの概要について説明するための図である。この実施の形態のデータ通信システムは、この発明によるシステムの一実施の形態が適用されたものである。
【００３９】
図１に示すように、この実施の形態のデータ通信システムは、クレードル１とサーバ装置２とがインターフェイスケーブル３を通じて接続されて形成されたものである。この実施の形態においては、クレードル１とサーバ装置２とを有線により接続するものとして説明するが、クレードル１とサーバ装置２とは、所定の無線インターフェイスにしたがって無線接続するように構成することももちろん可能である。
【００４０】
クレードル１は、この発明による装置、プログラム、方法の一実施の形態が適用されたものであり、これに載置される種々のモバイル機器と、サーバ装置２との間で行われるデータの送受信を仲介する機能を有するものである。また、この実施の形態のクレードル１は、これに載置されたモバイル機器に対して、充電を行う機能をも有するものである。
【００４１】
この実施の形態において、種々のモバイル機器とクレードル１とは、給電のための接点や通信のための接点とを直接に接続する必要はなく、充電も通信も非接触で行うことができるようにしている。すなわち、充電は電磁誘導により行い、データの送受信は近距離無線通信により行うようにするが、充電処理と通信処理とが影響を及ぼし合うことが無いように、異なる周波数帯域を用いるようにしている。
【００４２】
なお、クレードル１に対しては、クレードル１から電力の供給を受けて自機のバッテリの充電を行うことができる機能やクレードル１との間で近距離無線通信により通信を行うことができる機能、あるいは、その両方の機能を備えた種々のモバイル機器、例えば、カメラ付き携帯電話端末、デジタルスチルカメラ、デジタルビデオカメラ、携帯型音楽再生装置などを載置して、クレードル１から電力の供給を受けたり、クレードル１との間で通信を行ったりすることができるようにしている。
【００４３】
すなわち、クレードル１は、所定のモバイル機器に専用のものではなく、種々のモバイル機器が利用することが可能な汎用のものである。また、クレードル１に対しては、１度に複数台のモバイル機器を載置して、そのそれぞれとクレードル１との間で通信を行うことができると共に、そのそれぞれのモバイル機器のバッテリに対して充電を行うことができるようにしている。
【００４４】
サーバ装置２は、この発明による装置、プログラム、方法の一実施の形態が適用されたものであり、詳しくは後述もするが、大容量の記録装置を備え、クレードル１を介して送信されてくる種々のモバイル機器からの蓄積データを受信して記憶保持したり、クレードル１を介してこれに載置されたモバイル機器に対して、処理の実行を指示したり、必要な情報を提供したりすることができるものである。サーバ装置２は、例えば、ハードディスクレコーダやパーソナルコンピュータ、あるいは、いわゆるホームネットワークシステムを構築する場合の専用のサーバ装置として実現されるものである。
【００４５】
この実施の形態のデータ通信システムにおいては、図１に示すように、例えば、カメラ付き携帯電話端末４（１）がクレードル１に載置された場合には、クレードル１を介して送信されてくるサーバ装置２からの要求に指示に応じて、カメラ付き携帯電話端末４（１）に蓄積されている新規に撮影された静止画像データを、クレードル１を介してサーバ装置２に送信して、サーバ装置２の記録装置にバックアップを取ることができるようにしている。
【００４６】
また、サーバ装置からの消去指示に応じて、サーバ装置２にバックアップを取るようにした静止画像データであって、カメラ付き携帯電話端末４（１）に蓄積されている静止画像データを消去することができるようにしている。この場合、バックアップするようにした全ての静止画像データを消去するのではなく、例えば、プロテクトがかけられているものや印刷マーキングが付加されているものなど、静止画像データの付随情報などにより重要な静止画像データであることが予測できるものについては、削除することなく残すことができるようにしている。
【００４７】
また、上述したように、消去した静止画像データについては、サーバ装置２においてバックアップを取った静止画像データに基づいて縮小画像を作成し、これをクレードル１を介してサーバ装置２からカメラ付き携帯電話端末４（１）に転送することによって、カメラ付き携帯電話端末４（１）のメモリを無駄に使用することなく、バックアップ後に消去するようにした静止画像データにはどのようなものがあるかを、カメラ付き携帯電話端末４（１）において適切に把握することができるようにしている。
【００４８】
なお、ここではカメラ付き携帯電話端末４（１）に蓄積されている静止画像データを扱う場合を例にしたが、モバイル機器としてデジタルビデオカメラがクレードル１に載置された場合には、動画像データが処理対象となり、新規に撮影された動画像データが、サーバ装置２にバックアップされた後に、サーバ装置２からの消去指示に応じて消去されることになる。
【００４９】
そして、動画像データが処理対象の場合、サーバ装置２においては、当該動画像データのダイジェスト再生を行うようにするためのダイジェスト再生用の動画像データが作成され、これがモバイル機器であるデジタルビデオカメラに戻され、サーバ装置２にバックアップした動画像データのダイジェスト版をいつでも確認することができるようにされる。
【００５０】
また、モバイル機器が携帯型音楽再生装置の場合には、当該携帯型音楽再生装置に蓄積されている音楽データについては、既にサーバ装置にバックアップしていたり、ＣＤ（Compact Disc）などの記録媒体に記憶保持されていたりするために、バックアップの必要が無い場合もある。このような場合には、蓄積データのバックアップは行うことなく、例えば、新たに利用可能になった音楽データの一部分の試聴を可能にするいわゆるお試し版の音楽データだけを携帯型音楽再生装置に提供するなどのこともできるようにしている。
【００５１】
すなわち、モバイル機器が、携帯型音楽再生装置である場合には、サーバ装置２は自機に蓄積されている音楽データの内、未だ携帯型音楽再生装置に提供したこと無い音楽データを提供するようにしたり、新たに提供可能な音楽データをインターネット上のサーバから取得してきて提供するようにしたり、それらの音楽データの一部分を提供するようにしたりするなどのことができるようにしている。
【００５２】
このように、通信の相手先の機器や処理対象のデータ等によって、モバイル機器に戻すための情報（モバイル機器用のデータ）は異なる。このため、サーバ装置２において、モバイル機器用のデータとしてどのようなデータを準備して戻すようにするかは、モバイル機器から転送されてくる機器属性に基づいて特定したり、サーバ装置が管理する目的とするモバイル機器への過去の送信履歴に基づいて特定するようにしたり、目的とするモバイル機器が蓄積しているデータのデータ属性に基づいて特定したり、あるいは、サーバ装置２が受け付けたユーザーからの指示入力に基づいて特定したりすることができるようにしている。
【００５３】
ここで、機器属性は、デジタルスチルカメラ、デジタルビデオカメラ、携帯電話端末等の機器の種別（種類）を示すものである。また、データ属性は、静止画像データ、動画像データ、音声データ等のデータの種別（種類）を示すものである。
【００５４】
このように、この実施の形態のデータ通信システムにおいては、種々のモバイル機器をクレードル１に載置するだけで（置くだけで）、（１）モバイル機器に蓄積されているデータのバックアップ、（２）モバイル機器に蓄積されているデータの消去（整理）、（３）モバイル機器への必要なデータの提供を行って、ユーザーの手を煩わせることなく、携帯電子機器を常時適切な利用可能状態を維持できるようにして、携帯電子機器の使い勝手を向上させることができるようにしている。
【００５５】
［データ通信システムを構成する各機器の構成例について］
次に、この実施の形態のデータ通信システムを構成する各機器の構成例について説明する。以下においては、クレードル１、サーバ装置２の構成例に加えて、クレードル１に載置されるモバイル機器の一例としてデジタルスチルカメラやデジタルビデオカメラの構成例について説明することとする。
【００５６】
［クレードル１の構成例について］
図２は、この実施の形態のデータ通信システムで用いられるクレードル１の構成例について説明するためのブロック図である。図２に示すように、クレードル１は、制御部１１と、時計回路１２と、操作部１３と、外部インターフェイス（以下、外部Ｉ／Ｆと略称する。）１４ａと、入出力端子１４ｂと、無線通信部１５ａと、送受信アンテナ１５ｂと、載置検出部１６と、送受信制御部１７と、表示部１８と、充電制御部１９とを備えたものである。
【００５７】
制御部１１は、この実施の形態のクレードル１の各部を制御するものであり、ＣＰＵ（Central Processing Unit）１１１と、ＲＯＭ（Read Only Memory）１１２と、ＲＡＭ（Random Access Memory）１１３と、ＥＥＰＲＯＭ（Electrically Erasable and Programmable ROM）やフラッシュメモリなどの不揮発性メモリ１１４とがＣＰＵバス１１５を通じて接続されて構成されたマイクロコンピュータである。
【００５８】
ここで、ＣＰＵ１１１は、後述するＲＯＭ１１２に記憶保持されているプログラムを実行し、制御信号を形成し、これを必要とする各部に供給するなどして、クレードル１の各部を制御するようにする制御の主体となるものである。ＲＯＭ１１２は、上述のように、ＣＰＵ１１１において実行されるプログラムや各種の処理において必要となるデータ等が予め記憶されたものである。
【００５９】
また、ＲＡＭ１１３は、主に処理の途中結果などを一時記憶したりするいわゆる作業領域として用いられるものである。また、不揮発性メモリ１１４は、クレードル１の電源が切られても保持しておくべきデータ、例えば、各種の設定パラメータや機能アップのための追加プログラム等の情報が記憶保持されるものである。
【００６０】
時計回路１２は、カレンダ機能を備え、現在年月日、現在曜日、現在時刻を提供するものである。操作部１３は、例えば、数字キーや各種のファンクションキーなどの操作キーを有し、ユーザーからの操作入力を受け付けて、これを電気信号に変換して制御部１１に通知することができるものである。これにより、操作部１３を通じて受け付けた指示入力は、電気信号として制御部１１に供給され、制御部１１はユーザーからの指示に応じて各部を制御し、ユーザーの指示に応じた処理を行うことができるようにしている。
【００６１】
入出力端１４ｂは、外部機器との接続端部を構成するものであり、この実施の形態において、入出力端１４ｂにはインターフェイスケーブル３を介してサーバ装置２が接続される。外部Ｉ／Ｆ１４ａは、自機から送出すべきデータを送出用の形式に変換したり、外部から供給されたデータを自機において処理可能な形式に変換したりするなどの機能を有するものである。無線通信部１５ａ、送受信アンテナ１５ｂは、当該クレードル１に載置されたモバイル機器との間において、近距離無線通信によりデータ通信を行うようにする部分である。
【００６２】
なお、近距離無線通信技術としては、ＵＷＢ（Ultra WideBand）と呼ばれる数ＧＨｚ(ギガヘルツ)といった広い帯域の電波を利用してデータを送受信する無線技術やブルートゥース（Bluetooth）などと呼ばれる短距離無線通信技術、その他の種々の近距離無線通信技術、あるいは、短距離無線通信技術を用いることが可能である。
【００６３】
載置検出部１６は、自機にデータ通信や充電が可能なモバイル機器が載置されたか否かを検出する部分である。この載置検出部１６は、電気的にモバイル機器の載置を検出することができるものである。例えば、無線通信部１５ａを制御して所定間隔で応答要求を送出し、これに応答してきたモバイル機器が存在する場合に、モバイル機器が載置されたと検出することができる。
【００６４】
この他にも、いわゆる圧電センサなどのセンサを備え、まず、当該圧電センサを通じて何らかの物体がクレードル１のモバイル機器が載置されるべき部分である載置部に載置されたこと（載置部に圧力が加わったこと）を検出した場合に、無線通信部１５ａを制御して応答要求を送出し、これに応答してきたモバイル機器が存在する場合に、モバイル機器が載置されたと検出したりするようにすることもできる。この場合には、常時、所定の間隔で応答要求を送信する必要はなく、何かが載置されたことを検出した場合に、通信可能なモバイル機器か否かを検出するようにすればよいので、無線通信部１５ａ等の負荷を軽減することができる。
【００６５】
送受信制御部１７は、無線通信部１５ａ、送受信アンテナ１５ｂを通じて行う載置されたモバイル機器との送受信と、外部Ｉ／Ｆ１４ａ、入出力端１４ｂを通じて行うサーバ装置２との送受信とを制御する。すなわち、送受信制御部１７は、無線通信部１５ａ、送受信アンテナ１５ｂを通じて受信したモバイル機器からの情報を、外部Ｉ／Ｆ１４ａ、入出力端１４ｂを通じてサーバ装置に送信したり、逆に、外部Ｉ／Ｆ１４ａ、入出力端１４ｂを通じて受信したサーバ装置２からの情報を、無線通信部１５ａ、送受信アンテナ１５ｂを通じてモバイル機器に送信したりする処理を制御するものである。
【００６６】
このように、送受信制御部１７は、モバイル機器とサーバ装置との間の通信を中継する中継制御手段としての機能を実現するものである。もちろん、送受信制御部１７は、単に、無線通信部１５ａ、送受信アンテナ１５ｂを通じてモバイル機器とクレードル１との間で行う通信処理や、外部Ｉ／Ｆ１４ａ、入出力端１４ｂを通じてサーバ装置２とクレードル１との間で行う通信処理についても制御することができるものである。
【００６７】
なお、図２において２重線で示した送受信制御部１７の機能は、ＣＰＵ１１１において実行されるプログラム（ソフトウェア）によって、制御部１１の機能として実現することも可能である。また、載置検出部１６についても、圧電センサなどを用いない構成の場合には、無線通信部１５ａ、送受信アンテナ１５ｂを通じて通信を行うことにより、モバイル機器の載置検出を行うことができる。このため、載置検出部１６の機能についてもＣＰＵ１１１において実行されるプログラム（ソフトウェア）によって、制御部１１の機能として実現することも可能である。
【００６８】
表示部１８は、例えば、ＬＣＤ（Liquid Crystal Display）や有機ＥＬパネル（Organic Electroluminescence Panel）などの表示素子と、これらのコントロール回路からなるものであり、制御部１１の制御に応じて、各種のガイダンスメッセージや警告メッセージ、動作状態を示す表示など、文字、記号、絵などの種々の表示情報を表示することができるものである。
【００６９】
充電制御部１９は、上述もしたように、クレードル１に載置されたモバイル機器に対して電磁誘導により電力を供給し、モバイル機器に搭載されたバッテリの充電を行えるようにする部分である。
【００７０】
そして、この実施の形態のクレードル１は、載置検出部１６を通じてモバイル機器が載置されたことを検出すると、これを送受信制御部１７の機能により、外部Ｉ／ｆ１４ａを制御して、入出力端１４ｂに接続するようにされているサーバ装置に通知する。
【００７１】
また、入出力端１４ｂ、外部Ｉ／ｆ１４ａを通じてサーバ装置２から提供される指示に従って、送受信制御部１７の制御により、無線通信部１５ａ、送受信アンテナ１５ｂを通じて、自機に載置されたモバイル機器から蓄積データの提供を受けて、これを外部Ｉ／ｆ１４ａを制御して、入出力端１４ｂに接続するようにされているサーバ装置に提供する。
【００７２】
また、送受信制御部１７の制御により、入出力端１４ｂ、外部Ｉ／ｆ１４ａを通じてサーバ装置２から提供されるデータの消去指示や書き戻しデータを受信し、これら消去指示や書き戻しデータを無線通信部１５ａ、送受信アンテナ１５ｂを通じて、自機に載置されたモバイル機器に送信したりすることができるようにしている。
【００７３】
このように、この実施の形態のクレードル１において、無線通信部１５ａ、送受信アンテナ１５ｂが、モバイル機器との間で通信を行うための第１の通信手段としての機能を実現し、また、外部Ｉ／Ｆ１４ａ、入出力端１４ｂが、サーバ装置との間で通信を行うための第２の通信手段としての機能を実現している。
【００７４】
また、載置検出部１６が、載置検出手段としての機能を実現し、送受信制御部１７が、モバイル機器が載置されたことを検出した場合にこれをサーバ装置に通知する通信制御手段としての機能と、載置されたモバイル機器とサーバ装置との間の通信を制御する中継制御手段としての機能を実現している。
【００７５】
［サーバ装置２の構成例について］
図３は、この実施の形態のデータ通信システムで用いられるサーバ装置２の構成例について説明するためのブロック図である。図３に示すように、サーバ装置２は、制御部２１と、時計回路２２と、操作部２３と、リモコン信号受光部２４と、外部Ｉ／Ｆ２６ａ、入出力端２６ｂと、送受信制御部２７と、消去データ抽出部２８と、書き戻しデータ作成部２９と、ハードディスクドライバ３０と、表示インターフェイス（以下、表示Ｉ／Ｆと略称する。）３１ａと、映像信号の出力端３１ｂとを備えたものである。また、サーバ装置２に専用のリモコン２５を利用可能な構成になっている。
【００７６】
制御部２１は、この実施の形態のサーバ装置２の各部を制御するものであり、ＣＰＵ２１１、ＲＯＭ２１２、ＲＡＭ２１３、不揮発性メモリ２１４が、ＣＰＵバス２１５を通じて接続されて構成されたマイクロコンピュータである。
【００７７】
ここで、ＣＰＵ２１１は、後述するＲＯＭ２１２に記憶保持されているプログラムを実行し、制御信号を形成し、これを必要とする各部に供給するなどして、サーバ装置２の各部を制御するようにする制御の主体となるものである。ＲＯＭ２１２は、上述のように、ＣＰＵ２１１において実行されるプログラムや各種の処理において必要となるデータ等が予め記憶されたものである。
【００７８】
また、ＲＡＭ２１３は、主に処理の途中結果などを一時記憶したりするいわゆる作業領域として用いられるものである。また、不揮発性メモリ２１４は、ＥＥＰＲＯＭやフラッシュメモリなどからなるものであり、サーバ装置２の電源が切られても保持しておくべきデータ、例えば、各種の設定パラメータや機能アップのための追加プログラム等の情報が記憶保持されるものである。
【００７９】
時計回路２２は、カレンダ機能を備え、現在年月日、現在曜日、現在時刻を提供するものである。操作部２３は、例えば、数字キーや各種のファンクションキーなどの操作キーを有し、ユーザーからの操作入力を受け付けて、これを電気信号に変換して制御部２１に通知することができるものである。これにより、操作部２３を通じて受け付けた指示入力は、電気信号として制御部２１に供給され、制御部２１はユーザーからの指示に応じて各部を制御し、ユーザーの指示に応じた処理を行うことができるようにしている。
【００８０】
なお、操作部２３は、サーバ装置２本体に設けられるものの他、数字キー、アルファベットキー、ファンクションキーなどを有するいわゆるキーボード装置としてサーバ装置２とは別体に設けられたり、いわゆるマウスなどのポインティングデバイスとして設けられたり、あるいは、それらの複数が利用可能とされる場合もある。
【００８１】
リモコン信号受光部２４は、リモコン２５からの赤外線のリモコン信号を受光し、これを電気信号に変換して制御部２１に通知するものである。リモコン２５は、各種の操作キーを備え、ユーザーからの操作入力を受け付けて、受け付けた操作入力に応じた赤外線のリモコン信号を形成して送出することができるものである。
【００８２】
このように、リモコン信号受光部２４とリモコン２５とにより、ユーザーは、サーバ装置２から離れた場所にいても、リモコン信号の送受可能な範囲内においては、サーバ装置２に対して指示を出し、サーバ装置２をいわゆる遠隔操作することができるようにしている。
【００８３】
入出力端２６ｂは、外部機器との接続端部を構成するものであり、この実施の形態において、入出力端２６ｂにはインターフェイスケーブル３を介してクレードル１が接続するようにされる。外部Ｉ／Ｆ２６ａは、自機から送出すべきデータを送出用の形式に変換したり、外部から供給されたデータを自機において処理可能な形式に変換したりするなどの機能を有するものである。
【００８４】
送受信制御部２７は、外部Ｉ／Ｆ２６ａ、入出力端２６ｂを通じて、これに接続するようにされているクレードル１との間の通信処理を制御する。すなわち、自機からクレードル１やクレードル１を介してクレードル１に載置されたモバイル機器４に情報を送信する処理や、クレードル１やクレードル１を介してクレードル１に載置されたモバイル機器４から送信されてくる情報を受信する処理を制御する。
【００８５】
消去データ抽出部２８は、クレードル１に載置されたモバイル機器から、これに蓄積されているデータ（蓄積データ）の提供を受けて、後述するハードディスクドライバ３０のハードディスクにバックアップをするようにした後に、バックアップした蓄積データの中で、当該モバイル機器から消去すべきデータを抽出して特定する部分である。
【００８６】
具体的な抽出処理については後述もするが、蓄積データに例えばプロテクト情報や印刷マーキングなどが付加されているなど、重要な蓄積データであることが予測できるものについては残す蓄積データとして特定し、重要な蓄積データあることが予測できないものについては消去データとして特定する。
【００８７】
そして、消去データ抽出部２８において、消去すべきデータとして特定したデータについては、クレードル１を介してモバイル機器に通知することにより、モバイル機器から削除するようにし、モバイル機器４のメモリの記憶可能容量を確保することができるようにしている。
【００８８】
また、書き戻しデータ作成部２９は、例えば、消去データ抽出部２８により抽出されて特定されて、モバイル機器４のメモリから消去するようにされたデータについて、どのような蓄積データが消去されたかをモバイル機器４でも把握できるようにするために、消去されたデータを圧縮するようにしたデータを作成して、これをモバイル機器４に戻すようにする部分である。
【００８９】
もちろん、消去されたデータに基づいて形成される書き戻しデータを書き戻すことに限るものではなく、モバイル機器４に対して提供すべき種々のデータから、ここでいう書き戻しデータ（提供データ）を形成してモバイル機器に提供するようにすることもできる。なお、以下においては説明を簡単にするために、主に、モバイル機器４から消去するようにされた蓄積データから書き戻しデータを作成する場合について説明する。
【００９０】
書き戻しデータ作成部２９においては、例えば、消去するようにされた蓄積データが静止画像データである場合には、その縮小画像を書き戻しデータとして作成して準備したり、消去するようにされた蓄積データが動画像データである場合には、そのダイジェスト画像を再生するダイジェスト版の動画像データを作成して準備したり、消去するようにされた蓄積データが音楽データである場合には、例えば、音楽データの先頭部分の数秒から１０秒程度の部分だけからなる短縮版の音楽データを作成して準備したりする。
【００９１】
なお、この実施の形態のデータ通信システムにおいては、モバイル機器４が、例えば、カメラ付き携帯電話端末、デジタルスチルカメラ、デジタルビデオカメラなどの静止画像データや動画像データを扱うものであるために、消去対象のデータに応じた書き戻しデータを作成する場合を説明したが、これに限るものではない。
【００９２】
上述もしたが、例えば、モバイル機器が携帯型音楽再生装置や携帯型映像音響再生装置等の場合には、これらの機器に新たに適用可能になった音楽データやＡＶデータを準備するようにしたり、提供可能になった音楽データやＡＶデータについての内容を通知するためのいわゆる告知データを準備するようにしたりする場合もある。すなわち、書き戻しデータ作成部２９は、消去対象のデータに応じて形成するデータだけでなく、新たに提供可能になったデータ等をモバイル機器用に準備する機能をも有するものである。
【００９３】
なお、図３において、２重線で示した送受信制御部２７、消去データ抽出部２８、書き戻しデータ作成部２９のそれぞれの機能は、ＣＰＵ２１１において実行されるプログラム（ソフトウェア）によって、制御部２１の機能として実現することも可能である。
【００９４】
ハードディスクドライバ（以下、ＨＤＤと略称する。）３０は、ハードディスクと、ドライバとからなり、制御部２１の制御に応じて、供給されるデータをハードディスクに記録したり、ハードディスクに記録されているデータを読み出したりする。
【００９５】
表示Ｉ／Ｆ３１ａは、制御部２１の制御に応じて、外部のディスプレイ装置に供給する映像データを形成し、これを映像信号の出力端３１ｂを通じて出力する部分である。従って、映像信号の出力端３１ｂには、外部のディスプレイ装置が接続される。
【００９６】
そして、この実施の形態のサーバ装置２は、送受信制御部２７の制御により、入出力端２６ｂ、外部Ｉ／Ｆ２６ａを通じて、クレードル１を介して送信されてくる載置通知を受信したり、モバイル機器からの蓄積データを受信して、これをＨＤＤ３０のハードディスクに蓄積したりすることができるようにしている。
【００９７】
また、消去データ抽出部２８で抽出して特定するようにした消去データについての消去指示や、書き戻しデータ作成部２９において作成して準備した書き戻しデータを、送受信制御部２７の制御により、外部Ｉ／Ｆ２６ａ、入出力端２６ｂを通じて送信し、クレードル１を介してこれに載置されたモバイル機器に送信することができるようにしている。
【００９８】
このように、この実施の形態のサーバ装置２において、外部Ｉ／Ｆ２６ａ、入出力端２６ｂが、通信手段としての機能を実現し、書き戻しデータ作成部２９が、データ準備手段としての機能を実現するようにしている。また、送受信制御部２７が、通信制御手段としての機能を実現するようにしている。
【００９９】
また、ＨＤＤ３０が、送信履歴記憶手段としての機能や、モバイル機器からの蓄積データを記憶保持する記憶手段としての機能を実現するようにしており、消去データ抽出部２８と制御部２１が協働することにより、消去指示形成手段としての機能を実現するようにしている。
【０１００】
［モバイル機器４の構成例について］
図４は、この実施の形態のデータ通信システムのクレードル１に対して載置してデータの送受と充電とを行うことが可能なモバイル機器４の構成例を説明するためのブロック図である。モバイル機器４としては、上述もしたように、カメラ付き携帯電話端末、デジタルスチルカメラ、携帯型音楽再生装置など、種々のものが考えられる。しかし、以下においては、説明を簡単にするため、モバイル機器４は、デジタルスチルカメラやデジタルビデオカメラである場合を例にして説明する。
【０１０１】
図４に示すように、この実施の形態のモバイル機器４は、制御部４１と、時計回路４２と、操作部４３と、画像記憶部４４と、無線通信部４５ａと、送受信アンテナ４５ｂと、撮像部４６と、送受信制御部４７と、画像消去制御部４８と、表示部４９と、バッテリ５０と、無線充電制御部５１とを備えたものである。
【０１０２】
制御部４１は、この実施の形態のモバイル機器４の各部を制御するものであり、ＣＰＵ４１１、ＲＯＭ４１２、ＲＡＭ４１３、不揮発性メモリ４１４が、ＣＰＵバス４１５を通じて接続されて構成されたマイクロコンピュータである。
【０１０３】
ここで、ＣＰＵ４１１は、後述するＲＯＭ４１２に記憶保持されているプログラムを実行し、制御信号を形成し、これを必要とする各部に供給するなどして、モバイル機器４の各部を制御するようにする制御の主体となるものである。ＲＯＭ４１２は、上述のように、ＣＰＵ４１１において実行されるプログラムや各種の処理において必要となるデータ等が予め記憶されたものである。
【０１０４】
また、ＲＡＭ４１３は、主に処理の途中結果などを一時記憶したりするいわゆる作業領域として用いられるものである。また、不揮発性メモリ４１４は、ＥＥＰＲＯＭやフラッシュメモリなどからなるものであり、モバイル機器４の電源が切られても保持しておくべきデータ、例えば、各種の設定パラメータや機能アップのための追加プログラム等の情報が記憶保持されるものである。
【０１０５】
時計回路４２は、カレンダ機能を備え、現在年月日、現在曜日、現在時刻を提供するものである。操作部４３は、例えば、各種の操作キー、操作ダイヤル、操作レバーを備え、ユーザーからの操作入力を受け付けて、これを電気信号に変換して制御部４１に通知することができるものである。これにより、操作部４３を通じて受け付けた指示入力は、電気信号として制御部４１に供給され、制御部４１はユーザーからの指示に応じて各部を制御し、ユーザーの指示に応じた処理を行うことができるようにしている。
【０１０６】
画像記憶部４４は、記録媒体と、ドライバ部等からなり、制御部４１の制御により、後述する撮像部４６を通じて撮影することにより得た静止画像データや動画像データの供給を受けて、これらを記憶保持するものである。ここで用いられる記録媒体としては、ハードディスク、半導体メモリ、ＤＶＤ等の光ディスクなどの種々のものがあり、内蔵するように構成したり、着脱可能に構成したりすることが可能である。この実施の形態のモバイル機器４においては、画像記憶部４４は、記録媒体として内蔵ハードディスクが用いられて構成されたものとして説明する。
【０１０７】
無線通信部４５ａ、送受信アンテナ４５ｂは、クレードル１との間において、近距離無線通信によりデータ通信を行うようにする部分である。従って、無線通信部４５ａ、送受信アンテナ４５ｂは、クレードル１の無線通信部１５ａ、送受信アンテナ１５ｂと同様に、例えば、ＵＷＢ（Ultra WideBand）やブルートゥース（Bluetooth）などの無線通信技術、その他の種々の近距離無線通信技術、あるいは、短距離無線通信技術を用いて、クレードル１との間で無線通信を行うことができるようにしている。
【０１０８】
撮像部４６は、対物レンズ、絞り機構、シャッター機構、ＣＣＤ（Charge Coupled Device）やＣＭＯＳ（Complementary Metal Oxide Semiconductor）イメージセンサなどの撮像素子、前処理回路等を備え、被写体の画像を電気信号として取り込んで、これをデジタル信号に変換することができるものである。ここでデジタル信号とされた静止画像データや動画像データは、上述もしたように、制御部４１を通じて画像記憶部４４の記録媒体に記録される。
【０１０９】
送受信制御部４７は、無線通信部４５ａ、送受信アンテナ４５ｂを通じて行うクレードル１との送受信を制御する。すなわち、送受信制御部４７は、無線通信部４５ａ、送受信アンテナ４５ｂを通じてクレードル１からの情報を受信するようにしたり、制御部４１において作成した送信情報などを無線通信部４５ａ、送受信アンテナ４５ｂを通じてクレードル１に対して送信するようにしたりする部分である。すなわち、自機とクレードル１とのデータの送受信を制御するものである。
【０１１０】
画像消去制御部４８は、詳しくは後述もするが、送受信アンテナ４５ｂ、無線通信部４５ａを通じて、クレードル１を介して送信されてきたサーバ装置２からのデータ消去要求を受信した場合に、受信した当該データ消去要求に基づいて、画像記憶部４４の記録媒体に記録されている静止画像データや動画像データの内、消去することが指示された静止画像データや動画像データを画像記憶部４４の記録媒体から消去する処理を制御するものである。
【０１１１】
なお、図４において２重線で示した送受信制御部４７、画像消去制御部４８の機能は、制御部４１のＣＰＵ４１１によって実行されるプログラム（ソフトウェア）によって、制御部４１の機能として実現することも可能である。
【０１１２】
バッテリ５０は、この実施の形態のモバイル機器４の各部に供給する電力を蓄積するものである。また、無線充電制御部５１は、クレードル１の充電制御部１９を通じて供給される電力をバッテリ５０に供給して、バッテリ５０の充電処理を制御するものである。これら、充電制御部１９と無線充電制御部５１とが協働して、クレードル１からの電力の供給を受けてバッテリ５０に充電することができるようにしている。
【０１１３】
そして、この実施の形態のモバイル機器４は、上述もしたように、撮像部４６を通じて撮像した静止画像データや動画像データを画像記憶部４４に記録することができるものである。そして、画像記憶部４４に記憶した種々の画像データは、自機をクレードル１に載置することにより、送受信制御部４７と無線通信部４５ａとが機能し、クレードル１を介して、サーバ装置２に送信して、サーバ装置２のハードディスクに蓄積すること、すなわちバックアップを取ることができるようにしている。
【０１１４】
また、送受信アンテナ４５ｂ、無線通信部４５ａを通じて、クレードル１を介して送信されてくるサーバ装置２からの画像データの消去要求を受信した時には、画像消去制御部４８が機能して画像記憶部４４を制御し、サーバ装置２にバックアップしてモバイル機器４には不必要になった画像データを画像記憶部４４の記録媒体から消去して、画像記憶部４４の記憶媒体の記憶容量を確保することができるようにしている。
【０１１５】
また、送受信アンテナ４５ｂ、無線通信部４５ａを通じて、クレードル１を介して送信されてくるサーバ装置２からの書き戻しデータを受信した時には、送受信制御部４７は、画像記憶部４４を制御して、サーバ装置２からの書き戻しデータを画像記憶部４４の記録媒体に記録することができるようにしている。
【０１１６】
このように、この実施の形態のモバイル機器４は、クレードル１に載置するだけで、クレードル１を介してデータ通信を行うことにより、データのサーバ装置２へのバックアップや、サーバ装置２からの指示に応じた画像記憶部４４に記憶保持されているデータの消去処理や、サーバ装置２からの書き戻しデータの画像記憶部４４への記録処理を行うことができるものである。しかも同時に、自機のバッテリ５０に対する充電をもクレードル１を通じて行うことができるようにされている。
【０１１７】
［データ通信システムの動作について］
次に、この実施の形態のデータ通信システム全体の動作について、図５、図６のタイミングチャートを参照しながら説明する。図１を用いて説明したように、クレードル１とサーバ装置２とは、インターフェイスケーブル３が用いられて有線により接続されている。そして、クレードル１は、これに載置されたモバイル機器４との間においては、近距離無線通信技術が用いられて、無線により接続される。
【０１１８】
そして、以下に説明するように、クレードル１に載置されたモバイル機器４と、クレードル１に有線接続されたサーバ装置２との間においては、クレードル１を介して通信が行われることになる。
【０１１９】
クレードル１は、自機に電源が投入された状態にあるときには、載置検出部１６の機能により、所定の間隔ごとにモバイル機器４が載置されたか否かを判断する（ステップＳ１）。上述もしたように、この実施の形態のクレードル１に対しては、１度に複数台のモバイル機器を載置することができるようにされており、新たなモバイル機器が載置される毎にモバイル機器が載置されたことを検出することができるようにしている。
【０１２０】
そして、ステップＳ１の判断処理において、モバイル機器４は載置されていないと判断したときには、ステップＳ１の判断処理を繰り返し、モバイル機器の載置待ちとなる。また、ステップＳ１の判断処理において、モバイル機器４が載置されたと判断した場合には、クレードル１は、送受信制御部１７が無線通信部１５ａを制御し、自機に新たに載置されたモバイル機器４に対して、機器ＩＤ問合せを送信する（ステップＳ２）。
【０１２１】
モバイル機器４は、送受信アンテナ４５ｂ、無線通信部４５ａを通じてクレードル１からの機器ＩＤ問合せを受信すると、送受信制御部４７が無線通信部４５ａを制御し、自機（モバイル機器４）の機器ＩＤをクレードル１に対して送信する（ステップＳ３）。
【０１２２】
クレードル１は、送受信アンテナ１５ｂ、無線通信部１５ａを通じて、新たに載置されたモバイル機器４からの機器ＩＤを受信すると、送受信制御部１７が外部Ｉ／Ｆ１４ａを制御し、モバイル機器４からの機器ＩＤをサーバ装置２に報告する（ステップＳ４）。これにより、サーバ装置２は、クレードル１に対して新たなモバイル機器が載置されたことを把握する。そして、クレードル１においては、新たに載置されたモバイル機器４に対して充電の開始処理を実行する（ステップＳ５）。
【０１２３】
一方、サーバ装置２は、入出力端２６ｂ、外部Ｉ／Ｆ２６ａを通じて、クレードル１に対して新たに載置されたモバイル機器４からの機器ＩＤ報告を受信すると、送受信制御部２７が外部Ｉ／Ｆ２６ａを制御し、当該受信した機器ＩＤによって特定されるモバイル機器４に対して、蓄積データの一覧リストの提供要求である蓄積データリスト要求を送信する（ステップＳ６）。
【０１２４】
この蓄積データリスト要求は、クレードル１において、入出力端１４ｂ、外部Ｉ／Ｆ１４ａを通じて受信された後、送受信制御部１７の制御により、無線通信部１５ａ、送受信アンテナ１５ｂを通じてモバイル機器４に対して送信される。
【０１２５】
モバイル機器４は、送受信アンテナ４５ｂ、無線通信部４５ａを通じて、サーバ装置２からの蓄積データリスト要求を受信すると、制御部４１が、画像記憶部４４に記憶保持している画像データに基づいて蓄積データリストを形成し、これを送受信制御部４７が無線通信部４５ａを制御して送信する（ステップＳ７）。
【０１２６】
この蓄積データリストは、クレードル１において、送受信アンテナ１５ｂ、無線通信部１５ａを通じて受信された後、送受信制御部１７の制御により、外部Ｉ／Ｆ１４ａ、入出力端１４ｂを通じてサーバ装置２に対して送信される。
【０１２７】
サーバ装置２は、入出力端２６ｂ、外部Ｉ／Ｆ２６ａを通じて、モバイル機器４からの蓄積データリストを受信すると、制御部２１は、これをＨＤＤ３０のハードディスクの所定の領域に格納する（ステップＳ８）。そして、サーバ装置２の制御部２１は、格納した蓄積データリストに基づいて、新たに蓄積されたデータの提供要求である新規蓄積データ要求を形成し、これを送受信制御部２７が外部Ｉ／Ｆ２６ａを制御して送信する（ステップＳ９）。
【０１２８】
ここで、新規蓄積データ要求は、モバイル機器４からの蓄積データリストの作成日時と、既に当該モバイル機器４から提供を受けた蓄積データの作成日時とに基づいて、未だ提供を受けていない新たに提供を受けるべきデータを特定し、その特定したデータの提供をモバイル機器４に対して要求するための情報である。
【０１２９】
なお、新規蓄積データ要求は、例えば、作成日時がｙｙ年ｍｍ月ｄｄ日以降の画像データの全部というように、まとめて要求するように形成することも可能であるし、例えば、各蓄積データに付加されているデータＩＤによって提供を受けたい画像データを特定して要求するように形成することも可能である。
【０１３０】
この新規蓄積データ要求は、クレードル１において、入出力端１４ｂ、外部Ｉ／Ｆ１４ａを通じて受信された後、送受信制御部１７の制御により、無線通信部１５ａ、送受信アンテナ１５ｂを通じてモバイル機器４に対して送信される。
【０１３１】
モバイル機器４は、送受信アンテナ４５ｂ、無線通信部４５ａを通じて、サーバ装置２からの新規蓄積データ要求を受信すると、制御部４１は、画像記憶部４４に記憶保持している画像データから要求された新規蓄積データを抽出し、これを送受信制御部４７が無線通信部４５ａを制御して送信する（ステップＳ１０）。
【０１３２】
この新規蓄積データは、クレードル１において、送受信アンテナ１５ｂ、無線通信部１５ａを通じて受信された後、データ送受信制御部１７の制御により、外部Ｉ／Ｆ１４ａ、入出力端１４ｂを通じてサーバ装置２に対して送信される。
【０１３３】
サーバ装置２は、入出力端２６ｂ、外部Ｉ／Ｆ２６ａを通じて、モバイル機器４からの新規蓄積データを受信すると、制御部２１は、これをＨＤＤ３０のハードディスクの所定の領域に保存する（ステップＳ１１）。このようにして、クレードル１に載置されたモバイル機器４の画像データなどの蓄積データを、クレードル１を通じてサーバ装置２のＨＤＤ３０にバックアップすることができるようにされる。
【０１３４】
そして、図６に示す処理に進み、サーバ装置２は、取得した新規蓄積データに基づいて、モバイル機器４の画像記憶部４４に記憶されている画像データの中から消去すべきデータを洗い出す、消去対象データ洗い出し処理を実行する（ステップＳ１２）。消去対象データ洗い出し処理の詳細については後述するが、新規蓄積データである画像データのそれぞれに付加されている付加情報を確認し、削除されないようにするための削除プロテクトがかけられていたり、印刷する必要のある情報であることを予め指示しておく印刷マーキングが付加されていたり、使用回数が更新するようにされている場合には、その使用回数が所定回以上であるなど、重要な画像データであることが予測できる画像データについては、消去対象とはせず、それ以外の画像データを消去対象として特定する処理である。
【０１３５】
この後、サーバ装置２は、ステップＳ１２の洗い出し処理に基づいて、消去可能なものとして特定した画像データの消去を指示する蓄積データ消去要求を形成し、これを送受信制御部２７が外部Ｉ／Ｆ２６ａを制御して送信する（ステップＳ１３）。
【０１３６】
この蓄積データ消去要求は、クレードル１において、入出力端１４ｂ、外部Ｉ／Ｆ１４ａを通じて受信された後、送受信制御部１７の制御により、無線通信部１５ａ、送受信アンテナ１５ｂを通じてモバイル機器４に対して送信される。
【０１３７】
モバイル機器４は、送受信アンテナ４５ｂ、無線通信部４５ａを通じて、サーバ装置２からの蓄積データ消去要求を受信すると、画像消去制御部４８が画像記憶部４４を制御して、消去が指示された画像データを画像記憶部４４から消去する処理を実行する（ステップＳ１４）。
【０１３８】
指示された画像データの消去が終了すると、モバイル機器４の制御部４１は、消去処理完了報告を形成し、これを送受信制御部４７の制御により、無線通信部４５ａ、送受信アンテナ４５ｂを通じて送信する（ステップＳ１５）。
【０１３９】
この消去処理完了報告は、クレードル１において、送受信アンテナ１５ｂ、無線通信部１５ａを通じて受信された後、送受信制御部１７の制御により、外部Ｉ／Ｆ１４ａ、入出力端１４ｂを通じてサーバ装置２に対して送信される。
【０１４０】
サーバ装置２は、入出力端２６ｂ、外部Ｉ／Ｆ２６ａを通じて、モバイル機器４からの消去処理完了報告を受信すると、書き戻しデータ作成部２９が機能し、モバイル機器４の画像記憶部４４が消去するようにした画像データに基づいて、書き戻しデータを作成する。この場合、サーバ装置２の書き戻しデータ作成部２９は、モバイル機器４の機器属性や、処理対象の蓄積データの種別、自機に記憶保持した蓄積データの蓄積履歴、あるいは、ユーザーからの指示入力に応じて、どのような書き戻しデータを作成するかを決定する。
【０１４１】
ここでは、モバイル機器４がデジタルスチルカメラであることを示す機器属性が、ステップＳ４機器ＩＤの報告時に報告されているものとする。この場合、書き戻しデータ作成部２９は、機器属性から消去対象の蓄積データは静止画像データであると分かるので、消去対象となった蓄積データである画像データを縮小処理して、モバイル機器４に書き戻すようにする書き戻しデータを作成する（ステップＳ１６）。この場合、書き戻しデータ作成部２９は、元の画像データの数分の１〜数十分の１程度の大きさの画像データを書き戻しデータとして形成する。
【０１４２】
そして、サーバ装置２の送受信制御部２７は、外部Ｉ／Ｆ２６ａを制御して、モバイル機器４に送信する（ステップＳ１７）。この書き戻しデータは、クレードル１において、入出力端１４ｂ、外部Ｉ／Ｆ１４ａを通じて受信された後、送受信制御部１７の制御により、無線通信部１５ａ、送受信アンテナ１５ｂを通じてモバイル機器４に対して送信される。
【０１４３】
モバイル機器４は、送受信アンテナ４５ｂ、無線通信部４５ａを通じて書き戻しデータを受信すると、制御部４１は、受信した書き戻しデータを画像記憶部４４に保存する（ステップＳ１８）。この書き戻しデータは、上述のように、モバイル機器４に蓄積されていた画像データであって、サーバ装置２のＨＤＤ３０にバックアップした後に消去するようにされた画像データの縮小画像である。
【０１４４】
したがって、サーバ装置２からの書き戻しデータである縮小画像を制御部４１の制御により表示部４９の表示画面に表示することにより、どのような画像をサーバ装置２にバックアップした後に消去したのかを確認することができる。そして、必要がある場合には、サーバ装置２にバックアップした画像データを利用したり、また、モバイル機器４の画像記憶部４４に記録して、モバイル機器４において再度利用できるようにしたりすることもできる。
【０１４５】
そして、ステップＳ１８の書き戻しデータの保存が終了した後、モバイル機器４の制御部４１は、保存完了報告を形成し、これを送受信制御部４７の制御により、無線通信部４５ａ、送受信アンテナ４５ｂを通じて送信する（ステップＳ１９）。
【０１４６】
この保存完了報告は、クレードル１において、送受信アンテナ１５ｂ、無線通信部１５ａを通じて受信された後、送受信制御部１７の制御により、外部Ｉ／Ｆ１４ａ、入出力端１４ｂを通じてサーバ装置２に対して送信される。
【０１４７】
サーバ装置２において、入出力端２６ｂ、外部Ｉ／Ｆ２６ａを通じて保存完了報告を受信すると、サーバ装置２の制御部２１は、クレードル１に新規に載置されたモバイル機器４とのデータの送受を適切に完了したことを認識することができる。
【０１４８】
この後、クレードル１は、充電終了処理を実行するようにし（ステップＳ２０）、モバイル機器のバッテリが満充電となり充電処理が完了すると、図５、図６を用いて説明したこの実施の形態のデータ通信システムにおいて、新たなモバイル機器がクレードル１に載置された場合の一連の処理が完了する。
【０１４９】
このように、この実施の形態のデータ通信システムにおいては、サーバ装置２に接続されたクレードル１に対してモバイル機器４を載置するだけで、モバイル機器４に蓄積された蓄積データをクレードル１を介してサーバ装置２に送信し、サーバ装置２のＨＤＤ３０にバックアップすることができるようにしている。
【０１５０】
また、サーバ装置２の機能により、モバイル機器４からバックアップした蓄積データの中から消去可能な消去対象データを洗い出し、サーバ機器２からモバイル機器４に対して蓄積データ消去要求を提供することにより、モバイル機器４の画像記憶部４４の記憶エリアを整理して、モバイル機器４の画像記憶部４４の効率的な利用を図ることができるようにしている。
【０１５１】
さらに、モバイル機器４からサーバ装置２にバックアップすると共に、モバイル機器４から消去するようにした蓄積データに基づいて、モバイル機器４に書き戻すための書き戻しデータを作成し、これをモバイル機器４に書き戻すことができるようにしている。この書き戻しデータは、上述もしたように、蓄積データが静止画像データである場合には、その縮小画像であり、元の蓄積データよりもデータ量を圧縮するようにした情報である。これにより、モバイル機器４は、サーバ装置２にバックアップ後、消去するようにした蓄積データはどんなものがあるのかを、画像記憶部４４の記憶容量を無駄に使用することなく管理することができるようにしている。
【０１５２】
なお、クレードル１に載置されたモバイル機器４に、サーバ装置２にバックアップすべきデータが存在しない場合には、図６に示したステップＳ１６の処理に進み、モバイル機器４に対して新たに提供可能になった情報を形成して、これを提供する処理を行うようにすることができる。すなわち、クレードル１に載置されたモバイル機器４に、サーバ装置２にバックアップすべきデータが存在しない場合には、充電処理と書き戻しデータの提供処理とを行うようにすることができるようにされる。
【０１５３】
［送受されるデータのレイアウト例について］
次に、図５、図６を用いて説明したこの実施の形態のデータ通信システムにおいて、各機器間でやり取りされるデータのレイアウト例について説明する。
【０１５４】
［コマンドデータのレイアウト例］
図７は、コマンドデータのレイアウト例とその具体例を説明するための図である。図７Ａに示すように、各機器間で送受されるコマンドデータは、「送信先ＩＤ」、「送信元ＩＤ」、「命令や指示の内容等を示すコマンド情報」、「命令や指示の実行に必要なデータや通知すべきデータ」等からなっている。
【０１５５】
図７Ｂは、図５に示したシーケンス図のステップＳ２でクレードル１から新たに載置されたモバイル機器４に対して送信される機器ＩＤ問合せのためのコマンドデータの一例について説明するための図である。図７Ｂに示すように、機器ＩＤ問合せにおいて、送信先ＩＤには「未応答機器を示す情報」が入力され、送信元ＩＤには「クレードル１の機器ＩＤ」が入力され、コマンドを示す情報には「機器ＩＤの問合せであることを示す情報」が入力される。
【０１５６】
ここで、「未応答機器を示す情報」は、クレードル１との間で未だ通信を行っていない機器を指示する情報であり、例えば、機器ＩＤが５桁の英数字で表されるものであれば、「０００００」などのように予め決められたものである。そして、送信先ＩＤとして「未応答機器を示す情報」を受信したモバイル機器の内、クレードル１との間の通信履歴が無いモバイル機器は、自機が未応答機器であると判断し、送信されてきたコマンド情報に応じた処理、この例の場合には、機器ＩＤの通知を行うようにすることになる。
【０１５７】
図７Ｃは、図５に示したシーケンス図のステップＳ３で、新たにクレードル１に載置され、クレードル１との間で未だ通信を行っていないモバイル機器４が、図７Ｂに示した機器ＩＤ問合せコマンドを受信した場合に、当該モバイル機器４からクレードル１に送信される機器ＩＤ応答の一例を説明するための図である。
【０１５８】
図７Ｃに示すように、機器ＩＤ応答において、送信先ＩＤには「クレードル１の機器ＩＤ」が入力され、送信元ＩＤには「モバイル機器４の機器ＩＤ」が入力され、コマンドを示す情報には、これが「機器ＩＤの応答であることを示す情報」が入力される。これにより、クレードル１は、送信元ＩＤによって、モバイル機器４の機器ＩＤを知ることができる。
【０１５９】
そして、この例の場合、機器ＩＤ応答によって、機器属性やその他の情報もモバイル機器４からクレードル１に通知される。機器属性は、上述もしたように、モバイル機器４が、デジタルスチルカメラなのか、デジタルビデオカメラなのか、携帯電話端末なのか等の機器の種別（種類）を示すものである。この機器属性により、クレードル１は、モバイル機器４がどのようなモバイル機器であり、どのようなデータを扱うものであるかを把握することができる。
【０１６０】
なお、図５、図６に示したシーケンス図において、（１）ステップＳ４でクレードル１からサーバ装置２に送信される「機器ＩＤ報告」、（２）ステップＳ６でサーバ装置２からモバイル機器４に送信される「蓄積データリスト要求」、（３）ステップＳ９でサーバ装置２からモバイル機器４に送信される「新規蓄積データ要求」、（４）ステップＳ１３において、サーバ装置２からモバイル機器４に送信される「蓄積データ消去要求」、（５）ステップＳ１５において、モバイル機器４からサーバ装置２に送信される「消去処理終了報告」、（６）ステップＳ１９において、モバイル機器４からサーバ装置２に送信される「保存完了報告」のそれぞれについては、図７に示した態様、すなわち、送信先ＩＤ、送信元ＩＤ、コマンド情報、その他のデータという構成で、機器間でコマンド情報の送受がなされる。
【０１６１】
［蓄積データリストのレイアウト例］
図８は、モバイル機器４において生成され、図５に示したステップＳ７において、モバイル機器４からサーバ装置２に送信される蓄積データリストのレイアウト例を説明するための図である。
【０１６２】
図８に示すように、この例の蓄積データリストの場合、蓄積データリスト全体のヘッダ情報として、送信先ＩＤ、送信元ＩＤ、データ属性、その他の情報を有するようにされている。送信先ＩＤは、この蓄積データリストの送信先となる機器の機器ＩＤであり、送信元ＩＤは、この蓄積データリストを送信するモバイル機器４の機器ＩＤである。データ属性は、この情報全体が蓄積データリストを形成していることを示すものである。その他の情報としては、当該蓄積データリストの生成日時や送信日時などの日付情報等、種々の情報が考えられる。
【０１６３】
そして、モバイル機器４において蓄積されている情報毎に、データＩＤ、データ属性、作成日時、データサイズ、その他の情報からなる情報が形成され、全体として蓄積データリストを構成するようになっている。ここで、データＩＤは、各データを特定する情報であり、具体的には、各データのファイル名などに相当する。データ属性は、そのデータが、静止画像データなのか、動画像データなのか、音声データなのか、テキストデータなのか等を示す情報である。
【０１６４】
また、作成日時は、当該蓄積データが作成された日時であるが、広く当該蓄積データがモバイル機器によって取得された日時をも含むものである。また、データサイズは、その蓄積データのサイズ（容量）である。その他の情報としては、各蓄積データに付随するメモ情報等のテキストデータ等、種々の情報を付加することが可能である。
【０１６５】
このような蓄積データリストが、サーバ装置２からの蓄積データリスト要求に応じてモバイル機器４において作成され、図５に示したステップＳ７において、モバイル機器４からサーバ装置２に送信するようにされる。
【０１６６】
これにより、サーバ装置２においては、モバイル機器４がどのような情報を蓄積しているのかを正確に把握することができるようにされる。そして、サーバ装置２は、自機に既に蓄積している当該モバイル機器４からの蓄積データや、モバイル機器４から新たに提供された蓄積データリストの各データの作成日時に基づいて、新たにモバイル機器４から提供を受ける蓄積データを特定することができるようにされる。
【０１６７】
［蓄積データのレイアウト例］
図９は、蓄積データのレイアウト例を説明するための図である。図９に示すように、蓄積データは、ヘッダ情報部分と実データ部分とかなっている。この例において、蓄積データのヘッダ情報は、装置ＩＤ、データＩＤ、データ属性、作成日時、プロテクト情報、印刷マーク、データサイズ、使用回数、その他の情報からなっている。ここで、装置ＩＤは、当該蓄積データを蓄積している装置を特定する情報である。データＩＤは、当該蓄積データを一意に特定可能なものである。
【０１６８】
また、データ属性は、当該蓄積データが静止画像データなのか、動画像データなのか、音声データなのか等のデータの種類を示す情報である。作成日時は、当該蓄積データが作成された日時を示す情報である。また、プロテクト情報は、当該蓄積データを削除しないようにするか否かを指示するフラグ情報であり、削除しないようにプロテクトする場合には「オン」、必要に応じて削除してよい場合には「オフ」となっている情報である。
【０１６９】
印刷マークは、上述した印刷マーキングに相当する情報であり、印刷する必要のある情報であることを予め指定しておくための情報である。また、データサイズは、当該蓄積データの大きさを示し、使用回数は、これが蓄積されているモバイル機器４において使用された回数が更新されるものである。その他の情報としては、当該蓄積データについてのコメント情報等の種々の情報を付加するようにすることが可能である。
【０１７０】
このように、この実施の形態において、モバイル機器４に蓄積されている蓄積データは、種々の情報を有するヘッダ情報に対して、実データが付加するようにされた形式になっている。ここで、実データは、静止画像データ、動画像データ、音声データ、テキストデータ等の蓄積の対象となる主データであるが、この実施の形態においては、例えば静止画像データである。
【０１７１】
このような蓄積データが、図５のステップＳ９の新規蓄積データ要求に応じて、モバイル機器４からサーバ装置２に送信されるものである。図５のステップＳ９において、サーバ装置２からモバイル機器４に送信される新規蓄積データ要求は、図７Ａを用いて説明したように、送信先ＩＤ、送信元ＩＤ、新規蓄積データ要求であることを示すコマンド情報を有すると共に、その他のデータとして、提供を希望する蓄積データのデータＩＤ、或いは、提供を希望する蓄積データの作成日時を指示する情報などからなるものである。
【０１７２】
なお、データＩＤによって提供を希望する蓄積データを指示する場合であって、提供を希望する蓄積データが複数存在する場合には、提供を希望する全ての蓄積データのデータＩＤをコマンドデータに含めてモバイル機器４に送信すれば良い。また、提供を希望する蓄積データの作成日時を指示する情報は、特定の１日だけを指示することもできるし、「開始日時〜終了日時」と言うように作成日時を範囲により指定することも可能である。
【０１７３】
このようなサーバ装置２からモバイル機器４への新規蓄積データ要求に応じて、モバイル機器４は、図９に示した態様でモバイル機器の画像記憶部４４などに蓄積されている蓄積データの中から、提供を要求された蓄積データを抽出して、図５に示したステップＳ１０においてサーバ装置２に送信することになる。
【０１７４】
［書き戻しデータのレイアウト例］
図１０は、図６に示したシーケンス図のステップＳ１６において作成され、ステップＳ１７において、サーバ装置２からモバイル機器４に送信される書き戻しデータのレイアウト例を説明するための図である。図１０に示すように、書き戻しデータは、ヘッダ情報部分と書き戻しデータ部分とからなっている。
【０１７５】
この例において、書き戻しデータのヘッダ情報は、データＩＤ、データ属性、生成日時、データサイズ、提供先、元データＩＤ、元作成日時、元データサイズ、その他の情報からなっている。ここで、データＩＤは、当該書き戻しデータを一意に特定可能なものである。データ属性は、当該書き戻しデータが静止画像データか、動画像データか、音声データか等の書き戻しデータの種類を示す情報である。生成日時は、当該書き戻しデータがサーバ装置２において生成された日時を示す情報である。
【０１７６】
データサイズは、当該書き戻しデータの大きさを示し、提供先は、当該書き戻しデータを提供する先の機器の機器ＩＤが入力される。この実施の形態において、書き戻しデータは、蓄積データをサーバ装置２に提供したモバイル機器４に戻されるデータである。元データＩＤは、当該書き戻しデータの元のデータを特定するデータであり、元作成日時は、当該元のデータの作成日時を示すデータである。また、元データサイズは、当該元のデータの大きさを示す情報である。また、その他の情報は、書き戻しデータについてのコメントデータ等、種々の情報を付加するようにすることが可能である。
【０１７７】
このように、この実施の形態において、サーバ装置２において形成され、モバイル機器４に戻すようにされる書き戻しデータは、種々の情報を有するヘッダ情報に対して、書き戻しデータが付加するようにされた形式になっている。ここで書き戻しデータは、モバイル機器４からサーバ装置２に提供された種々の蓄積データに応じて形成されるものである。
【０１７８】
そして、この実施の形態において、モバイル機器４からサーバ装置２提供される蓄積データは上述もしたように静止画像データであり、サーバ装置２においては、モバイル機器４に提供する書き戻しデータとして、提供を受けた静止画像データの縮小画像データを形成して戻すようにしている。
【０１７９】
これにより、上述もしたように、モバイル機器４からサーバ装置２に送信してサーバ装置２にバックアップするようにした蓄積データである静止画像データについては、図６に示したステップＳ１３においてサーバ装置２からモバイル機器４に供給される蓄積データ消去要求に応じて消去するようにされる。
【０１８０】
しかし、サーバ装置２にバックアップするようにされた後に、消去するようにされた静止画像データは、縮小画像データとしてサーバ装置２からモバイル機器４に戻すようにされる。これによりモバイル機器４においては、画像記憶部４４の記憶容量を無駄に使用することなく、どのような蓄積データがサーバ装置２にバックアップされた後に消去されたかを管理することができる。
【０１８１】
［書き戻し履歴のレイアウト例］
図１１は、サーバ装置２において、図１０を用いて説明した書き戻しデータを生成してモバイル機器４に書き戻すようにした場合に、サーバ装置２の例えばＨＤＤ３０に形成される書き戻し履歴のレイアウト例を説明するための図である。図１１に示すように、この例の書き戻し履歴は、書き戻し日時、書き戻し先、データＩＤ、データ属性、生成日時、データサイズ、その他の情報からなるものである。
【０１８２】
ここで、書き戻し日時は、書き戻しデータを生成して目的とする電子機器に提供するようにした日時を示す情報であり、書き戻し先は、生成した書き戻しデータを提供した相手先の電子機器を特定する機器ＩＤなどの情報である。また、データＩＤは、提供した書き戻しデータのデータＩＤを、データ属性は、書き戻しデータが静止画像データなのか、動画像データなのか、音声データなのか等の書き戻しデータの種類を示す情報である。
【０１８３】
また、生成日時は、当該書き戻しデータを生成した日時を、データサイズは当該書き戻しデータの大きさをそれぞれ示す情報である。また、その他の情報としては、当該書き戻しデータについてのコメント等、種々の情報を付加することができるようにされる。
【０１８４】
そして、図１１に示したような書き戻し履歴をサーバ装置２が記憶保持しておくことにより、サーバ装置２においては、いつ、どのようなデータ属性の書き戻しデータを生成して、それをいつ、どの電子機器に書き戻すようにしたのかを正確に把握することができるようにされる。
【０１８５】
［データ通信システムを構成する機器の動作について］
次に、図１〜図１１を用いて説明したこの実施の形態のデータ通信システムを構成する各機器毎に、その動作について詳細に説明する。以下においては、この実施の形態のデータ通信システムの中心に位置するクレードル１、クレードル１を介してデータ管理を行うサーバ装置２、クレードル１に載置されるモバイル機器４の順に、各機器の動作について詳細に説明する。なお、モバイル機器４は、上述もしたようにデジタルスチルカメラであるものとする。
【０１８６】
［クレードル１の処理について］
図１２は、この実施の形態のデータ通信システムのクレードル１において行われる処理を説明するためのフローチャートである。この図１２に示す処理は、クレードル１において電源が投入された状態にあるときに主に制御部１１と送受信制御部１７とによって実行される。なお、上述もしたように、この実施の形態のクレードル１に対しては、１度に複数のモバイル機器を載置することが可能であり、モバイル機器の載置可能最大台数分の図１２に示す処理が、いわゆるマルチタスクで実行することができるようにしている。
【０１８７】
そして、電源が投入されると、クレードル１の制御部１１は、載置検出部１６を制御して、モバイル機器の載置検出を開始し、モバイル機器が自機に載置されたか否かを判断する（ステップＳ１０１）。ステップＳ１０１の判断処理において載置されていないと判断したときには、モバイル機器の載置検出を繰り返すようにし、モバイル機器が載置されるのを待つ。
【０１８８】
ステップＳ１０１の判断処理において、モバイル機器が載置されたと判断したときには、制御部１１は、図７Ｂを用いて説明した機器ＩＤ問合せコマンドデータを形成し、これを送受信制御部１７が無線通信部１５ａ、送受信アンテナ１５ｂを制御して、これらを通じて新たに載置されたモバイル機器４に送信する（ステップＳ１０２）。
【０１８９】
次に、クレードル１の送受信制御部１７は、送受信アンテナ１５ｂ、無線通信部１５ａを通じて、モバイル機器４からの図７Ｃを用いて説明した機器ＩＤ応答を受信するようにし、これを外部Ｉ／Ｆ１４ａ、入出力端１４ｂを通じてサーバ装置に報告するようにする（ステップＳ１０３）。
【０１９０】
次に、制御部１１は、充電制御部１９を制御し、新たに載置されたモバイル機器４について、充電が必要か否かを確認する（ステップＳ１０４）。このステップＳ１０４の処理は、モバイル機器４のバッテリの電圧などを検出するなど、電気的な検出処理によって検出することが可能である。
【０１９１】
そして、制御部１１は、ステップＳ１０４の確認結果に基づいて、新たに載置されたモバイル機器４に対して充電が必要か否かを判断し（ステップＳ１０５）、充電が必要であると判断したときには、制御部１１は、充電制御部１９を制御して、新たに載置された当該モバイル機器４のバッテリに対して充電を開始させるようにする（ステップＳ１０６）。また、ステップＳ１０５の判断処理において、充電は必要ないと判断したときには、ステップＳ１０７の処理に進む。
【０１９２】
そして、ステップＳ１０６の処理の後、あるいは、ステップＳ１０５の判断処理において、充電は必要ないと判断したときには、以降の一連の中継処理を行う。すなわち、まず、送受信制御部１７は、入出力端１４ｂ、外部Ｉ／Ｆ１４ａを通じてサーバ装置２からの蓄積データリスト要求を受信し、これを無線通信部１５ａ、送受信アンテナ１５ｂを通じてモバイル機器４に送信する（ステップＳ１０７）。
【０１９３】
次に、送受信制御部１７は、送受信アンテナ１５ｂ、無線通信部１５ａを通じてモバイル機器４からの蓄積データリストを受信し、これを外部Ｉ／Ｆ１４ａ、入出力端１４ｂを通じてサーバ装置２に送信する（ステップＳ１０８）。次に、送受信制御部１７は、入出力端１４ｂ、外部Ｉ／Ｆ１４ａを通じてサーバ装置２からの新規蓄積データ要求を受信し、これを無線通信部１５ａ、送受信アンテナ１５ｂを通じてモバイル機器４に送信する（ステップＳ１０９）。
【０１９４】
次に、送受信制御部１７は、送受信アンテナ１５ｂ、無線通信部１５ａを通じてモバイル機器４からの新規蓄積データを受信し、これを外部Ｉ／Ｆ１４ａ、入出力端１４ｂを通じてサーバ装置２に送信する（ステップＳ１１０）。次に、送受信制御部１７は、入出力端１４ｂ、外部Ｉ／Ｆ１４ａを通じてサーバ装置２からの蓄積データ消去要求を受信し、これを無線通信部１５ａ、送受信アンテナ１５ｂを通じてモバイル機器４に送信する（ステップＳ１１１）。
【０１９５】
次に、送受信制御部１７は、送受信アンテナ１５ｂ、無線通信部１５ａを通じてモバイル機器４からの消去処理完了報告を受信し、これを外部Ｉ／Ｆ１４ａ、入出力端１４ｂを通じてサーバ装置２に送信する（ステップＳ１１２）。次に、送受信制御部１７は、入出力端１４ｂ、外部Ｉ／Ｆ１４ａを通じてサーバ装置２からの書き戻しデータを受信し、これを無線通信部１５ａ、送受信アンテナ１５ｂを通じてモバイル機器４に送信する（ステップＳ１１３）。
【０１９６】
そして、送受信制御部１７は、送受信アンテナ１５ｂ、無線通信部１５ａを通じてモバイル機器４からの書き戻しデータ保存完了報告を受信し、これを外部Ｉ／Ｆ１４ａ、入出力端１４ｂを通じてサーバ装置２に送信する（ステップＳ１１４）。このように、ステップＳ１０７〜ステップＳ１１４までの処理により、サーバ装置２とモバイル機器４との間の一連の中継処理が行われる。
【０１９７】
なお、ステップＳ１１０の蓄積データの中継処理や、ステップＳ１１３の書き戻しデータの中継処理においては、中継すべき蓄積データや書き戻しデータが多数存在する場合もあり、ステップＳ１１０、ステップＳ１１３においては、多数のデータの転送処理が行われる場合ももちろんある。
【０１９８】
そして、クレードル１の制御部１１は、充電制御部１９を制御して、モバイル機器４のバッテリの充電容量を確認するようにし（ステップＳ１１５）、モバイル機器４に対する充電が完了したか否かを確認する（ステップＳ１１６）。ステップＳ１１６の確認処理において、未だ充電が完了していないと判断したときには、ステップＳ１１５からの処理を繰り返し、充電処理を続行する。ステップＳ１１６の判断処理において、モバイル機器４に対する充電が完了したと判断したときには、モバイル機器４への充電を終了するようにする所定の処理を実行し（ステップＳ１１７）、この図１２に示す処理を終了する。
【０１９９】
なお、この図１２に示した例の場合には、ステップＳ１１５において充電容量を確認して、ステップＳ１１６で充電が完了したか否かを判断するようにしたが、これに限るものではない。ステップＳ１０５の判断処理において、充電が必要か否かを判断し、充電が必要でない場合には、充電処理を行っていないので、ステップＳ１１５の充電容量の確認の前に、充電実行中か否か（電力をモバイル機器４に供給しているか否か）を判断し、充電を実行していないと判断したときには、ステップＳ１１５〜ステップＳ１１７の処理を行うことなく、図１２に示す処理を終了させるようにすることもできる。
【０２００】
［サーバ装置２の処理について］
図１３は、この実施の形態のデータ通信システムのサーバ装置２において行われる処理を説明するためのフローチャートである。この図１３に示す処理は、サーバ装置２において電源が投入された状態にあるときに主に制御部２１と送受信制御部２７とによって実行される。
【０２０１】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤを受信したか否かを判断する（ステップＳ２０１）。ステップＳ２０１の判断処理において、まだ機器ＩＤを受信していないと判断したときには、ステップＳ２０１からの処理を繰り返し、クレードル１に載置されたモバイル機器の機器ＩＤの受信待ちとなる。
【０２０２】
ステップＳ２０１の判断処理において、クレードル１からの機器ＩＤを受信したと判断したときには、クレードル１に新たにモバイル機器４が載置されたと分かるので、制御部１１は、蓄積データリスト要求を生成し、これを送受信制御部２７が、外部Ｉ／Ｆ２６ａ、入出力端２６ｂを通じて送信するようにし、クレードル１を介して、クレードル１に新たに載置されたモバイル機器４に送信するようにする（ステップＳ２０２）。
【０２０３】
次に、送受信制御部２７は、クレードル１を介して送信されてくる蓄積データリストを入出力端２６ｂ、外部Ｉ／Ｆ２６ａを通じて受信して、これを例えばＨＤＤ３０の所定の領域に格納する（ステップＳ２０３）。そして、制御部２１は、ステップＳ２０３において格納した蓄積データリストと、過去に当該モバイル機器４から提供を受けて格納している蓄積データとに基づいて、当該モバイル機器４から未だ提供を受けていない蓄積データを特定し、この特定した蓄積データの提供を要求するための新規蓄積データ要求を形成し、これを送受信制御部２７が、外部Ｉ／Ｆ２６ａを通じて送信して、クレードル１を介してクレードル１に載置されたモバイル機器４に送信するようにする（ステップＳ２０４）。
【０２０４】
次に、送受信制御部２７は、クレードル１を介して送信されてくる新規蓄積データを入出力端２６ｂ、外部Ｉ／Ｆ２６ａを通じて受信して、これを例えばＨＤＤ３０の所定の領域に保存する（ステップＳ２０５）。なお、モバイル機器４から送信されてくる新規蓄積データは複数存在する場合もあり、ステップＳ２０５においては、モバイル機器４からの新規蓄積データを順次に受信して、ＨＤＤ３０の所定の領域に保存することができるようにしている。
【０２０５】
そして、サーバ装置２の制御部２１は、ＨＤＤ３０の所定の領域に保存したモバイル機器４からの蓄積データの内、モバイル機器４から消去可能な蓄積データである消去対象データを洗い出す処理を実行する（ステップＳ２０６）。このステップＳ２０６における消去対象データ洗い出し処理は、詳しくは後述するが、洗い出し対象の保存した蓄積データに付加されている情報に基づいて、あるいは、当該蓄積データを解析することにより、重要な蓄積データであるか否かを予測するようにし、重要であると予測された蓄積データについては消去対象とはしないが、それ以外の蓄積データについては消去対象とするようにしている。
【０２０６】
そして、サーバ装置２の制御部２１は、ステップＳ２０５において洗い出した消去対象データをモバイル機器４の画像記憶部４４から消去するようにするための蓄積データ消去要求を形成し、これを送受信制御部２７に制御により、外部Ｉ／Ｆ２６ａ、入出力端２６ｂを通じて送信して、クレードル１を介してモバイル機器４に送信するようにする（ステップＳ２０７）。
【０２０７】
次に、サーバ装置２の送受信制御部２７は、入出力端２６ｂ、外部Ｉ／Ｆ２６ａを通じて、蓄積データ消去要求を送信した相手先のモバイル機器４から送信されてくる消去処理完了報告を受信するようにする（ステップＳ２０８）。この後、詳しくは後述するが、サーバ装置２の制御部２１は、モバイル機器４から提供を受けてＨＤＤ３０に保存すると共にモバイル機器４から消去するようにした蓄積データから、モバイル機器４に対して形式を変えて書き戻すようにする書き戻しデータ作成する（ステップＳ２０９）。
【０２０８】
そして、サーバ装置２の送受信制御部２７は、ステップＳ２０９において作成した書き戻しデータを、外部Ｉ／Ｆ２６ａ、入出力端２６ｂを通じて送信して、クレードル１を介してモバイル機器４に送信するようにする（ステップＳ２１０）。この後、サーバ装置２の送受信制御部２７は、入出力端２６ｂ、外部Ｉ／Ｆ２６ａを通じて、モバイル機器４からクレードル１を介して送信されてくる書き戻しデータの保存完了報告を受信するようにして（ステップＳ２１１）、この図１３に示す処理を終了する。
【０２０９】
なお、ここでは、通信処理が支障なく、行うようにされた場合を例にして説明したが、例えば、サーバ装置２からモバイル機器４に何らかの要求を送信し、これに応答がない場合などにおいては、再度の要求の送信を行ったり、応答要求を送信したりすることができるようにされる。
【０２１０】
例えば、ステップＳ２０８において、消去処理完了報告を所定時間内に受信しなかった場合には、蓄積データの消去処理が行われたか否かの確認要求を送信したり、ステップＳ２１１において、保存完了報告を所定時間内に受信しなかった場合には、書き戻しデータが保存されたか否かの確認要求を送信したりすることができる。そして、その応答に応じて、元の要求を再度送信するなど、適切に処理することができるようにされる。
【０２１１】
また、バックアップすべき蓄積データが存在しない場合には、一連の処理を終了させるようにしたり、新たに利用可能になったコンテンツデータを提供するようにしたりして、一連の処理を終了させるようにすることもできる。
【０２１２】
［消去対象データ洗い出し処理について］
次に、図１３に示した処理のステップＳ２０６において行われる消去対象データの洗い出し処理について説明する。図１４は、図１３のステップＳ２０６において行われる消去対象データの洗い出し処理を説明するためのフローチャートである。この図１４に示す処理は、サーバ装置２の制御部２１において行われる処理である。
【０２１３】
まず、制御部２１は、図１３に示したステップＳ２０５において取得した一連の新規蓄積データの先頭に位置付ける（ステップＳ２０６１）。そして、位置付けた新規蓄積データについて、消去対象となるか否かの判定処理を行う（ステップＳ２０６２）。このステップＳ２０６２の処理は、詳しくは後述もするが、新規蓄積データのそれぞれの付随情報に基づいて、あるいは、新規蓄積データを解析することにより、その新規蓄積データが消去対象となるか否かを判断する処理である。
【０２１４】
この後、制御部２１は、今回、消去判定処理の対象となった新規蓄積データは、ステップＳ２０５で取得して保存した最後の新規蓄積データか否かを判断する（ステップＳ２０６３）。すなわち、ステップＳ２０６３の判断処理は、ステップＳ２０５で取得した全ての新規蓄積データについて、消去判定処理が終了したか否かを判断する処理である。
【０２１５】
ステップＳ２０６３の判断処理において、未だ全ての新規蓄積データについて、消去判定処理を行っていないと判断した時には、次の新規蓄積データに位置付け（次の新規蓄積データを処理対象とするようにし）（ステップＳ２０６４）、ステップＳ２０６２からの処理を繰り返すようにする。また、ステップＳ２０６３の判断処理において、全ての新規蓄積データについて、消去判定処理を終了したと判断した時には、この図１４に示す処理を終了し、図１３に示した処理に戻り、ステップＳ２０７からの処理を実行するようにする。
【０２１６】
次に、図１４のステップＳ２０６２で行われる消去判定処理について具体的に説明する。図１５は、図１４に示したステップＳ２０６２において行われる各新規蓄積データについての消去判定処理を説明するためのフローチャートである。上述もしたように、クレードル１に載置されたモバイル機器４は、上述もしたようにデジタルスチルカメラであり、モバイル機器４からサーバ装置２に提供される蓄積データは静止画像データであるものとして説明する。
【０２１７】
サーバ装置２の制御部２１は、判定対象の新規蓄積データのヘッダ部の情報を確認する処理を行う。すなわち、モバイル機器４からサーバ装置２に供給される静止画像データである蓄積データは、図９を用いて説明したレイアウトのデータであり、制御部２１は、まず、ヘッダ部のプロテクト情報を確認し、削除プロテクトされているか否か（プロテクト情報がオンになっているか否か）を判断する（ステップＳ６２０１）。
【０２１８】
ステップＳ６２０１の判断処理において、削除プロテクトはされていないと判断したときには、ヘッダ部の印刷マークを確認し、印刷マーキングがあるか否かを判断する（ステップＳ６２０２）。ステップＳ６２０２の判断処理において、印刷マーキングがされていないと判断したときには、制御部２１は、ヘッダ部の使用回数を確認し、読み出し回数（使用回数）が予め決められた一定回数以上か否かを判断する（ステップＳ６２０３）。
【０２１９】
ステップＳ６２０３の判断処理において、読み出し回数が一定回数以上ではないと判断したときには、制御部２１は、当該蓄積データの静止画像データについて画像認識処理を行う（ステップＳ６２０４）。このステップＳ６２０４の画像認識処理は、処理対象の静止画像データについて、輪郭認識や色認識などを行って、人物の画像が含まれるものであるかを判別できるようにする処理である。
【０２２０】
そして、制御部２１は、ステップＳ６２０４の画像認識処理の結果に基づいて、処理対象の静止画像データは、人物の顔が存在する静止画像データであるか否かを判断する（ステップＳ６２０５）。ステップＳ６２０５の判断処理において、処理対象の蓄積データ（静止画像データ）が人物の顔を含まないものであると判断したときには、当該蓄積データ（静止画像データ）は重要な情報ではないと予測し、当該静止画像データを消去画像として特定して（ステップＳ６２０６）、この図１５に示した処理を終了し、図１４に示した処理のステップＳ２０６３からの処理を実行する。
【０２２１】
また、ステップＳ６２０１の判断処理において、削除プロテクトがされていると判断した場合と、ステップＳ６２０２の判断処理において、印刷マーキングがされていると判断した場合と、ステップＳ６２０３の判断処理において、読み出し回数が一定回数以上であると判断した場合と、ステップＳ６２０５の判断処理において、処理対象の蓄積データ（静止画像データ）が人物の顔を含むものであると判断した場合とにおいては、処理対象の新規蓄積データは重要なデータであると予測し、当該新規蓄積データを残す画像として特定して（ステップＳ６２０７）、この図１５に示した処理を終了し、図１４に示した処理のステップＳ２０６３からの処理を実行する。
【０２２２】
すなわち、処理対象の新規蓄積データが削除プロテクトのかけられたものであれば、削除したくないほど重要なものであると判断することができるし、また、印刷マーキングが付され、必ず印刷するようにされている新規蓄積データについても、必ず印刷する必要があるほど重要なものであると判断することができる。
【０２２３】
また、使用回数が予め決められた一定回数以上使用されていることを示していれば、その蓄積データは使用頻度の高い重要な蓄積データであると判断することができる。そして、静止画像データの場合、記念に残すなどの目的で人物を撮影することにより得るようにしたものが多い。そこで、蓄積データである静止画像データについて画像認識処理を行って、人物の顔が存在すると判別された静止画像データについても、重要な蓄積データであると判断することができる。
【０２２４】
このため、上述したように、図１５に示した各判断処理の何れかにおいて、処理対象の蓄積データが重要なものであると予測できた場合には、その蓄積データについては残すデータとして特定し、図１５に示した各判断処理の何れにおいても、処理対象の蓄積データが重要なものであるとは予測できなかった場合には、その蓄積データについては消去するデータとして特定するようにしている。
【０２２５】
このようにして、図１３のステップＳ２０６においては、図１４、図１５のフローチャートを用いて説明した処理を通じて消去対象データを洗い出し、この洗い出した消去対象データをモバイル機器４から削除して、モバイル機器４の画像記憶部４４の記憶容量を効率よく使用することができるようにしている。
【０２２６】
［書き戻しデータ作成処理について］
次に、図１３に示した処理のステップＳ２０９において行われる書き戻しデータ作成処理について説明する。図１６は、図１３のステップＳ２０９において実行される書き戻しデータの作成処理について説明するための図である。
【０２２７】
上述もしたように、図１３に示したステップＳ２０９においては、どのような形式の書き戻しデータを作成するかを決めなければならない。このため、この実施の形態のサーバ装置２の制御部２１は、図１３に示したステップＳ２０９においては、図１６に示した処理を実行し、まず、書き戻しデータの形式を特定する処理を行う（ステップＳ２０９１）。
【０２２８】
ここでは、図１６に示したように、サーバ装置２の制御部２１は、クレードル１を介して送信されてくる機器ＩＤ応答に含まれる機器属性に基づいて、あるいは、図１１に示したように形成される書き戻し履歴に基づいて、あるいは、提供を受けた新規蓄積データのデータ属性に基づいて、あるいは、ユーザーからの指示入力に基づいて、書き戻すデータの形式を特定する。
【０２２９】
すなわち、機器属性は、上述もしたように、クレードル１に載置されたモバイル機器４が、デジタルスチルカメラなのか、デジタルビデオカメラなのか、携帯型音楽再生装置なのか等、モバイル機器４の種類を示す情報である。そこで、モバイル機器４の機器属性が、デジタルスチルカメラであることを示すものである場合には、静止画像データの縮小画像を書き戻しデータとするように特定することができる。
【０２３０】
また、モバイル機器４の機器属性が、デジタルビデオカメラであることを示すものである場合には、動画像データについてのダイジェスト版の動画像データを書き戻しデータとするように特定することができる。また、モバイル機器４の機器属性が、携帯型音楽再生装置であることを示すものである場合には、音楽データの一部を抽出するようにしたデータを書き戻しデータとするように特定することができる。
【０２３１】
もちろん、携帯電話端末のように、静止画像データ、動画像データ、音声データの何れをも蓄積データとして記憶保持できるものも存在するし、また、デジタルスチルカメラであるが動画像データを扱えるものもあるし、デジタルビデオカメラであるが静止画像データを扱えるものも存在する。
【０２３２】
そこで、書き戻しデータを提供する先のモバイル機器４に対して既に書き戻しデータを転送して書き戻すようにしている場合には、図１１に示したように書き戻し履歴が作成されているので、この書き戻し履歴のデータ属性に基づいて、書き戻しデータの形式を特定することもできる。
【０２３３】
すなわち、書き戻し履歴情報は、いつ、どのモバイル機器に、どのような書き戻しデータを書き戻すようにしたのかを示す情報であるので、書き戻し先のモバイル機器が特定されれば、そのモバイル機器に対して転送した書き戻しデータのデータ属性に基づいて、書き戻しデータの形式を特定することが可能となる。
【０２３４】
したがって、書き戻し履歴のデータ属性が、静止画像データである場合には、静止画像データの縮小画像を書き戻しデータとするように特定することができる。また、書き戻し履歴のデータ属性が、動画像データであることを示すものである場合には、動画像データについてのダイジェスト版の動画像データを書き戻しデータとするように特定することができる。また、書き戻し履歴のデータ属性が、音楽データである場合には、音楽データの一部を抽出するようにしたデータを書き戻しデータとするように特定することができる。
【０２３５】
また、モバイル機器４に蓄積されている蓄積データのデータ属性に応じて書き戻しデータの形式を特定することもできる。すなわち、蓄積データ属性が、静止画像データである場合には、静止画像データの縮小画像を書き戻しデータとするように特定することができる。また、蓄積データ属性が、動画像データであることを示すものである場合には、動画像データについてのダイジェスト版の動画像データを書き戻しデータとするように特定することができる。また、蓄積データ属性が、音楽データである場合には、音楽データの一部を抽出するようにしたデータを書き戻しデータとするように特定することができる。
【０２３６】
この場合、モバイル機器４に蓄積されている蓄積データのデータ属性は、サーバ装置２からクレードル１を介してモバイル機器４に問合せを行うようにしてもよし、既にモバイル機器４から提供を受けている新規蓄積データのデータ属性を用いるようにしてもよい。
【０２３７】
また、サーバ装置２が操作部２３やリモコン２５を通じて受け付けるユーザーからの指示入力に応じて、書き戻しデータの形式を特定するようにすることも可能である。すなわち、操作部２３やリモコン２５を操作することにより、書き戻しデータの形式の選択入力画面をサーバ装置２に接続されるモニタ受像機に表示し、この書き戻しデータの形式の選択入力画面と操作部２３あるいはリモコン２５を通じて、書き戻しデータの形式の選択入力を行うようにする。このようにして入力された書き戻しデータの形式に基づいて、制御部２１が書き戻しデータの形式を特定するようにしてもよい。
【０２３８】
そして、ステップＳ２０９１において、書き戻しデータの形式を特定した後、制御部２１は、ステップＳ２０９１において特定した形式の書き戻しデータを作成する（ステップＳ２０９２）。この実施の形態において、書き戻しデータは、上述もしたように、モバイル機器４から提供を受けてＨＤＤ３０に保存すると共にモバイル機器４から消去するようにした蓄積データから形式を変えた書き戻しデータ作成するようにしている。
【０２３９】
［書き戻しデータの他の例について］
なお、この実施の形態においては、書き戻しデータは、モバイル機器４から提供を受けてＨＤＤ３０に保存すると共にモバイル機器４から消去するようにした蓄積データから形成するものとして説明した。しかし、これに限るものではない。モバイル機器４に蓄積データが全く存在しない場合もあるし、また、モバイル機器が携帯音楽再生装置などの場合には、蓄積データが元々サーバ装置にあるので蓄積データのバックアップを取らないようにする場合もある。
【０２４０】
このような場合には、書き戻しデータは、サーバ装置２がモバイル機器４から提供を受けた蓄積データから形成することはできない。そこで、例えば、モバイル機器４において新たに利用可能になったコンテンツデータのサムネイル画像やダイジェスト版の動画像データ、あるいは、試聴版の音楽データ等を書き戻しデータとして提供するようにしてもよい。
【０２４１】
すなわち、サーバ装置２がモバイル機器４から蓄積データの提供を受けていない場合には、ステップＳ２０９１において特定するようにした書き戻しデータの形式にしたがって、モバイル機器に提供する提供データの形式を特定し、この特定した形式の提供データを書き戻しデータとして提供するようにすることができる。
【０２４２】
例えば、ステップＳ２０９１の処理により、モバイル機器４に提供する書き戻しデータの形式がリサイズした画像データである場合には、インターネットなどを通じて新たに取得した静止画像データの縮小画像を形成して、これをモバイル機器４に提供するようにすることができる。また、モバイル機器４に提供する書き戻しデータの形式がダイジェスト版の動画像データである場合には、インターネットなどを通じて新たに取得した動画像データのダイジェスト版を形成して、これをモバイル機器４に提供するようにすることができる。また、モバイル機器４に提供する書き戻しデータの形式が音楽データの一部分のデータすなわち、試聴版の音楽データである場合には、インターネットなどを通じて新たに取得した試聴版の音楽データをモバイル機器４に提供するようにすることができる。
【０２４３】
このように、サーバ装置２からモバイル機器４への書き戻しデータは、モバイル機器４から提供を受けた蓄積データに基づいて形成されるものだけでなく、提供可能なデータや、提供可能なデータから形成したデータ等を、書き戻しデータとしてモバイル機器４に提供することもできるようにされる。
【０２４４】
［モバイル機器４の処理について］
図１７は、この実施の形態のデータ通信システムのモバイル機器４において行われる処理を説明するためのフローチャートである。この図１７に示す処理は、モバイル機器４が例えば充電モード等、クレードル１に載置され、データ通信と充電処理とを行うようにする所定のモードとされた場合に、モバイル機器４の主に制御部４１と送受信制御部４７と画像消去制御部４８によって実行される処理である。
【０２４５】
まず、所定のモードに切り替えられると、送受信制御部４７は、送受信アンテナ４５ｂ、無線通信部４５ａを通じて、クレードル１からの機器ＩＤ問合せを受信したか否かを判断する（ステップＳ３０１）。ステップＳ３０１の判断処理において、機器ＩＤ問合せを受信していないと判断したときには、ステップＳ３０１からの処理を繰り返し、機器ＩＤ問合せの受信待ちとなる。
【０２４６】
ステップＳ３０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを送受信制御部４７が、無線通信部４５ａ、送受信アンテナ４５ｂを通じてクレードル１に送信する（ステップＳ３０２）。
【０２４７】
そして、送受信制御部４７は、送受信アンテナ４５ｂ、無線通信部４５ａを通じて、クレードル１を介してサーバ装置２から送信されてくる蓄積データリスト要求を受信し（ステップＳ３０３）、これに応じて制御部４１が図８を用いて説明したような蓄積データリストを形成して、これを送受信制御部４７が、無線通信部４５ａ、送受信アンテナ４５ｂを通じて送信し、クレードル１を介してサーバ装置２に送信するようにする（ステップＳ３０４）。
【０２４８】
次に、送受信制御部４７は、送受信アンテナ４５ｂ、無線通信部４５ａを通じて、クレードル１を介してサーバ装置２から送信されてくる新規蓄積データ要求を受信し（ステップＳ３０５）、これに応じて制御部４１が図９を用いて説明したような形式の新規蓄積データを自機の画像記憶４４から抽出して、これを送受信制御部４７が、無線通信部４５ａ、送受信アンテナ４５ｂを通じて送信し、クレードル１を介してサーバ装置２に送信するようにする（ステップＳ３０６）。
【０２４９】
次に、送受信制御部４７は、送受信アンテナ４５ｂ、無線通信部４５ａを通じて、クレードル１を介してサーバ装置２から送信されてくる蓄積データ消去要求を受信し（ステップＳ３０７）、これに応じて制御部４１が自機の画像記憶部４４に記憶保持している蓄積データの内、消去が指示された蓄積データを消去する処理を実行する（ステップＳ３０８）。この後、制御部４１は、消去処理完了報告を形成し、これを送受信制御部４７が、無線通信部４５ａ、送受信アンテナ４５ｂを通じて送信し、クレードル１を介してサーバ装置２に送信するようにする（ステップＳ３０９）。
【０２５０】
そして、送受信制御部４７は、送受信アンテナ４５ｂ、無線通信部４５ａを通じて、クレードル１を介してサーバ装置２から送信されてくる書き戻しデータを受信し（ステップＳ３１０）、これを自機の画像記憶部４４に保存する（ステップＳ３１１）。この後、制御部４１は、保存完了報告を形成し、これを送受信制御部４７が、無線通信部４５ａ、送受信アンテナ４５ｂを通じて送信し、クレードル１を介してサーバ装置２に送信するようにして（ステップＳ３１２）、この図１７に示す処理を終了する。
【０２５１】
［画像消去処理について］
図１８は、図１７に示した処理のステップＳ３０８において行われる画像データ消去処理（蓄積データ消去処理）について説明するためのフローチャートである。蓄積データ消去要求は、消去すべき複数の蓄積データを指示してくる場合があるので、制御部４１は、画像記憶部４４に記憶されている画像データ（蓄積データ）において、蓄積データ消去要求によって指示された最初の消去対象データに位置付け（ステップＳ８０１）、その消去対象データを消去する（ステップＳ８０２）。
【０２５２】
そして、制御部４１は、ステップＳ８０２において消去するようにした消去対象データが適切に消去されたか否かを判断する（ステップＳ８０３）。この判断処理は、制御部４１のＲＡＭ４１３に更新するようにされる処理状態を示すステイタスに基づいて判断することができる。
【０２５３】
ステップＳ８０３の判断処理において、例えば、消去対象データに削除プロテクトかかけられているなどして削除できなかった場合には、制御部４１は表示部４９を制御して、その旨のエラーメッセージを表示部４９の表示画面に表示し（ステップＳ８０４）、この後にこの図１８に示す処理を終了する。
【０２５４】
ステップＳ８０３の判断処理において、消去対象データが適切に消去されたと判断したときには、制御部４１は、消去した消去対象データが最後の消去対象データか否かを判断する（ステップＳ８０５）。ステップＳ８０５の判断処理において、今回消去した消去対象データが最後の消去対象データではないと判断したときには、制御部４１は、蓄積データ消去要求に応じて、次の消去対象データを消去対象とするように位置付けて（ステップＳ８０６）、ステップＳ８０２からの処理を繰り返す。
【０２５５】
ステップＳ８０５の判断処理において、今回消去した消去対象データが最後の消去対象データであると判断したときには、制御部４１は、図１８に示す処理を終了し、図１７に示した処理に戻って、ステップＳ３０９からの処理を行うようにする。
【０２５６】
［この実施の形態のまとめ］
図１〜図１８を用いて説明したように、この実施の形態のデータ通信システムの場合には、種々のモバイル機器４を、サーバ装置２に接続されたクレードル１に載置するだけで、サーバ装置２がクレードル１を介してモバイル機器４にアクセスするようにして、モバイル機器４に蓄積されている蓄積データのバックアップをサーバ装置２に取るようにすると共に、バックアップした蓄積データの内、モバイル機器４の記憶部から消去可能な蓄積データを特定して、その特定した消去可能な蓄積データをモバイル機器４の記憶部から消去することにより記憶部の有効活用を図り、さらに、モバイル機器４が必要とする情報を自動的に提供することができるようにしている。
【０２５７】
すなわち、モバイル機器４をクレードル１に載置するだけで、クレードル１とサーバ装置２とが協働してクレードル１に載置されたモバイル機器４に対して働きかけて、モバイル機器４のデータバックアップ、モバイル機器４の記憶部（メモリ）の整理、モバイル機器４への必要情報の提供までおも自動的に行うようにすることができる。したがって、モバイル機器４に蓄積されている蓄積データをバックアップするために時間や手間をかけることも無く、必要なデータについては、モバイル機器４に残すようにしたり、新たに提供するようにしたりして、モバイル機器４を十分に、また、柔軟に使いこなすことができるようしている。
【０２５８】
なお、モバイル機器４への必要情報の提供は、上述した実施の形態のデータ通信システムにおいては、モバイル機器４からサーバ装置２にバックアップした後に、モバイル機器４の画像記憶部４４から削除するようにした静止画像データから形成した縮小画像データを書き戻しデータとして作成して書き戻すようにした。しかし、これに限るものではない。
【０２５９】
上述もしたように、モバイル機器４からサーバ装置２にバックアップする蓄積データが存在しない場合もあるし、携帯型音楽再生装置のように、携帯型音楽再生装置に蓄積されている音楽データはサーバ装置２側に既に存在するためにバックアップする必要のないものである場合もある。
【０２６０】
このため、［書き戻しデータの他の例］として既に説明したように、サーバ装置２が、クレードル１を介して、例えば、モバイル機器４において新たに利用可能になったコンテンツデータのサムネイル画像やダイジェスト版の動画像データ、あるいは、試聴版の音楽データ等を書き戻しデータとしてモバイル機器４に提供して、モバイル機器４の格納部に格納し、当該モバイル機器４において利用可能にすることもできる。
【０２６１】
また、どのようなデータをモバイル機器４に提供するかは、図１６に示した書き戻しデータ作成処理において説明したように、モバイル機器４の機器属性、モバイル機器４の書き戻しデータの書き戻し履歴、モバイル機器４に蓄積されているデータのデータ属性、ユーザーからの指示に応じて、モバイル機器４において利用可能なデータの形式を特定し、その特定した形式のデータを提供すればよい。
【０２６２】
［データ通信システムの変形例について］
上述した実施の形態のデータ通信システムの場合には、図５、図６を用いて説明したように、クレードル１に載置されたモバイル機器４にバックアップする蓄積データが存在するか否かの判断は、サーバ装置２からの要求に応じてモバイル機器４から提供される蓄積データリストに基づいてサーバ装置２側で行うようにした。しかし、これに限るものではない。クレードル１に載置されたモバイル機器４にバックアップする蓄積データが存在するか否かの判断をクレードル１において行うことにより、サーバ装置２の負荷を軽減すると共に、処理の迅速化を図るようにすることもできる。
【０２６３】
この変形例のデータ通信システムも、上述したデータ通信システムと同様に、図１に示した構成を有し、クレードル１、サーバ装置２、モバイル機器４は、図２、図３、図４に示した構成を有するものである。したがって、この変形例においても、クレードル１に載置されるモバイル機器４は、デジタルスチルカメラであるものとする。そして、この変形例においての各機器の機能は、上述した実施の形態の場合とは若干異なっている。
【０２６４】
図１９は、この実施の形態のデータ通信システムの変形例について説明するためのシーケンス図である。この変形例の場合においても、クレードル１は、自機に電源が投入された状態にあるときには、載置検出部１６の機能により、所定の間隔ごとにモバイル機器４が載置されたか否かを判断する（ステップＳ３１）。この変形例においても、クレードル１に対しては、１度に複数台のモバイル機器を載置することができるようにされており、新たなモバイル機器が載置される毎にモバイル機器が載置されたことを検出することができるようにしている。
【０２６５】
そして、ステップＳ３１の判断処理において、モバイル機器４は載置されていないと判断したときには、ステップＳ３１の判断処理を繰り返し、モバイル機器の載置待ちとなる。また、ステップＳ３１の判断処理において、モバイル機器４が載置されたと判断した場合には、クレードル１は、新たに載置されたモバイル機器４に対して充電を開始する処理を行うようにする（ステップＳ３２）。
【０２６６】
この後、クレードル１は、送受信制御部１７が無線通信部１５ａを制御し、自機に新たに載置されたモバイル機器４に対して、機器ＩＤ問合せを送信する（ステップＳ３３）。モバイル機器４は、送受信アンテナ４５ｂ、無線通信部４５ａを通じてクレードル１からの機器ＩＤ問合せを受信すると、送受信制御部４７が無線通信部４５ａを制御し、自機（モバイル機器４）の機器ＩＤをクレードル１に対して送信する（ステップＳ３４）。
【０２６７】
クレードル１は、送受信アンテナ１５ｂ、無線通信部１５ａを通じて、新たに載置されたモバイル機器４からの機器ＩＤを受信すると、制御部１１が新規蓄積データ有無問合せを形成し、これを送受信制御部１７の制御により、無線通信部１５ａ、送受信アンテナ１５ｂを通じてモバイル機器４に送信する（ステップＳ３５）。
【０２６８】
モバイル機器４は、送受信アンテナ４５ｂ、無線通信部４５ａを通じてクレードル１からの新規蓄積データ有無問い合わせを受信すると、制御部４１が画像記憶部４４に記憶保持されているデータを確認し、今だバックアップされてない新規蓄積データが存在するか否かを確認して、この確認結果に応じて新規蓄積データ有無応答を形成し、これを送受信制御部４７が制御部４１を通じて無線通信部４５ａを制御してクレードル１に対して送信する（ステップＳ３６）。
【０２６９】
なお、上述もしたように、バックアップするようにした蓄積データであっても、重要であるデータについては残すようにされる。このため、既にバックアップしたデータであって、残すようにした静止画像データについては、そのヘッダ部にバックアップ済みフラグを用意し、このバックアップ済みフラグがオンか否かに応じて、新規蓄積データとの区別を行うようにすることができる。
【０２７０】
そして、クレードル１の制御部１１は、受信したモバイル機器４からの新規蓄積データ有無応答に基づいて、バックアップすべき新規蓄積データ（新規静止画像データ）がモバイル機器４に存在するか否かを判断する（ステップＳ３７）。このステップＳ３７において、新規蓄積データは存在しないと判断したときには、サーバ装置２との間の通信を行うことなく、モバイル機器４への充電が完了するまで待ち状態となり（ステップＳ３８）、ステップＳ３８の判断処理において、充電が完了したと判断したときには、モバイル機器４に対する充電処理を終了するようにして（ステップＳ３９）、一連のデータ通信処理を終了する。
【０２７１】
また、ステップＳ３７の判断処理において、新規蓄積データが存在すると判断したときには、クレードル１は、送受信アンテナ１５ｂ、無線通信部１５ａを通じて受信した新たに載置されたモバイル機器４からの機器ＩＤを、送受信制御部１７が外部Ｉ／Ｆ１４ａを制御してサーバ装置２に報告する（ステップＳ４０）。これにより、サーバ装置２は、クレードル１に対して蓄積データを有する新たなモバイル機器が載置されたことを把握する。
【０２７２】
このステップＳ４０の機器ＩＤのサーバ装置への報告後においては、図５、図６に示した処理のステップＳ９からステップＳ２０までの処理が順次に行うようにされる。そして、この場合、クレードル１に載置されたモバイル機器４に新規蓄積データが存在しない場合には、クレードル１とサーバ装置２との間の通信は行われないので、サーバ装置２の負荷を軽減することができる。
【０２７３】
［変形例のデータ通信システムを構成する機器の動作について］
次に、図１９を用いて説明したこの実施の形態のデータ通信システムの変形例における各機器毎の処理について説明する。この場合においても、この変形例のデータ通信システムの中心に位置するクレードル１、クレードル１を介してデータ管理を行うサーバ装置２、クレードル１に載置されるモバイル機器４の順に、各機器の動作について詳細に説明する。
【０２７４】
［クレードル１の処理について］
図２０は、この変形例のデータ通信システムのクレードル１において行われる処理を説明するためのフローチャートである。この図２０に示す処理は、クレードル１において電源が投入された状態にあるときに主に制御部１１と送受信制御部１７とによって実行される。なお、この変形例においても、クレードル１に対しては、１度に複数のモバイル機器を載置することが可能であり、モバイル機器の載置可能最大台数分の図２０に示す処理が、いわゆるマルチタスクで実行することができるようにしている。
【０２７５】
そして、電源が投入されると、クレードル１の制御部１１は、載置検出部１６を制御して、モバイル機器の載置検出を開始し、モバイル機器が自機に載置されたか否かを判断する（ステップＳ４０１）。ステップＳ４０１の判断処理において載置されていないと判断したときには、モバイル機器の載置検出を繰り返すようにし、モバイル機器が載置されるのを待つ。
【０２７６】
ステップＳ４０１の判断処理において、モバイル機器が載置されたと判断したときには、制御部１１は、充電制御部１９を制御し、新たに載置されたモバイル機器４について、充電が必要か否かを確認する（ステップＳ４０２）。このステップＳ４０２の処理は、モバイル機器４のバッテリの電圧などを検出するなど、電気的な検出処理によって検出することが可能である。
【０２７７】
そして、制御部１１は、新たに載置されたモバイル機器４に対して充電が必要か否かを判断し（ステップＳ４０３）、充電が必要であると判断したときには、制御部１１は、充電制御部１９を制御して、新たに載置された当該モバイル機器のバッテリに対して充電を開始させるようにする（ステップＳ４０４）。また、ステップＳ４０３の判断処理において、充電は必要ないと判断したときには、ステップＳ４０５の処理に進む。
【０２７８】
そして、ステップＳ４０４の処理の後、あるいは、ステップＳ４０３の判断処理において、充電は必要ないと判断したときには、以降の一連の中継処理を行う。すなわち、クレードル１の制御部１１は、図７Ｂを用いて説明した機器ＩＤ問合せコマンドデータを形成し、これを送受信制御部１７が無線通信部１５ａ、送受信アンテナ１５ｂを制御して、新たに載置されたモバイル機器４に送信する（ステップＳ４０５）。
【０２７９】
次に、クレードル１の送受信制御部１７は、送受信アンテナ１５ｂ、無線通信部１５ａを通じて、モバイル機器４からの図７Ｃを用いて説明した機器ＩＤ応答を受信するようにする（ステップＳ４０６）。この後、クレードル１の制御部１１は、新規蓄積データ有無問合せを形成して、これを送受信制御部１７が、無線通信部１５ａを制御して、モバイル機器４に送信する（ステップＳ４０７）。
【０２８０】
そして、ステップＳ４０７において送信した新規蓄積データ有無問合せに応じて、モバイル機器４から送信されてくる新規蓄積データ有無応答を、送受信アンテナ１５ｂ、無線通信１５ａを通じて受信する（ステップＳ４０８）。この後、クレードル１の制御部１１は、ステップＳ４０８において受信した新規蓄積データ有無応答に基づいて、新たに載置されたモバイル機器４に新規蓄積データが存在するか否かを判断する（ステップＳ４０９）。
【０２８１】
ステップＳ４０９の判断処理において、新規蓄積データはないと判断したときには、サーバ装置２とは通信を行う必要はないので、クレードル１の制御部１１は、充電制御部１９を制御して、モバイル機器４のバッテリの充電容量を確認するようにし（ステップＳ４１０）、モバイル機器４に対する充電が完了したか否かを判断する（ステップＳ４１１）。
【０２８２】
ステップＳ４１１の判断処理において、未だ充電が完了していないと判断したときには、ステップＳ４１０からの処理を繰り返し、充電処理を続行する。ステップＳ４１１の判断処理において、モバイル機器４に対する充電が完了したと判断したときには、モバイル機器４への充電を終了するようにする所定の処理を実行し（ステップＳ４１２）、この図２０に示す処理を終了する。
【０２８３】
一方、ステップＳ４０９の判断処理において、新規蓄積データが存在する判断したときには、クレードル１の送受信制御部１７は、モバイル機器４から取得した機器ＩＤを外部Ｉ／Ｆ１４ａ、入出力端１４ｂを通じて、サーバ装置２に報告する（ステップＳ４１３）。
【０２８４】
この後、クレードル１の送受信制御部１７は、入出力端１４ｂ、外部Ｉ／Ｆ１４ａを通じてサーバ装置２からの新規蓄積データ要求を受信して、これを無線通信部１５ａ、送受信アンテナ１５ｂを通じてモバイル機器４に送信する（ステップＳ４１４）。
【０２８５】
次に、送受信制御部１７は、送受信アンテナ１５ｂ、無線通信部１５ａを通じてモバイル機器４からの新規蓄積データを受信して、これを外部Ｉ／Ｆ１４ａ、入出力端１４ｂを通じてサーバ装置２に送信する（ステップＳ４１５）。次に、送受信制御部１７は、入出力端１４ｂ、外部Ｉ／Ｆ１４ａを通じてサーバ装置２からの蓄積データ消去要求を受信して、これを無線通信部１５ａ、送受信アンテナ１５ｂを通じてモバイル機器４に送信する（ステップＳ４１６）。
【０２８６】
次に、クレードル１の送受信制御部１７は、送受信アンテナ１５ｂ、無線通信部１５ａを通じてモバイル機器４からの消去処理完了報告を受信して、これを外部Ｉ／Ｆ１４ａ、入出力端１４ｂを通じてサーバ装置２に送信する（ステップＳ４１７）。次に、送受信制御部１７は、入出力端１４ｂ、外部Ｉ／Ｆ１４ａを通じてサーバ装置２からの書き戻しデータを受信し、これを無線通信部１５ａ、送受信アンテナ１５ｂを通じてモバイル機器４に送信する（ステップＳ４１８）。
【０２８７】
そして、クレードル１の送受信制御部１７は、送受信アンテナ１５ｂ、無線通信部１５ａを通じてモバイル機器４からの書き戻しデータ保存完了報告を受信して、これを外部Ｉ／Ｆ１４ａ、入出力端１４ｂを通じてサーバ装置２に送信する（ステップＳ４１９）。このように、この変形例のデータ通信システムにおいても、ステップＳ４１４〜ステップＳ４１９までの処理により、サーバ装置２とモバイル機器４との間の一連の中継処理が行われる。
【０２８８】
なお、ステップＳ４１５の蓄積データの中継処理や、ステップＳ４１８の書き戻しデータの中継処理においては、中継すべき蓄積データや書き戻しデータが多数存在する場合もあり、ステップＳ４１５、ステップＳ４１８においては、多数のデータの転送処理が行われる場合ももちろんある。
【０２８９】
そして、ステップＳ４１９の処理の後、クレードル１の制御部１１は、ステップＳ４１０からステップＳ４１２の処理を実行するようにし、モバイル機器４のバッテリへの充電が完了したら、モバイル機器４への充電を終了するようにする所定の処理を実行して、この図２０に示す処理を終了する。
【０２９０】
なお、この図２０に示した例の場合にも、ステップＳ４１０において充電容量を確認して、ステップＳ４１１で充電が完了したか否かを判断するようにしたが、これに限るものではない。ステップＳ４０３の判断処理において、充電が必要か否かを判断し、充電が必要でない場合には、充電処理を行っていないので、ステップＳ４１０の充電容量の確認の前に、充電実行中か否か（電力をモバイル機器４に供給しているか否か）を判断し、充電を実行していないと判断したときには、ステップＳ４１０〜ステップＳ４１２の処理を行うことなく、図２０に示す処理を終了させるようにすることもできる。
【０２９１】
［サーバ装置２の処理について］
図２１は、この変形例のデータ通信システムのサーバ装置２において行われる処理を説明するためのフローチャートである。この図２１に示す処理は、サーバ装置２において電源が投入された状態にあるときに主に制御部２１と送受信制御部２７とによって実行される。
【０２９２】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤを受信したか否かを判断する（ステップＳ５０１）。ステップＳ５０１の判断処理において、また機器ＩＤを受信していないと判断したときには、ステップＳ５０１からの処理を繰り返し、クレードル１に載置されたモバイル機器の機器ＩＤの受信待ちとなる。
【０２９３】
ステップＳ５０１の判断処理において、クレードル１からの機器ＩＤを受信したと判断したときには、クレードル１に新たにモバイル機器４が載置されたと分かるので、制御部１１は、新規蓄積データの提供を要求するための新規蓄積データ要求を形成し、これを送受信制御部２７が、外部Ｉ／Ｆ２６ａを通じて送信して、クレードル１を介してクレードル１に載置されたモバイル機器４に送信するようにする（ステップＳ５０２）。
【０２９４】
次に、送受信制御部２７は、クレードル１を介して送信されてくる新規蓄積データを入出力端２６ｂ、外部Ｉ／Ｆ２６ａを通じて受信して、これを例えばＨＤＤ３０の所定の領域に保存する（ステップＳ５０３）。なお、モバイル機器４から送信されてくる新規蓄積データは複数存在する場合もあり、ステップＳ５０３においては、モバイル機器４からの新規蓄積データを順次に受信して、ＨＤＤ３０の所定の領域に保存することができるようにしている。
【０２９５】
そして、サーバ装置２の制御部２１は、ＨＤＤ３０の所定の領域に保存したモバイル機器４からの蓄積データの内、モバイル機器４から消去可能な蓄積データである消去対象データを洗い出す処理を実行する（ステップＳ５０４）。このステップＳ５０４における消去対象データ洗い出し処理は、図１４、図１５を用いて詳述した消去データ洗い出し処理と同じ処理である。
【０２９６】
すなわち、ステップＳ５０４において制御部２１は、洗い出し対象の保存した蓄積データに付加されている情報に基づいて、あるいは、当該蓄積データを解析することにより、重要な蓄積データであるか否かを予測するようにし、重要であると予測された蓄積データについては消去対象とはしないが、それ以外の蓄積データについては消去対象とするようにしている。
【０２９７】
そして、サーバ装置２の制御部２１は、ステップＳ５０４において洗い出した消去対象データをモバイル機器４の画像記憶部４４から消去するようにするための蓄積データ消去要求を形成し、これを送受信制御部２７に制御により、外部Ｉ／Ｆ２６ａ、入出力端２６ｂを通じて送信して、クレードル１を介してモバイル機器４に送信するようにする（ステップＳ５０５）。
【０２９８】
次に、サーバ装置２の送受信制御部２７は、入出力端２６ｂ、外部Ｉ／Ｆ２６ａを通じて、蓄積データ消去要求を送信した相手先のモバイル機器４から送信されてくる消去処理完了報告を受信するようにする（ステップＳ５０６）。この後、サーバ装置２の制御部２１は、モバイル機器４から提供を受けてＨＤＤ３０に保存すると共にモバイル機器４から消去するようにした蓄積データから、モバイル機器４に対して形式を変えて書き戻すようにする書き戻しデータ作成する（ステップＳ５０７）。
【０２９９】
このステップＳ５０７において行われる書き戻しデータの作成処理は、図１６を用いて詳述した書き戻しデータ作成処理と同じ処理である。すなわち、どのような書き戻しデータを作成すればよいか、作成する書き戻しデータの形式を特定した上で、書き戻しデータを作成する。この変形例においては、サーバ装置２にバックアップした蓄積データは静止画像データであるので、書き戻しデータの形式としては縮小画像データであることが特定され、バックアップした蓄積データから縮小画像データが形成されて、これがモバイル機器４に戻すようにされることになる。
【０３００】
そして、サーバ装置２の送受信制御部２７は、ステップＳ５０７において作成した書き戻しデータを、外部Ｉ／Ｆ２６ａ、入出力端２６ｂを通じて送信して、クレードル１を介してモバイル機器４に送信するようにする（ステップＳ５０８）。この後、サーバ装置２の送受信制御部２７は、入出力端２６ｂ、外部Ｉ／Ｆ２６ａを通じて、モバイル機器４からクレードル１を介して送信されてくる書き戻しデータの保存完了報告を受信するようにして（ステップＳ５０９）、この図２１に示す処理を終了する。
【０３０１】
なお、ここでは、通信処理が支障なく、行うようにされた場合を例にして説明したが、例えば、サーバ装置２からモバイル機器４に何らかの要求を送信し、これに応答がない場合などにおいては、再度の要求の送信を行ったり、応答要求を送信したりすることができるようにされる。
【０３０２】
例えば、ステップＳ５０６において、消去完了報告を所定時間内に受信しなかった場合には、蓄積データの消去処理が行われたか否かの確認要求を送信したり、ステップＳ５０９において、保存完了報告を所定時間内に受信しなかった場合には、書き戻しデータが保存されたか否かの確認要求を送信したりすることができる。そして、その応答に応じて、元の要求を再度送信するなど、適切に処理することができるようにされる。
【０３０３】
［モバイル機器４の処理について］
図２２は、この変形例のデータ通信システムのモバイル機器４において行われる処理を説明するためのフローチャートである。この図２２に示す処理は、モバイル機器４が例えば充電モード等、クレードル１に載置され、データ通信と充電処理とを行うようにする所定のモードとされた場合に、モバイル機器４の主に制御部４１と送受信制御部４７と画像消去制御部４８によって実行される処理である。
【０３０４】
まず、所定のモードに切り替えられると、送受信制御部４７は、送受信アンテナ４５ｂ、無線通信部４５ａを通じて、クレードル１からの機器ＩＤ問合せを受信したか否かを判断する（ステップＳ６０１）。ステップＳ６０１の判断処理において、機器ＩＤ問合せを受信していないと判断したときには、ステップＳ６０１からの処理を繰り返し、機器ＩＤ問合せの受信待ちとなる。
【０３０５】
ステップＳ６０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを送受信制御部４７が、無線通信部４５ａ、送受信アンテナ４５ｂを通じてクレードル１に送信する（ステップＳ６０２）。
【０３０６】
そして、送受信制御部４７は、送受信アンテナ４５ｂ、無線通信部４５ａを通じて、クレードル１から送信されてくる新規蓄積データ有無問合せを受信し（ステップＳ６０３）、これに応じて制御部４１が自己の画像記憶部４４の記憶データを確認して新規蓄積データ有無応答を形成して、これを送受信制御部４７が、無線通信部４５ａ、送受信アンテナ４５ｂを通じて送信し、クレードル１を介してサーバ装置２に送信するようにする（ステップＳ６０４）。
【０３０７】
次に、送受信制御部４７は、送受信アンテナ４５ｂ、無線通信部４５ａを通じて、クレードル１を介してサーバ装置２から送信されてくる新規蓄積データ要求を受信し（ステップＳ６０５）、これに応じて制御部４１が図９を用いて説明したような形式の新規蓄積データを自機の画像記憶４４から抽出して、これを送受信制御部４７が、無線通信部４５ａ、送受信アンテナ４５ｂを通じて送信し、クレードル１を介してサーバ装置２に送信するようにする（ステップＳ６０６）。
【０３０８】
次に、送受信制御部４７は、送受信アンテナ４５ｂ、無線通信部４５ａを通じて、クレードル１を介してサーバ装置２から送信されてくる蓄積データ消去要求を受信し（ステップＳ６０７）、これに応じて制御部４１が自機の画像記憶部４４に記憶保持している蓄積データの内、消去が指示された蓄積データを消去する処理を実行する（ステップＳ６０８）。このステップＳ６０８で行われる蓄積データの消去処理は、図１８を用いて説明した処理と同じ処理である。
【０３０９】
この後、制御部４１は、消去処理完了報告を形成し、これを送受信制御部４７が、無線通信部４５ａ、送受信アンテナ４５ｂを通じて送信し、クレードル１を介してサーバ装置２に送信するようにする（ステップＳ６０９）。
【０３１０】
そして、送受信制御部４７は、送受信アンテナ４５ｂ、無線通信部４５ａを通じて、クレードル１を介してサーバ装置２から送信されてくる書き戻しデータを受信し（ステップＳ６１０）、これを自機の画像記憶部４４に保存する（ステップＳ６１１）。この後、制御部４１は、保存完了報告を形成し、これを送受信制御部４７が、無線通信部４５ａ、送受信アンテナ４５ｂを通じて送信し、クレードル１を介してサーバ装置２に送信するようにして（ステップＳ６１２）、この図２２に示す処理を終了する。
【０３１１】
このように、この変形例の場合には、クレードル１に載置されたモバイル機器にサーバ装置２にバックアップする必要のある蓄積データが存在するか否かをクレードル１が確認し、存在しない場合には、サーバ装置２とは通信処理を行うことなく、モバイル機器４に対して充電処理のみを行うようにすることができる。
【０３１２】
［その他］
なお、上述の実施の形態においては、クレードル１には１つのサーバ装置２が接続されているものとして説明したが、これに限るものではない。例えば、クレードル１をＬＡＮ（Local Aria Network）に接続したり、あるいは、クレードル１に対して、複数のサーバ装置を接続できるようにしたりしておくことにより、クレードル１に載置されるモバイル機器に応じて、蓄積データの供給先を変更するようにすることもできる。
【０３１３】
この場合、どのサーバ装置を用いるかは、モバイル機器の機器属性などに応じて、クレードル１が決定するようにしたり、クレードル１が機器ＩＤを用いて各サーバ装置に過去の当該モバイル機器の蓄積データをバックアップしたサーバ装置を問い合わせて特定したり、あるいは、ユーザーがクレードル１に対して直接に指示を入力したりすることにより、特定することが可能である。
【０３１４】
また、クレードル１の機能として、モバイル機器４やサーバ装置２の時計回路の時刻合わせ行うようにすることもできる。例えば、クレードル１の時計回路１２として電波時計や高性能の時計回路を用い、クレードル１の時計回路１２の時刻を基準として、クレードル１に載置されたモバイル機器４の時計回路４２の時刻合わせを行ったり、サーバ装置２の時計回路２２の時刻合わせを行ったりすることももちろんできる。また、基準とする時刻は、サーバ装置２が提供したり、その他の機器が提供したりすることももちろん可能である。
【０３１５】
また、クレードル１に複数のサーバ装置が接続されている場合であっても、また、上述した実施の形態のように、１台のサーバ装置が接続されている場合であっても、サーバ装置には種々のモバイル機器からの蓄積データが提供されるので、サーバ装置において、種々の条件により各モバイル機器からの蓄積データをマージして管理することもできるようにされる。
【０３１６】
例えば、提供元が違っていても、作成日時が同じ蓄積データをまとめて管理したり、静止画像や動画像など、データの種類ごとにまとめて管理したりするなどのことができるようにされる。
【０３１７】
また、モバイル機器としては、一例として挙げた携帯電話端末、デジタルスチルカメラ、デジタルビデオカメラ、携帯型音楽再生装置に限るものではない。例えば、上述もしたように、デジタルスチルカメラやカメラ付き携帯電話端末などの静止画像データを撮影する機器がモバイル機器４である場合には、撮影されて蓄積された静止画像データをクレードル１を介して、サーバ装置２に供給してバックアップすると共に、そのバックアップした静止画像データから形成した縮小画像データを書き戻しデータとして作成してモバイル機器４に戻すことができることは上述した通りである。
【０３１８】
また、デジタルビデオカメラやカメラ付き携帯電話端末などの動画像データを撮影する機器がモバイル機器４である場合には、撮影されて蓄積された動画像データをクレードル１を介して、サーバ装置２に供給してバックアップすると共に、そのバックアップした動画像データから形成したダイジェスト版の動画データを書き戻しデータとして作成してモバイル機器４に戻すことができることは上述した通りである。
【０３１９】
また、音楽の再生機能を備えたモバイル機器の場合には、その機器における音楽データの再生履歴情報を、クレードル１を介してサーバ装置２が収集し、当該モバイル機器のユーザーの音楽嗜好を解析し、その結果、推薦する音楽データを、クレードル１を介して当該モバイル機器に提供するようにすることも可能である。もちろん、ユーザーがサーバ装置２に対して指示した音楽データのみを当該モバイル機器に提供するようにすることも可能である。
【０３２０】
また、電子手帳のような、種々の情報を記録、閲覧できるモバイル機器の場合には、そのモバイル機器で新たに登録されたスケジュールやメモ等の種々の情報を、クレードル１を介してサーバ装置２に提供して保存し、ユーザーが指示したデータだけを戻すようにしたりすることも可能である。この場合のユーザーの指示は、予めサーバ装置２に与えておくようにすることもできるし、サーバ装置２へのバックアップ時点において、サーバ装置２にバックアップされたデータを見て、ユーザーが選択するようにすることもできる。
【０３２１】
また、携帯電話端末等の通信を行う機能を備えたモバイル機器の場合には、アドレス帳データ等を、クレードル１を介してサーバ装置２に自動的にバックアップするようにすることも可能である。もちろん、その他の通信情報を、クレードル１を介してサーバ装置２にバックアップすることも可能である。また、サーバ装置２に登録されている新たなアドレス帳データを、クレードル１を介してモバイル機器に提供して記録するようにし、当該モバイル機器において利用できるようにすることもできる。この場合の相互のデータ通信も、基本的には、モバイル機器４をクレードル１に載置するだけで、自動的に行うようにすることができる。
【０３２２】
また、サーバ装置２は、クレードル１を介して、予め決められた複数のモバイル機器に対して同じ情報を提供するようにしたり、機器属性が同じモバイル機器に対しては、同じ情報を提供したりすることももちろんできる。この場合、複数のモバイル機器は、一度にクレードル１に載置されても良いし、別々のタイミングで載置するようにされてもよい。
【０３２３】
また、サーバ装置２は、クレードル１を介してモバイル機器４から取得した種々のデータをインターネット上に公開するようにしたり、クレードル１を介してモバイル機器４から取得した種々のデータを家庭内の他の再生装置や記録再生装置に提供して再生したり、記録したりするなどのこともできるようにされる。
【０３２４】
また、サーバ装置２は、クレードル１を通じて、モバイル機器４から情報を収集したり、モバイル機器４に情報を提供したりした場合には、その事実をネットワークに接続された他のサーバ装置に通知して、当該他のサーバ装置を通じて当該処理を行ったことを使用者に通知するなどのこともできるようにされる。
【０３２５】
また、上述した実施の形態においては、クレードル１がモバイル機器４への充電の制御を行うようにしたが、これに限るものではない。モバイル機器４が、自ら充電処理をコントロールするようにしてももちろんよい。
【０３２６】
また、上述した実施の形態においては、クレードル１とサーバ装置２とは別体のものとして説明したが、クレードル１とサーバ装置２とは一体に構成することもできる。また、上述した実施の形態において、サーバ装置２は、例えば、パーソナルコンピュータやホームネットワークシステムのサーバ装置などとして実現可能なものであるが、位置付けとして、クレードル１の制御装置として構成することも可能である。
【０３２７】
また、図１２に示したフローチャートの処理を実行するプログラムが、この発明に係る転送制御プログラムである。当該プログラムを形成し、これを図２に示した構成のクレードル１のＲＯＭ１１２に記録して制御部１１のＣＰＵ１１１において実行可能にしておくことになる。
【０３２８】
また、図１３〜図１６に示したフローチャートの処理を実行するプログラムが、この発明に係る通信制御プログラムである。当該プログラムを形成し、これを図３に示した構成のサーバ装置２のＲＯＭ２１２に記録して制御部２１のＣＰＵ２１１において実行可能にしておくことになる。
【０３２９】
［第２の実施の形態］
次に、第２の実施の形態のデータ通信システムについて説明する。図２３は、この第２の実施の形態のデータ通信システムの構成例を説明するための図である。図２３に示すように、この第２の実施の形態のデータ通信システムもまた、図１を用いて説明した第１の実施の形態のデータ通信システムと同様に構成されるものである。
【０３３０】
すなわち、この第２の実施の形態のデータ通信システムは、図２３に示すように、種々のモバイル機器４（ａ）、４（ｂ）、…と、クレードル１と、サーバ装置２とからなるものである。クレードル１とサーバ装置２とはインターフェイスケーブル３によって有線接続されている。
【０３３１】
ここでクレードル１は、図２を用いて説明した構成を有するものである。また、サーバ装置２は、図３を用いて説明した構成を有するものである。また、モバイル機器４（ａ）、４（ｂ）、…としては、例えば、図４を用いて説明したデジタルスチルカメラやデジタルビデオカメラなどの撮像装置や、詳しくは後述する携帯電話端末などの種々のものを用いることができる。
【０３３２】
そして、クレードル１は、これに載置された種々のモバイル機器４との間においては、近距離無線通信技術が用いられて、無線により接続される。そして、以下に説明するように、クレードル１に載置された種々のモバイル機器と、クレードル１に有線接続されたサーバ装置２との間においては、クレードル１を介して通信が行われることになる。
【０３３３】
また、この第２の実施の形態のデータ通信システムにおいても、送受される問い合わせ、応答、要求、報告などは、図７Ａに示したレイアウトにしたがって形成されて用いられる。
【０３３４】
そして、上述した第１の実施の形態においては、クレードル１を介して、モバイル機器に蓄積したデータをサーバ装置２にバックアップしたり、バックアップしたデータの削除指示をサーバ装置２からモバイル機器に送信してモバイル機器の蓄積データを整理したり、また、バックアップしたデータについてリサイズするなどの処理を施してサーバ装置２からモバイル機器に戻したりすることができるようにした。
【０３３５】
これに対して、以下に説明する第２の実施の形態のデータ通信システムは、クレードル１に載置されたモバイル機器間の連携を、クレードル１とサーバ装置２とにより強化することができるようにしている。すなわち、図２３に示すように、クレードル１に載置されているモバイル機器４（ａ）とモバイル機器４（ｂ）との間において、クレードル１を介して必要なデータを送受するなどのことを行うことによって、最適な機器連携を行うことができるようにしている。
【０３３６】
以下においては、クレードル１を介して実現することができるモバイル機器間の連携として、（１）撮像装置と携帯電話端末との間で実現される画像データを用いる連携（第１の例）、（２）携帯型音楽再生機と撮像装置との間で実現される音楽データを用いる連携（第２の例）、（３）撮像装置と携帯電話端末との間で実現されるテキストデータを用いる連携（第３の例）、（４）撮像装置と携帯電話端末間で実現される画像データやこれに関連する情報を用いた連携（第４の例）のそれぞれについて具体的に説明する。
【０３３７】
［（１）撮像装置と携帯電話端末との間で画像データを用いる連携（第１の例）について］
図２４は、撮像装置と携帯電話端末との間で画像データを用いる連携を行う場合（第１の例）の概要について説明するための図である。上述したように、クレードル１に対しては、種々のモバイル機器を複数同時に載置することが可能である。このため、図２４に示すように、例えば、携帯電話端末４（１）と、デジタルスチルカメラ４（２）やデジタルビデオカメラ４（３）等の撮像装置とをクレードル１に載置する場合もある。
【０３３８】
ここで重要なことは、携帯電話端末４（１）と撮像装置とがクレードル１に対して載置されていることであり、載置のタイミングは異なっていてもよい。例えば、携帯電話端末４（１）が先にクレードル１に載置され、数時間後に撮像装置がクレードル１に載置されるような場合や、これとは逆に、撮像装置が先にクレードル１に載置され、後から携帯電話端末４（１）が載置されるような場合であってもよい。要は、携帯電話端末４（１）と撮像装置とがクレードル１に対して載置されている状況となっていればよい。
【０３３９】
このような状況となった場合に、クレードル１に載置されている撮像装置から携帯電話端末４（１）に自動的に画像データを転送できるようにする。しかし、単に画像データを転送するだけではない。
【０３４０】
例えば、携帯電話端末４（１）とデジタルスチルカメラ４（２）とがクレードル１に載置された場合には、サーバ装置２の機能を用いることにより、デジタルスチルカメラ１に記憶保持されている静止画像データから携帯電話端末４（１）用に縮小した（リサイズした）画像データを形成し、これを携帯電話端末４（１）に転送して利用できるようにする。
【０３４１】
また、携帯電話端末４（１）とデジタルビデオカメラ４（３）とがクレードル１に載置された場合には、サーバ装置２の機能を用いることにより、デジタルビデオカメラ４（３）に記憶保持されている動画像データからダイジェスト版を作成し、これを携帯電話端末４（１）に転送して利用できるようにする。
【０３４２】
このようにすることにより、携帯電話端末４（１）とデジタルスチルカメラ４（２）やデジタルビデオカメラ４（３）等の撮像装置との間で機能連携を強化し、撮像装置で撮像することにより得た静止画像データや動画像データを、形を変えて携帯電話端末４（１）に転送して利用することができるようにしている。
【０３４３】
以下に説明する第１の例においては、携帯電話端末４（１）とデジタルスチルカメラ４（２）とが、クレードル１に載置された場合を例にして、具体的に説明する。
【０３４４】
［モバイル機器である携帯電話端末４（１）の構成例について］
図２５は、この第２の実施の形態のデータ通信システムで用いられるモバイル機器の１つである携帯電話端末４（１）の構成例を説明するためのブロック図である。図２５に示すように、この第２の実施の形態で用いられる携帯電話端末４（１）は、制御部６１、コンテンツ記憶部６２、キー操作部６３、バッテリ６４、無線充電制御部６５、無線通信部６６ａ、送受信アンテナ６６ｂ、広域通信用の送受信アンテナ７１、アンテナ共用器７２、受信部７３、局発部７４、ベースバンド処理部７５、コーデック７６、受話器（スピーカ）７７、送話器（マイクロホン）７８、送信部７９、音楽再生部８０、音声出力端子８１、ＬＣＤ（Liquid Crystal Display）８２を備えたものである。
【０３４５】
まず、制御部６１と、これに接続されるコンテンツ記憶部６２、キー操作部６３、バッテリ６４、無線充電制御部６５、無線通信部６６ａ、送受信アンテナ６６ｂ、音楽再生部８０、ＬＣＤ８２について説明する。
【０３４６】
制御部６１は、この第２の実施の形態で用いられるモバイル機器の１つである携帯電話端末４（１）の各部を制御するものであり、ＣＰＵ６１１、ＲＯＭ６１２、ＲＡＭ６１３、不揮発性メモリ６１４が、ＣＰＵバス６１５を通じて接続されることにより形成されたマイクロコンピュータである。
【０３４７】
ここで、ＣＰＵ６１１は、制御の主体となるものであり、後述するＲＯＭ６１２などに記憶保持されているプログラムを実行し、各部に供給する制御信号を形成して、これを各部に供給したり、各部からの信号を受け付けて、これを処理したりする。ＲＯＭ６１２は、上述もしたように、ＣＰＵ６１１によって実行される種々のプログラムやフォントデータなどの処理に必要になる各種のデータを記憶保持しているものである。
【０３４８】
ＲＡＭ６１３は、各種の処理において途中結果を一時記憶するなど、主に作業領域として用いられるものである。不揮発性メモリ６１４は、ＥＥＰＲＯＭやフラッシュメモリからなるものであり、この携帯電話端末４（１）の電源が落とされても保持しておくべき情報、例えば、各種の設定パラメータ、電話帳データ、電子メールデータ、機能追加などのために新たに提供されたプログラムなどを記憶保持するものである。
【０３４９】
このように構成される制御部６１に対しては、図２５に示すように、コンテンツ記憶部６２が接続されている。コンテンツ記憶部６２は、記録媒体として半導体メモリを備えると共に、当該半導体メモリに対してデータを書き込んだり、当該半導体メモリからデータを読み出したりするメモリコントローラとからなるものである。
【０３５０】
このコンテンツ記憶部６２の記録媒体には、この携帯電話端末４（１）の広域通信機能を用いて、インターネットなどの広域ネットワーク上のサーバ装置からダウンロードしてくる音楽データやＡＶ（Audio/Visual）データ、あるいは、クレードル１を介してサーバ装置２やモバイル機器であるデジタルスチルカメラやデジタルビデオカメラからの静止画像データや動画像データを記憶保持して、利用することができるようにされる。
【０３５１】
なお、コンテンツ記憶部６２の半導体メモリは、いわゆるカードメモリを用い、この第２の実施の形態の携帯電話端末４（１）に対して着脱可能に構成することもできる。また、半導体メモリの他にも、小型のハードディスクなどの他の記録媒体を用いる構成とすることも可能である。
【０３５２】
また、制御部６１に対しては、図２５に示すように、キー操作部６３が接続されている。キー操作部６３は、図示しないが、いわゆるテンキー（数字キー）や各種のファクションキー、回動操作と押下操作とが可能なジョグダイヤルキーなどの複数の操作キーが設けられたものであり、ユーザーからの種々の操作入力を受け付けるものである。
【０３５３】
そして、キー操作部６３を通じて受け付けた使用者からの操作入力は、電気信号に変換されて制御部６１に供給される。これにより、制御部６１は、ユーザーからの指示に応じて各部を制御し、ユーザーの指示に応じた処理を行うことができるようにしている。
【０３５４】
また、制御部６１に対しては、無線充電制御部６５が接続されている。無線充電制御部６５は、クレードル１の充電制御部１９を通じて供給される電力を、無線充電制御部６５に接続されたバッテリ６４に供給するなど、バッテリ６４の充電処理を制御するものである。バッテリ６４は、無線充電制御部６５により充電が行われるようにされ、この携帯電話端末の各部に必要な電力を供給するものである。
【０３５５】
さらに、制御部６１には、無線通信部６６ａが接続されている。この無線通信部６６ａには、送受信アンテナ６６ｂが設けられている。無線通信部６６ａ、送受信アンテナ６６ｂは、クレードル１との間において、近距離無線通信によりデータ通信を行うようにする部分である。
【０３５６】
したがって、無線通信部６６ａ、送受信アンテナ６６ｂは、上述したクレードル１の無線通信部１５ａ、送受信アンテナ１５ｂと同様に、例えば、ＵＷＢ（Ultra WideBand）やブルートゥース（Bluetooth）などの無線通信技術、その他の種々の近距離無線通信技術、あるいは、短距離無線通信技術を用いて、クレードル１との間で無線通信を行うことができるようにしている。
【０３５７】
また、図２５に示すように、携帯電話端末４（１）の場合、制御部６１に対して、音楽再生部８０が接続されている。この音楽再生部８０には、制御部６１によってコンテンツ記憶部６２から読み出されるデータ圧縮された音楽データが供給される。音楽再生部８０は、これに供給されたデータ圧縮されている音楽データを圧縮解凍してデータ圧縮前の元の音楽データを復元し、これから出力するアナログ音楽信号を形成して音声出力端８１を通じて出力する。音声出力端８１には、図２５に示すように、ヘッドホン９０等を接続し、当該ヘッドホン９０等を通じて再生音声の聴取が可能になる。
【０３５８】
なお、ここでは、音楽再生部８０は、音楽データの再生処理を行うものとして説明したが、音楽データだけでなく、話音声などの種々音声データ一般の再生処理を行うことができるものである。また、音楽再生部８０においては、音楽データあるいはアナログ音楽信号に対する種々の調整処理やアナログ音声信号に対する増幅処理なども行われる。
【０３５９】
また、図２５に示すように、制御部６１にはＬＣＤ８２が接続されている。ＬＣＤ８２はＬＣＤコントローラを含むものであり、制御部６１からの制御信号により制御され、種々の表示情報をＬＣＤ８２の表示画面に表示させることができるものである。なお、ＡＶデータについても、制御部６１が音声データと映像データとに分離し、音声データについては音楽再生部８０に、映像データについてはＬＣＤ８２に供給することによって、その両方について同期を取って再生することもできるようにされる。
【０３６０】
また、コンテンツ記憶部６２に記憶保持されているクレードル１を介して提供を受けた静止画像データや動画像データについても、制御部６１がこれを読み出して、圧縮解凍処理するなどの所定の処理を行ってＬＣＤ８２に供給することにより、供給された静止画像データや動画像データに応じた画像をＬＣＤ８２の表示画面に表示してユーザーに提供することもできるようにされる。すなわち、この携帯電話端末４（１）は、静止画像データや動画像データの再生機能をも備えたものである。
【０３６１】
また、図２５には図示しないが、制御部６１には、リンガ、バイブレータ、時計回路なども接続され、制御部６１の制御に応じて、音声や振動で着信や警告を伝えることもできるし、カレンダ機能を実現したり、現在時刻を通知したり、目覚まし時計機能を実現したりすることもできるようにしている。
【０３６２】
次に、図２５に示した携帯電話端末４（１）の受信系について説明する。送受信アンテナ７１を通じて受信した受信信号は、アンテナ共用器７２を通じて受信部７３に供給される。受信部７３は、受信信号が適正なレベルになるように、必要な帯域制限、ＡＧＣ（Automatic Gain Control）を行なうとともに、局発部（周波数シンセサイザ）７４からの信号に基づいて、受信信号の周波数を一定の周波数にするなどの処理を行って、処理後の信号をベースバンド処理部７５に供給する。
【０３６３】
ベースバンド処理部７５は、受信部７３からの信号をＡ／Ｄ（Analog/Digital）変換し、フェージングなどの影響除去や、受信した信号の種別判別、デ・インターリーブ、エラー訂正を行ない、適切な復号処理を行って、通話音声データとその他の通信データとを分離する。そして、通話音声データは、ＤＳＰ（Digital Signal Processor）の構成とされたコーデック７６に供給され、その他の通信データである、例えば、各種の制御情報や文字データ、あるいは、Ｗｅｂページデータ、音楽データ（音楽コンテンツ）などは、制御部６１に供給される。
【０３６４】
コーデック７６は、ベースバンド処理部７５からの音声データをＤ／Ａ変換してアナログ音声信号を形成し、これをスピーカ７７に供給する。スピーカ７７は、コーデック７６からのアナログ音声信号により駆動され、受信信号に応じた音声を放音する。
【０３６５】
一方、ベースバンド処理部７５から制御部６１に供給された通信データは、この実施の形態の携帯電話端末用の制御データや文字データなどの場合には、制御部６１の例えばＲＡＭ６１３に一時記憶されて、この携帯電話端末４（１）において使用される。また、それ以外の音楽データ等のコンテンツデータは、コンテンツ記憶部６２に供給されて記憶保持され、必要に応じて読み出して利用することができるようにされる。
【０３６６】
次に、図２５に示した携帯電話端末４（１）の送信系について説明する。マイクロホン７８は、収音した音声をアナログ音声信号に変換し、これをコーデック７６に供給する。コーデック７６は、マイクロホン７８からのアナログ音声信号をＡ／Ｄ変換して、デジタル音声信号を形成し、これをベースバンド処理部７５に供給する。
【０３６７】
ベースバンド処理部７５は、コーデック７６からのデジタル音声信号を所定の符号化方式で符号化して圧縮し、所定のブロックにまとめる。またベースバンド処理部７５は、制御部６１を通じて供給されるキー操作部６３を通じて受け付けた送信用のデジタルデータ等についても所定のブロックにまとめることができるものである。ベースバンド処理部７５は、圧縮されたデジタル音声信号や制御部６１からの送信用のデジタルデータをまとめ、送信部７９に供給する。
【０３６８】
送信部７９は、ベースバンド処理部７５からのデジタルデータから変調信号を形成し、この変調信号を所定の送信周波数に変換するために、変調信号と、局発部７４からの変換用の信号とを混合して、送信用変調信号を形成する。この送信部７９において形成された送信用変調信号は、アンテナ共用器７２を経由して、送受信アンテナ７１から送信される。
【０３６９】
このような受信系および送信系を備えたこの実施の形態の携帯電話端末においては、待ち受け受信時（待ち受け時）においては、制御部６１は、ベースバンド処理部７５からの受信信号を監視することにより、自機への着信を検出する。そして、制御部６１は、自機への着信を検出した場合には、図示しないリンガを制御して、呼び出し音（リンガ音）を放音したり、図示しないバイブレータを振動させたりすることにより、自機への着信を当該携帯電話端末４（１）の使用者に通知する。
【０３７０】
そして、携帯電話端末４（１）の使用者が、この実施の形態の携帯電話端末４（１）に設けられているテンキーや各種のファンクションキーなどを有するキー操作部６３に設けられている通話開始キーを押下するなどのオフフック操作を行なうことにより、着信に応答した場合には、制御部６１は、送信系を通じて、接続応答を送出するなどして通信回線を接続し、前述したように、受信系、送信系の動作によって通話が可能となる。
【０３７１】
また、この実施の形態の携帯電話端末４（１）から発呼する場合には、前述のキー操作部６３の通話開始キーを押下するなどのオフフック操作を行った後、キー操作部６３のテンキー（ダイヤルキー）を通じて、また、予め登録された電話帳データから相手先の電話番号を選択することにより、ダイヤル動作を行なうようにする。
【０３７２】
これにより、制御部６１は、発呼要求を形成し、送信系を通じて送信することにより、目的とする相手先の電話端末との間に通信回線を接続するようにする。そして、相手先からの着信応答が返信されてきて、通信回線の接続を確認すると、前述したように、受信系、送信系の動作によって通話が可能となる。
【０３７３】
また、この実施の形態の携帯電話端末４（１）は、インターネットに接続が可能なものであり、例えば、電話会社が提供するプロバイダ機能を通じて、ＵＲＬ（Uniform Resource Locators）を入力して送信することにより、Ｗｅｂページなどの情報を得て、この情報を、制御部６１を通じてＬＣＤ８２に表示したり、インターネット上の目的とするサーバから音楽データ（音楽コンテンツ）をダウンロードしてコンテンツ記憶部６２に記憶保持して利用できるようにしたりすることもできるようにしている。
【０３７４】
また、この実施の形態の携帯電話端末４は、キー操作部６３、ＬＣＤ８２を通じて情報を入力して、送信用の電子メールデータをＥＥＰＲＯＭ６１４に作成し、これをインターネットを通じて目的とする相手先のメールサーバに送信したり、また、自機宛の電子メールをメールサーバから受信してＥＥＰＲＯＭ６１４に格納し、これをＬＣＤ８２に表示して利用したりするなどのこともできるものである。
【０３７５】
このように、この第２の実施の形態でモバイル機器の１つとして用いられる携帯電話端末４（１）は、携帯電話ネットワークやインターネットなどの広域ネットワークを通じて、電話通信やデータ通信を行うことができるものである。
【０３７６】
［機器連携テーブルの構成例について］
次に、この第２の実施の形態のデータ通信システムにおいて、サーバ装置２の例えば不揮発性メモリ２１４に作成される機器関連テーブルの構成例について説明する。上述したように、クレードル１に載置された機器間において機能連携を図るために、クレードル１にどのようなモバイル機器が載置された場合に、当該モバイル機器間でどのような処理を行うようにするかが明確に決められていないと適正な処理を行うようにすることができない。
【０３７７】
そこで、どのような２つのモバイル機器がクレードル１に載置された場合に、当該モバイル機器間でどのような処理を行うのかを特定できるようにする機器連携テーブルをサーバ装置の不揮発性メモリ２１４に作成するようにしている。図２６は、機器連携テーブルの構成例を説明するための図である。
【０３７８】
図２６に示すように、機器連携テーブルは、シーケンス番号（Ｎｏ．）、連携機器である機器１および機器２、連携処理内容、プログラムＩＤからなるものである。シーケンス番号は、当該機器連携テーブルの何番目の登録情報かを示すものである。連携機器である機器１、機器２は、連携する機器を示す情報であり、例えば、装置ＩＤが用いられる。連携処理内容は、連携機器である機器１と機器２との間でどのような処理を行うのかを示すものである。また、プログラムＩＤは、当該処理をサーバ装置２を介して行う場合に、サーバ装置２において実行するプログラムのプログラムＩＤを示すものである。
【０３７９】
そして、図２６に示した例の機器連携テーブルにおいて１番目の登録情報は、連携機器として、機器１が「デジタルスチルカメラ」、機器２が「携帯電話端末」であり、その連携処理の内容は、「デジタルスチルカメラ（機器１）の静止画像データをリサイズして携帯電話端末（機器２）にコピーして、携帯電話端末においてリサイズした静止画像データを利用できるように処理すること」である。そして、当該連携処理を行うために、サーバ装置２において実行されるプログラムのプログラムＩＤが、「ＰＧ１」ということになる。
【０３８０】
また、図２６に示した例の機器連携テーブルにおいて２番目の登録情報は、連携機器として、機器１が「デジタルビデオカメラ」、機器２が「携帯電話端末」であり、その連携処理の内容は、「デジタルビデオカメラ（機器１）の動画像データからダイジェストの動画像データを作成して携帯電話端末（機器２）にコピーして、携帯電話端末においてダイジェストの動画像データを利用できるように処理すること」である。そして、当該連携処理を行うために、サーバ装置２において実行されるプログラムのプログラムＩＤが、「ＰＧ２」ということになる。
【０３８１】
そして、以下に詳述するが、サーバ装置２においては、クレードル１に複数のモバイル機器が載置された場合に、どのようなモバイル機器が載置されたかの通知をクレードル１から受けて、これに基づいて図２６に示した機器連携テーブルを参照し、行うべき処理を特定して当該処理を行うようにしている。
【０３８２】
［画像データを用いる連携を行う場合のシステムの動作について］
次に、モバイル機器として携帯電話端末４（１）とデジタルスチルカメラ４（２）とが用いられる場合であって、モバイル機器間で画像データを用いた連携を行えるようにするこの例のデータ通信システムの動作について説明する。図２７〜図２８は、モバイル機器間で画像データを用いた連携を行えるようにするこの例のデータ通信システムの動作について説明するためのタイミングチャートである。
【０３８３】
なお、上述もしたように、携帯電話端末４（１）とデジタルスチルカメラ４（２）とが、クレードル１に載置されるタイミングは特に問題とならないが、ここでは説明を簡単にするために、携帯電話端末４（１）がクレードル１に載置された後に、デジタルスチルカメラ４（２）がクレードル１に載置された場合を例にして説明する。
【０３８４】
そして、この第１の例においては、デジタルスチルカメラ４（２）の画像記憶部４４には、図８を用いて説明した蓄積データリストや図９を用いて説明した蓄積データが記憶保持されている。そして、携帯電話端末４（１）のコンテンツ記憶部６２には、クレードル１を介して提供される例えば図１０を用いて説明した構成のリサイズされた画像データが格納されることになる。
【０３８５】
そして、図２７に示すように、クレードル１においては、自機に電源が投入された状態にあるときには、載置検出部１６の機能により、所定の間隔ごとにモバイル機器４が載置されたか否かを判断し、載置されたことを検出した場合に充電開始処理を実行するようにしている（ステップＳ５１）。
【０３８６】
なお、上述もしたように、この第２の実施の形態のクレードル１に対しても、１度に複数台のモバイル機器を載置することができるようにされており、新たなモバイル機器が載置される毎にモバイル機器が載置されたことを検出することができるようにしている。そして、後述もするように、充電開始処理によって、充電容量が少なく充電が必要なモバイル機器のバッテリに対してのみ充電を行うようにし、充電容量が十分にあり充電する必要がないモバイル機器のバッテリに対しては充電を行わないようにしている。
【０３８７】
そして、ステップＳ５１の処理の後、クレードル１は、自機に載置されたことを検出したモバイル機器に対して機器ＩＤの問い合わせを行い、これに応じてモバイル機器から送信される機器ＩＤ応答を受信してサーバ装置に送信する中継処理を行う。この例においては、上述もしたように、まず、携帯電話端末４（１）がクレードル１に載置された場合の例であるので、クレードル１は、まず、携帯電話端末４（１）に対する図７Ｂに示した機器ＩＤ問い合わせを形成し、これを無線通信部１５ａ、送受信アンテナ１５ｂを通じて携帯電話端末４（１）に対して送信する（ステップＳ５２）。
【０３８８】
携帯電話端末４（１）は、送受信アンテナ６６ｂ、無線通信部６６ａを通じてクレードル１からの機器ＩＤ問い合わせを受信すると、図７Ｃに示した機器ＩＤ応答を形成し、これを無線通信部６６ａ、送受信アンテナ６６ｂを通じて送信するので（ステップＳ５３）、クレードル１は、送受信アンテナ１５ｂ、無線通信部１５ａを通じて携帯電話端末４（１）からの機器ＩＤ応答を受信し、これを外部Ｉ／Ｆ１４ａ、入出力端１４ｂを通じてサーバ装置２に送信する。
【０３８９】
サーバ装置２は、クレードル１からの機器ＩＤ応答を入出力端２６ｂ、外部Ｉ／Ｆ２６ａを通じて受信する。このようにしてクレードル１を介して送信されてくる機器ＩＤ応答（機器ＩＤ報告）により、サーバ装置２は、クレードルに携帯電話端末４（１）が載置されたことを把握することができる。
【０３９０】
そして、この例の場合には、携帯電話端末４（１）に続き、デジタルスチルカメラ４（２）がクレードル１に載置されるので、デジタルスチルカメラ４（２）に対する充電開始処理を実行した後に、クレードル１は、デジタルスチルカメラ４（２）に対する図７Ｂに示した機器ＩＤ問い合わせを形成し、これを無線通信部１５ａ、送受信アンテナ１５ｂを通じてデジタルスチルカメラ４（２）に対して送信する（ステップＳ５４）。
【０３９１】
デジタルスチルカメラ４（２）は、送受信アンテナ４５ｂ、無線通信部４５ａを通じてクレードル１からの機器ＩＤ問い合わせを受信すると、図７Ｃに示した機器ＩＤ応答を形成し、これを無線通信部４５ａ、送受信アンテナ４５ｂを通じて送信するので（ステップＳ５５）、クレードルは、送受信アンテナ１５ｂ、無線通信部１５ａを通じてデジタルスチルカメラ４（２）からの機器ＩＤ応答を受信し、これを外部Ｉ／Ｆ１４ａ、入出力端１４ｂを通じてサーバ装置２に送信する。
【０３９２】
サーバ装置２は、クレードル１からの機器ＩＤ応答を入出力端２６ｂ、外部Ｉ／Ｆ２６ａを通じて受信する。このようにしてクレードル１を介して送信されてくる機器ＩＤ応答（機器ＩＤ報告）により、サーバ装置２は、クレードル１にデジタルスチルカメラ４（２）が載置されたことを把握することができる。
【０３９３】
そして、サーバ装置２においては、クレードル１に新たなモバイル機器が載置されたことを把握する毎に、制御部２１により、複数のモバイル機器が載置された状態にあるか否かを判断し、複数のモバイル機器が載置された状態にある場合には、自機の不揮発性メモリ２１４に作成されている図２６を用いて説明した機器連携テーブルを参照し、行うべき機器の連携処理を特定し、連携させる機器を登録する（ステップＳ５６）。
【０３９４】
具体的には、サーバ装置２の制御部２１は、新たにクレードル１に載置されたモバイル機器と既にクレードル１に載置されているモバイル機器と同じ組み合わせが、参照する機器連携テーブルの連携機器欄の機器１と機器２として登録されたものと同じものがあるか否かを確認して、同じ組み合わせがある場合に、実行すべき機器の連携処理を特定して、連携させる機器を不揮発性メモリ２１４に登録する。
【０３９５】
なお、新たにクレードル１に載置されたモバイル機器と既にクレードル１に載置されているモバイル機器と同じ組み合わせは、新たにクレードル１に載置されたモバイル機器を機器１とし、既にクレードル１に載置されているモバイル機器を機器２とする場合と、新たにクレードル１に載置されたモバイル機器を機器２とし、既にクレードル１に載置されているモバイル機器を機器１とする場合の両方について、同じ組み合わせがあるか否かを判断することになる。また、同じ組み合わせが無い場合には、行うべき機器の連携処理は無いので以降の処理は行われない。
【０３９６】
そして、この例の場合、クレードル１に載置されたモバイル機器は、携帯電話端末４（１）とデジタルスチルカメラ４（２）であり、その組み合わせは、図２６に示した機器連携テーブルの１番目に登録された組み合わせと同じである。この場合、デジタルスチルカメラ４（２）が機器１になり、携帯電話端末４（１）が機器２になり、これがサーバ装置２の不揮発性メモリ２１４に登録される。また、デジタルスチルカメラ４（２）に記憶保持されている静止画像データをリサイズして携帯電話端末４（１）にコピーする処理を行うことが特定される。
【０３９７】
そして、サーバ装置２は、デジタルスチルカメラ４（２）に対して蓄積データリストの提供を要求する蓄積データリスト要求を形成して、これを外部Ｉ／Ｆ２６ａ、入出力端２６ｂを通じて出力し、クレードル１を通じてデジタルスチルカメラ４（２）に送信する（ステップＳ５７）。この場合、クレードル１は、入出力端１４ｂ、外部Ｉ／Ｆ１４ａを通じてサーバ装置２からの蓄積データリスト要求を受信し、これを無線通信部１５ａ、送受信アンテナ１５ｂを通じてデジタルスチルカメラ４（２）に送信する。
【０３９８】
デジタルスチルカメラ４（２）は、送受信アンテナ４５ｂ、無線通信部４５ａを通じて、クレードル１を介して送信されてくるサーバ装置２からの蓄積データリスト要求を受信し、これに応じて、図８を用いて説明した蓄積データリストを無線通信部４５ａ、送受信アンテナ４５ｂを通じてサーバ装置２に対して送信する（ステップＳ５８）。この場合、クレードル１は、送受信アンテナ１５ｂ、無線通信部１５ａを通じてデジタルスチルカメラ４（２）からの蓄積データリストを受信し、これを外部Ｉ／Ｆ１４ａ、入出力端１４ｂを通じてサーバ装置２に送信する。
【０３９９】
サーバ装置２は、クレードル１を介して送信されてくるデジタルスチルカメラ４（２）からの蓄積データリストを、入出力端２６ｂ、外部Ｉ／Ｆ２６ａを通じて受信し、これを自機のＨＤＤ３０の所定の領域に格納する（ステップＳ５９）。そして、図２８に示す処理に進む。
【０４００】
そして、サーバ装置２は、図２７のステップＳ５９において自己のＨＤＤ３０に格納した蓄積データリストと、既に提供を受けて記憶保持している蓄積データリストとの差分から、まだ提供を受けていない画像データを特定し、デジタルスチルカメラ４（２）に対して新規蓄積データの提供を要求する新規蓄積データ要求を形成して、これを外部Ｉ／Ｆ１４ａ、入出力端１４ｂを通じて出力し、クレードル１を通じてデジタルスチルカメラ４（２）に送信する（ステップＳ６０）。この場合、クレードル１は、入出力端１４ｂ、外部Ｉ／Ｆ１４ａを通じてサーバ装置２からの新規蓄積データ要求を受信し、これを無線通信部１５ａ、送受信アンテナ１５ｂを通じてデジタルスチルカメラ４（２）に送信する。
【０４０１】
デジタルスチルカメラ４（２）の制御部４１は、送受信アンテナ４５ｂ、無線通信部４５ａを通じて、クレードル１を介して送信されてくるサーバ装置２からの新規蓄積データ要求を受信し、これに応じて、まだサーバ装置２に送信していない新規蓄積データを自己の画像記憶部４４から抽出し、これを無線通信部４５ａ、送受信アンテナ４５ｂを通じてサーバ装置２に対して送信する（ステップＳ６１）。この場合、クレードル１は、無線通信部１５ａ、送受信アンテナ１５ｂを通じてデジタルスチルカメラ４（２）からの蓄積データを受信し、これを外部Ｉ／Ｆ１４ａ、入出力端１４ｂを通じてサーバ装置２に送信する。ここでデジタルスチルカメラ４（２）からサーバ装置２に提供される蓄積データは、図９に示した構成の画像データである。
【０４０２】
サーバ装置２は、クレードル１を介して送信されてくるデジタルスチルカメラ４（２）からの蓄積データを、入出力端２６ｂ、外部Ｉ／Ｆ２６ａを通じて受信し、これを自機のＨＤＤ３０の所定の領域に格納する（ステップＳ６２）。そして、サーバ装置２の制御部２１は、ステップ６２においてＨＤＤ３０に格納したデジタルスチルカメラ４（２）からの蓄積データである画像データをリサイズ処理することにより、携帯電話端末４（１）において利用するのに適したサイズの画像データを生成する（ステップＳ６３）。
【０４０３】
この後、サーバ装置２は、ステップＳ６３において生成したリサイズ後の画像データを、外部Ｉ／Ｆ１４ａ、入出力端１４ｂを通じて出力し、クレードル１を通じて携帯電話端末４（１）に対して送信する（ステップＳ６４）。ここでサーバ装置２から送信されるリサイズ後の画像データは、例えば、図１０を用いて説明したものと同様のものである。
【０４０４】
この場合、クレードル１は、入出力端１４ｂ、外部Ｉ／Ｆ１４ａを通じてサーバ装置２からのリサイズ後の画像データを受信し、これを無線通信部１５ａ、送受信アンテナ１５ｂを通じて携帯電話端末４（１）に送信する。
【０４０５】
携帯電話端末４（１）の制御部６１は、送受信アンテナ６６ｂ、無線通信部６６ａを通じて、クレードル１を介して送信されてくるサーバ装置２からのリサイズされた画像データを受信し、これを自己のコンテンツ記憶部６２に格納し、自機において利用できるようにする（ステップＳ６５）。
【０４０６】
この後、クレードル１は、充電制御部１９の機能により自機に載置された携帯電話端末４（１）、デジタルスチルカメラ４（２）のバッテリの充電容量を確認して、充電が完了するまで待ち状態になる（ステップＳ６６）。そして、ステップＳ６６において、充電が完了したと判断したときには、載置された携帯電話端末４（１）、デジタルスチルカメラ４（２）のバッテリに対する充電処理を終了させる（ステップＳ６７）。このステップＳ６６、ステップＳ６７の処理は、自機に載置されたモバイル機器ごとに行われることになる。
【０４０７】
この後、クレードル１は、携帯電話端末４（１）に対する終了確認を形成し、これを無線通信部１５ａ、送受信アンテナ１５ｂを通じて携帯電話端末４（１）に対して送信する（ステップＳ６８）。
【０４０８】
携帯電話端末４（１）は、送受信アンテナ６６ｂ、無線通信部６６ａを通じてクレードル１からの終了確認を受信すると、自機の動作状態を確認して、実行すべき処理を終了している場合（リサイズされた画像データの受信、格納処理を終了している場合）には、終了応答を形成し、これを無線通信部６６ａ、送受信アンテナ６６ｂを通じて送信するので（ステップＳ６９）、クレードル１は、送受信アンテナ１５ｂ、無線通信部１５ａを通じて携帯電話端末４（１）からの終了応答を受信し、これを外部Ｉ／Ｆ１４ａ、入出力端１４ｂを通じてサーバ装置２に送信する。
【０４０９】
サーバ装置２は、クレードル１からの終了応答を入出力端２６ｂ、外部Ｉ／Ｆ２６ａを通じて受信する。このようにしてクレードル１を介して送信されてくる携帯電話端末４（１）からの終了応答により、サーバ装置２は、携帯電話端末４（１）における一連の処理が終了したことを把握することができる。
【０４１０】
次に、クレードル１は、デジタルスチルカメラ４（２）に対する終了確認を形成し、これを無線通信部１５ａ、送受信アンテナ１５ｂを通じてデジタルスチルカメラ４（２）に対して送信する（ステップＳ７０）。
【０４１１】
デジタルスチルカメラ（２）は、送受信アンテナ４５ｂ、無線通信部４５ａを通じてクレードル１からの終了確認を受信すると、自機の動作状態を確認して、実行すべき処理を終了している場合（要求されたデータの返信などの処理を終了している場合）には、終了応答を形成し、これを無線通信部４５ａ、送受信アンテナ４５ｂを通じて送信するので（ステップＳ７１）、クレードル１は、送受信アンテナ１５ｂ、無線通信部１５ａを通じてデジタルスチルカメラ４（２）からの終了応答を受信し、これを外部Ｉ／Ｆ１４ａ、入出力端１４ｂを通じてサーバ装置２に送信する。
【０４１２】
サーバ装置２は、クレードル１からの終了応答を入出力端２６ｂ、外部Ｉ／Ｆ２６ａを通じて受信する。このようにしてクレードル１を介して送信されてくるデジタルスチルカメラ４（２）からの終了応答により、サーバ装置２は、デジタルスチルカメラ４（２）における一連の処理が終了したことを把握することができる。
【０４１３】
そして、この例の場合、携帯電話端末４（１）、デジタルスチルカメラ４（２）からの終了応答を受信したサーバ装置２においては、制御部２１が、自己の不揮発性メモリ２１４に登録した連携させるモバイル機器の登録（デジタルスチルカメラ４（２）と携帯電話端末４（１）を連携させる処理を行うことの登録を消去し（ステップＳ７２）、図２７、図２８に示した、デジタルスチルカメラ４（２）と携帯電話端末４（１）の連携処理を終了させる。
【０４１４】
これにより、携帯電話端末４（１）においては、デジタルスチルカメラ４（２）で撮影されて得られた画像データであって、サーバ装置２において携帯電話端末４（１）用にリサイズされた画像データの提供を受けてコンテンツ記憶部６２に格納し、これを自己のＬＣＤ８２に表示させて確認するなどのことができるようにされる。すなわち、クレードル１に載置された携帯電話端末４（１）とデジタルスチルカメラ４（２）との間において連携を取ることができるようにされる。
【０４１５】
なお、上述したように、連携させるモバイル機器を登録し、処理終了後に消去するのは、クレードル１には種々のモバイル機器が載置されるので、連携処理を行っているモバイル機器を確実に把握して、適切に連携処理を行うことができるようにするためである。
【０４１６】
［撮像装置と携帯電話端末が連携する場合のクレードル１の処理について］
図２９は、この第２の実施の形態のデータ通信システムにおいて、図２７〜図２８を用いて説明した撮像装置であるデジタルスチルカメラ４（２）と携帯電話端末４（１）とが連携し、デジタルスチルカメラ４（２）で撮影することにより得た静止画像データを携帯電話端末４（１）においても利用できるようにする場合にクレードル１において行われる処理を説明するためのフローチャートである。
【０４１７】
この図２９に示す処理は、クレードル１において電源が投入された状態にあるときに主に制御部１１と送受信制御部１７とによって実行される。なお、上述もしたように、この第２の実施の形態のクレードル１に対しても、第１の実施の形態の場合と同様に、１度に複数のモバイル機器を載置することが可能であり、モバイル機器の載置可能最大台数分の図２９に示す処理が、いわゆるマルチタスクで実行することができるようにしている。
【０４１８】
そして、電源が投入されると、クレードル１の制御部１１は、載置検出部１６を制御して、モバイル機器の載置検出を開始し、モバイル機器が自機に載置されたか否かを判断する（ステップＳ５１０１）。ステップＳ５１０１の判断処理においてモバイル機器は載置されていないと判断したときには、モバイル機器の載置検出を繰り返すようにし、モバイル機器が載置されるのを待つ。
【０４１９】
ステップＳ５１０１の判断処理において、モバイル機器が載置されたと判断したときには、制御部１１は、充電制御部１９を制御し、新たに載置されたモバイル機器４のバッテリの充電容量を確認する（ステップＳ５１０２）。このステップＳ５１０２の処理は、モバイル機器４のバッテリの電圧などを検出するなど、電気的な検出処理によって確認することが可能である。
【０４２０】
そして、制御部１１は、ステップＳ５１０２の確認結果に基づいて、新たに載置されたモバイル機器４に対して充電が必要か否かを判断し（ステップＳ５１０３）、充電が必要であると判断したときには、制御部１１は、充電制御部１９を制御して、新たに載置された当該モバイル機器４のバッテリに対して充電を開始させるようにする（ステップＳ５１０４）。また、ステップＳ５１０３の判断処理において、充電は必要ないと判断したときには、ステップＳ５１０５の処理に進む。
【０４２１】
次に、制御部１１は、図７Ｂを用いて説明した機器ＩＤ問合せコマンドデータを形成し、これを送受信制御部１７が無線通信部１５ａ、送受信アンテナ１５ｂを制御して、これらを通じて新たに載置されたモバイル機器４（携帯電話端末４（１）やデジタルスチルカメラ４（２））に送信する（ステップＳ５１０５）。これに応じてモバイル機器４から機器ＩＤ応答が送信されてくるので、クレードル１の送受信制御部１７は、送受信アンテナ１５ｂ、無線通信部１５ａを通じて、モバイル機器４からの図７Ｃを用いて説明した機器ＩＤ応答を受信し、これを外部Ｉ／Ｆ１４ａ、入出力端１４ｂを通じてサーバ装置２に送信する、機器ＩＤ応答の中継処理を行う（ステップＳ５１０６）。
【０４２２】
この後、クレードル１は、サーバ装置２とクレードル１に載置されたモバイル機器（携帯電話端末４（１）やデジタルスチルカメラ４（２））との間においての、情報の中継処理を行う（ステップＳ５１０７）。すなわち、ステップＳ５１０７においては、図２７、図２８を用いて説明したように、サーバ装置２と携帯電話端末４（１）、デジタルスチルカメラ４（１）との間において送受される、蓄積データリスト要求、蓄積データリスト、新規蓄積データ要求、新規蓄積データ、リサイズ画像データ等の要求やデータ等の情報の中継処理が行われる。
【０４２３】
そして、一連の情報の中継処理が終了すると、クレードル１の制御部１１は、充電制御部１９を制御してモバイル機器４のバッテリの充電容量を確認するようにし（ステップＳ５１０８）、ステップＳ５１０８の確認の結果に基づいて充電は完了したか否かを判断する（ステップＳ５１０９）。ステップＳ５１０９の判断処理において、まだ充電は完了していないと判断したときには、ステップＳ５１０８からの処理を繰り返す。
【０４２４】
また、ステップＳ５１０９の判断処理において、充電は完了したと判断したときには、クレードル１の制御部１１は、充電制御部１９を制御し、充電が完了したと判断したモバイル機器４に対する充電処理を終了させる（ステップＳ５１１０）。そして、クレードル１の制御部１１は、充電が完了したと判断したモバイル機器４に対する終了確認を形成し、これを無線通信部１５ａ、送受アンテナ１５ｂを通じて当該モバイル機器４に送信する（ステップＳ５１１１）。
【０４２５】
これに応じて当該終了確認の送信先のモバイル機器４からは、機器間の連携に関する処理が終了していれば終了応答が送信されてくるので、クレードル１の送受信制御部１７は、送受信アンテナ１５ｂ、無線通信部１５ａを通じて、モバイル機器４からの終了応答を受信し、これを外部Ｉ／Ｆ１４ａ、入出力端１４ｂを通じてサーバ装置２に送信する、終了応答の中継処理を行い（ステップＳ５１１２）、この図２９に示す処理を終了させる。
【０４２６】
なお、ステップＳ５１０３において充電は必要ないと判断し、ステップＳ５１０４において充電を開始するようにしなかった場合には、ステップＳ５１０８、ステップＳ５１０９の処理を通じて充電は必要ないと判断することができ、ステップＳ５１１０の処理をスルーして、ステップＳ５１１１、ステップＳ５１１２の終了確認処理を行うようにすることができる。
【０４２７】
このように、クレードル１は、自機にモバイル機器４が載置されたことを検出した場合に、モバイル機器４から機器ＩＤを取得し、これをサーバ装置２に通知して、サーバ装置２における処理の開始の契機を提供することができるようにしている。
【０４２８】
［撮像装置と携帯電話端末が連携する場合のサーバ装置２の処理について］
図３０は、この第２の実施の形態のデータ通信システムにおいて、図２７〜図２８を用いて説明した撮像装置であるデジタルスチルカメラ４（２）と携帯電話端末４（１）とが連携し、デジタルスチルカメラ４（２）で撮影することにより得た静止画像データを携帯電話端末４（１）においても利用できるようにする場合にサーバ装置２において行われる処理を説明するためのフローチャートである。この図３０に示す処理は、サーバ装置２において電源が投入された状態にあるときに主に制御部２１と送受信制御部２７とによって実行される処理である。
【０４２９】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤ報告を受信したか否かを判断する（ステップＳ５２０１）。ステップＳ５２０１の判断処理において、まだ機器ＩＤ報告を受信していないと判断したときには、ステップＳ５２０１からの処理を繰り返し、クレードル１に載置されたモバイル機器の機器ＩＤ報告の受信待ちとなる。
【０４３０】
ステップＳ５２０１の判断処理において、クレードル１からの機器ＩＤ報告を受信したと判断したときには、制御部２１は、既に受信済みの機器ＩＤを把握しているので、複数のモバイル機器がクレードル１に載置された状態になったか否かを判断する（ステップＳ５２０２）。ステップＳ５２０２の判断処理において、まだ複数のモバイル機器がクレードル１に載置された状態になっていない（まだ、１台しか載置されていない）と判断したときには、ステップＳ５２０１からの処理を繰り返す。
【０４３１】
ステップＳ５２０２の判断処理において、複数のモバイル機器がクレードル１に載置されたと判断したときには、制御部２１は、図２６を用いて説明したように、不揮発性メモリ２１４に形成される機器連携テーブルを参照し（ステップＳ５２０３）、クレードル１に載置された２台のモバイル機器の組み合わせが、連携させる機器の組み合わせとして機器連携テーブルに登録されているか否かを判断する（ステップＳ５２０４）。
【０４３２】
ステップＳ５２０４の判断処理において、クレードル１に載置された２台のモバイル機器の組み合わせが、連携させる機器の組み合わせとして機器連携テーブルに登録されていないと判断したときには、モバイル機器間で連携させる処理は存在しないので、この図３０に示す処理を終了させる。
【０４３３】
また、ステップＳ５２０４の判断処理において、クレードル１に載置された２台のモバイル機器の組み合わせが、連携させる機器の組み合わせとして機器連携テーブルに登録されていると判断したときには、参照した機器連携テーブルの情報に基づいて、クレードル１に載置されたモバイル機器間で行う連携処理を特定し、当該２台のモバイル機器を連携する機器としてサーバ装置２の不揮発性メモリ２１４に登録する（ステップＳ５２０５）。
【０４３４】
この例の場合には、図２４〜図２８を用いて説明したように、機器１がデジタルスチルカメラ４（２）であり、機器２が携帯電話端末４（１）であるので、図２６に示した１番目に登録された、「機器１の静止画像データをリサイズして機器２にコピーする処理」が実行する連携処理として特定され、機器１であるデジタルスチルカメラ４（２）と機器２である携帯電話端末４（１）とが連携する機器として不揮発性メモリ２１４に登録される。
【０４３５】
そして、図３０に示した処理のステップＳ５２０６以降の処理が、ステップＳ５２０５において特定された連携処理に応じた処理であり、図２６に示した機器連携テーブルのプログラムＩＤによって特定されるプログラムによる処理となる。この例の場合、サーバ装置２の制御部２１は、デジタルスチルカメラ４（２）宛の蓄積データリスト要求を形成し、これを送受信制御部２７が、外部Ｉ／Ｆ２６ａ、入出力端２６ｂを通じて送信する（ステップＳ５２０６）。この蓄積データリスト要求は、上述もしたように、クレードル１を介して、デジタルスチルカメラ４（２）に送信される。
【０４３６】
これに応じて、デジタルスチルカメラ４（２）からはクレードル１を介して蓄積データリストが送信されてくるので、送受信制御部２７は、外部Ｉ／Ｆ２６ａを制御し、デジタルスチルカメラ４（２）からの蓄積データリストを受信して、これをＨＤＤ３０の所定の領域に格納する（ステップＳ５２０７）。
【０４３７】
そして、制御部２１は、ＨＤＤ３０に格納した蓄積データリストに基づいて、デジタルスチルカメラ４（２）に、まだサーバ装置２が提供を受けていない新規蓄積データを洗い出すようにする（ステップＳ５２０８）。この実施の形態において、ステップＳ５２０８の洗い出し処理は、簡単には、先に提供を受けた蓄積データリストと、今回提供を受けた蓄積データリストの差分として新規蓄積データを把握する。
【０４３８】
そして、制御部２１は、ステップＳ５２０８の洗い出し結果に基づいて、デジタルスチルカメラ４（２）に新規蓄積データが存在するか否かを判断する（ステップＳ５２０９）。ステップＳ５２０９の判断処理において、新規蓄積データは存在しないと判断したときには、携帯電話端末４（１）に供給すべきデータが存在しないので、ステップＳ５２１５の処理に進み、ステップＳ５２０５で不揮発性メモリ２１４に対して行った連携機器登録を消去して（ステップＳ５２１５）、この図３０の処理を終了させる。
【０４３９】
また、ステップＳ５２０９の判断処理において、デジタルスチルカメラ４（２）に新規蓄積データが存在すると判断したときには、サーバ装置２の制御部２１は、デジタルスチルカメラ４（２）宛の新規蓄積データ要求を形成し、これを送受信制御部２７が、外部Ｉ／Ｆ２６ａ、入出力端２６ｂを通じて送信する（ステップＳ５２１０）。この新規蓄積データ要求は、上述もしたように、クレードル１を介して、デジタルスチルカメラ４（２）に送信される。
【０４４０】
これに応じて、デジタルスチルカメラ４（２）からはクレードル１を介して新規蓄積データが送信されてくるので、送受信制御部２７は、外部Ｉ／Ｆ２６ａを制御し、デジタルスチルカメラ４（２）からの新規蓄積データを受信して、これをＨＤＤ３０の所定の領域に格納する（ステップＳ５２１１）。
【０４４１】
そして、サーバ装置の制御部２１は、書き戻しデータ作成部２９の機能を用いて、デジタルスチルカメラ４（２）から提供を受けた新規蓄積データ（静止画像データ）から、携帯電話端末４（１）宛のリサイズした静止画像データを生成する（ステップＳ５２１２）。そして、送受信制御部２７は、外部Ｉ／Ｆ２６ａを制御して、携帯電話端末４（１）宛のリサイズした静止画像データを携帯電話端末４（１）に対して送信する（ステップＳ５２１３）。この携帯電話端末４（１）宛のリサイズした静止画像データは、上述もしたように、クレードル１を介して携帯電話端末４（１）に送信される。
【０４４２】
この後、サーバ装置２の制御部２１は、連携機器である携帯電話端末４（１）とデジタルスチルカメラ４（２）からの終了応答を受信するまで待ち状態となり（ステップＳ５２１４）、携帯電話端末４（１）とデジタルスチルカメラ４（２）との両方からの終了応答を受信した場合には、ステップＳ５２０５で不揮発性メモリ２１４に対して行った連携機器登録を消去して（ステップＳ５２１５）、この図３０の処理を終了させる。
【０４４３】
［撮像装置と携帯電話端末が連携する場合のデジタルスチルカメラ４（２）の処理について］
図３１は、この第２の実施の形態のデータ通信システムにおいて、図２７〜図２８を用いて説明した撮像装置であるデジタルスチルカメラ４（２）と携帯電話端末４（１）とが連携し、デジタルスチルカメラ４（２）で撮影することにより得た静止画像データを携帯電話端末４（１）においても利用できるようにする場合にデジタルスチルカメラ４（２）において行われる処理を説明するためのフローチャートである。
【０４４４】
この図３１に示す処理は、モバイル機器であるデジタルスチルカメラ４（２）が例えば充電モード等の、クレードル１に載置され、データ通信と充電処理とを行うようにする所定のモードとされた場合に、デジタルスチルカメラ４（２）の主に制御部４１と送受信制御部４７によって実行される処理である。
【０４４５】
まず、所定のモードに切り替えられると、送受信制御部４７は、送受信アンテナ４５ｂ、無線通信部４５ａを通じて、クレードル１からの機器ＩＤ問合せを受信したか否かを判断する（ステップＳ５３０１）。ステップＳ５３０１の判断処理において、機器ＩＤ問合せを受信していないと判断したときには、ステップＳ５３０１からの処理を繰り返し、機器ＩＤ問合せの受信待ちとなる。
【０４４６】
ステップＳ５３０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを無線通信部４５ａ、送受信アンテナ４５ｂを通じて送信する（ステップＳ５３０２）。この機器ＩＤ応答は、クレードル１を介してサーバ装置２に送信される。
【０４４７】
そして、送受信制御部４７は、送受信アンテナ４５ｂ、無線通信部４５ａを通じて、クレードル１を介して送信されてくるサーバ装置２からの蓄積データリスト要求を受信するようにする（ステップＳ５３０３）。そして、蓄積データリスト要求を受信したときには、制御部４１は、サーバ装置２宛の図８を用いて説明した蓄積データリスを形成し、これを送受信制御部４７が、無線通信部４５ａを制御して送信する（ステップＳ５３０４）。この蓄積データリストも、クレードル１を介してサーバ装置２に送信される。
【０４４８】
そして、送受信制御部４７は、送受信アンテナ４５ｂ、無線通信部４５ａを通じて、クレードル１を介して送信されてくるサーバ装置２からの新規蓄積データ要求を受信するようにする（ステップＳ５３０５）。そして、新規蓄積データ要求を受信したときには、制御部４１は、要求された新規蓄積データ（静止画像データ）を画像記憶部４４から読み出し、これを送受信制御部４７が、無線通信部４５ａを制御して送信する（ステップＳ５３０６）。この新規蓄積データも、クレードル１を介してサーバ装置２に送信される。
【０４４９】
この後、送受信制御部４７は、送受信アンテナ４５ｂ、無線通信部４５ａを通じて、クレードル１から送信される終了確認を受信するようにし（ステップＳ５３０７）、当該終了確認を受信したときには、連携処理が終了するまで待ち状態となり（ステップＳ５３０８）、一連の連携処理が終了していれば、制御部４１は、終了応答を形成し、これを送受信制御部４７が、無線通信部４５ａを制御して送信し（ステップＳ５３０９）、この図３１の処理を終了する。
【０４５０】
［撮像装置と携帯電話端末が連携する場合の携帯電話端末４（１）の処理について］
図３２は、この第２の実施の形態のデータ通信システムにおいて、図２７〜図２８を用いて説明した撮像装置であるデジタルスチルカメラ４（２）と携帯電話端末４（１）とが連携し、デジタルスチルカメラ４（２）で撮影することにより得た静止画像データを携帯電話端末４（１）においても利用できるようにする場合に携帯電話端末４（１）において行われる処理を説明するためのフローチャートである。
【０４５１】
この図３２に示す処理は、モバイル機器である携帯電話端末４（１）が例えば充電モード等の、クレードル１に載置され、データ通信と充電処理とを行うようにする所定のモードとされた場合に、携帯電話端末４（１）の主に制御部６１によって実行される処理である。
【０４５２】
まず、所定のモードに切り替えられると、制御部６１は、送受信アンテナ６６ｂ、無線通信部６６ａを通じて、クレードル１からの機器ＩＤ問合せを受信したか否かを判断する（ステップＳ５４０１）。ステップＳ５４０１の判断処理において、機器ＩＤ問合せを受信していないと判断したときには、ステップＳ５４０１からの処理を繰り返し、機器ＩＤ問合せの受信待ちとなる。
【０４５３】
ステップＳ５４０１の判断処理において、クレードル１からの機器ＩＤ問合せを受信したと判断したときには、制御部６１は、自機の例えばＲＯＭ６１２に記憶保持されている機器ＩＤや機器属性などの必要な情報を取得し、図７Ｃに示したような機器ＩＤ応答を形成して、これを無線通信部６６ａ、送受信アンテナ６６ｂを通じて送信する（ステップＳ５４０２）。この機器ＩＤ応答は、クレードル１を介してサーバ装置２に送信される。
【０４５４】
そして、制御部６１は、送受信アンテナ６６ｂ、無線通信部６６ａを通じて、クレードル１を介して送信されてくるサーバ装置２からの携帯電話端末４（１）用にリサイズされた静止画像データを受信し、これをコンテンツ記憶部６２に格納する（ステップＳ５４０３）。そして、コンテンツ記憶部６２に記憶した自機用にリサイズされた静止画像データを、制御部６１の制御に応じて読み出して利用できるようデータの形式を整えるなどの準備を行う（ステップＳ５４０４）。
【０４５５】
この後、制御部６１は、クレードル１から送信される終了確認を送受信アンテナ６６ｂ、無線通信部６６ａを通じて受信するようにし（ステップＳ５４０５）、当該終了確認を受信したときには、連携処理が終了するまで待ち状態となり（ステップＳ５４０６）、一連の連携処理が終了していれば、制御部６１は、終了応答を形成し、これを無線通信部６６ａを制御して送信し（ステップＳ５４０７）、この図３２の処理を終了する。
【０４５６】
このように、この例の場合には、撮像装置であるデジタルスチルカメラ４（２）と携帯電話端末４（１）とが連携し、デジタルスチルカメラ４（２）で撮影することにより得た静止画像データをサーバ装置２において携帯電話端末４（１）用にリサイズし、このリサイズした静止画像データを携帯電話端末４（１）に転送してコピーし、携帯電話端末４（１）においても利用することができるようにされる。
【０４５７】
［リサイズしてコピーする画像の他の抽出例について］
図２４〜図３２を用いて説明したデジタルスチルカメラ４（２）で撮影することにより得た静止画像データをサーバ装置１において携帯電話端末４（１）用にリサイズし、このリサイズした静止画像データを携帯電話端末４（１）に転送してコピーし、携帯電話端末４（１）においても利用できるようにする場合において、リサイズする静止画像データは、サーバ装置２が提供を受けたことの無い、新規蓄積データを処理対象とするようにした。
【０４５８】
しかし、これに限るものではない。図８を用いて説明したように、蓄積データリストには、蓄積データである静止画像データの作成日を示す情報も付加されているので、作成日が新しいものから、携帯電話端末４（１）に転送してコピー可能な容量分の静止画像データを抽出し、これをリサイズして携帯電話端末４（１）に転送するようにしてもよい。
【０４５９】
この場合、携帯電話端末４（１）にリサイズされた静止画像データの全部を記憶する容量が無かった場合には、古いリサイズされた静止画像データ上に上書きするようにしてもよい。また、予め、携帯電話端末４（１）のコンテンツ記憶部６２の空き容量をサーバ装置２がクレードル１を介して問い合わせておき、実際の空き容量に応じた分のリサイズした静止画像データを生成して転送するようにしてもよい。
【０４６０】
また、デジタルスチルカメラ４（２）において撮影されて得られた静止画像データが、例えばイベントごとに分類されてフォルダにまとめられているような場合には、最新に作成されたフォルダに格納されている静止画像データをリサイズの対象とするようにすることも可能である。イベントごとに分類されている場合には、必要に応じてユーザーの選択指示に応じたグループの静止画像データをリサイズの対象とすることも可能である。
【０４６１】
また、静止画像データには、プロテクト情報や印刷マークなども付加するようにされているので、例えば、プロテクト情報が付加された静止画像データだけをリサイズの対象としたり、印刷マークが付加された静止画像データだけをリサイズの対象としたり、あるいは、プロテクト情報と印刷マークとの両方が付加された静止画像データだけをリサイズの対象とするなど、付加されている情報に基づく優先度に応じてリサイズの対象とする静止画像データを抽出するようにすることもできる。
【０４６２】
どのような条件の下に、リサイズする静止画像データを抽出するかについては、図２６に示した機器連携テーブルの連携処理内容などに記載しておき、これに応じて処理するようにすることも可能である。
【０４６３】
また、静止画像データをどの程度の大きさにリサイズするかは、携帯電話端末４（１）に応じて特定するようにすることも可能であるし、例えば、予めサーバ装置２に登録されたユーザーの指示に応じた大きさにリサイズするようにすることも可能である。また、デジタルスチルカメラ４（２）から携帯電話端末４（１）に対して提供する画像データを、サーバ装置２においてリサイズせずにそのまま提供することも可能である。つまり、どれだけの静止画像データを、どのようなサイズで転送するようにするかは、種々決めることができる。
【０４６４】
［デジタルビデオカメラと携帯電話端末との連携について］
図２４〜図３２を用いて説明した例は、デジタルスチルカメラ４（２）で撮影することにより得た画像データ（静止画像データ）をリサイズして携帯電話端末４（１）に提供し、携帯電話端末４（１）で利用できるようにするものである。これと同様にして、デジタルビデオカメラ４（３）で撮影することにより得た動画像データをリサイズして携帯電話端末４（１）に提供し、携帯電話端末４（１）で利用できるようにすることも可能である。
【０４６５】
この場合、動画像データは静止画像データに比べるとそのデータ量は非常に多いので、単に画像サイズ（画面サイズ）を小さくするだけでなく、動画像データから所定の方式にしたがって抽出したシーンからなるダイジェスト版を形成し、これを携帯電話端末４（１）に転送して利用できるようにすることも可能である。
【０４６６】
ここで、ダイジェスト版の形成方法としては、デジタルビデオカメラ４（３）で撮影することにより得た動画像データのシーンチェンジ点を検出し、各シーンチェンジ点から一定時間分の区間の動画像データを連結してダイジェスト版を形成したり、音声レベルの高いシーン部分を抽出して連結してダイジェスト版を形成したりするなど種々の方法を用いることができる。
【０４６７】
そして、デジタルビデオカメラ４（３）と携帯電話端末４（１）を動画像データの利用の点から連携させる場合であっても、その処理は、図２７〜図３２を用いて説明した処理とほぼ同様にして行うことができる。すなわち、図２８に示したステップＳ６１、ステップＳ６２、ステップＳ６４、ステップＳ６５で扱われるデータが、静止画像データから動画像データになる点、また、ステップＳ６３で行われるサーバ装置２におけるリサイズ処理が、動画像データのダイジェスト版の形成処理を含む点が異なる以外は、静止画像データの利用の点からデジタルスチルカメラ４（２）と携帯電話端末４（１）とを連携させる場合と同様に処理することができる。
【０４６８】
なお、動画像データを転送する場合にも、画像サイズを変更するリサイズ処理やダイジェスト版の形成処理を行うことなく、デジタルビデオカメラ４（３）に記憶保持されている動画像データをその先頭から所定量分伝送するようにしたり、動画像データの所定の位置から、例えば、音声レベルが急に所定レベル以上になった位置から所定量分転送したりするなどのことも可能である。要は、動画像データのどの部分をどれだけ転送するようにするかは、種々決めることが可能である。
【０４６９】
［（２）携帯型音楽再生機と撮像装置との間で音楽データを用いる連携（第２の例）について］
図３３は、第２の例、すなわち、携帯型音楽再生機と撮像装置との間で音楽データを用いる連携を行う場合の概要について説明するための図である。上述したように、クレードル１に対しては、種々のモバイル機器を複数同時に載置することが可能である。このため、図３３に示すように、例えば、携帯型音楽再生機４（４）や音楽再生機能付き携帯電話端末４（１）などの携帯型の音楽再生機と、デジタルスチルカメラ４（２）などの撮像装置とをクレードル１に載置する場合もある。
【０４７０】
この例の場合においても重要なことは、音楽再生機と撮像装置とがクレードル１に対して載置されていることであり、載置のタイミングは異なっていてもよい。例えば、携帯型音楽再生機４（４）が先にクレードル１に載置され、数時間後に撮像装置がクレードル１に載置されるような場合や、これとは逆に、撮像装置が先にクレードル１に載置され、後から携帯型音楽再生機４（４）が載置されるような場合であってもよい。要は、携帯型音楽再生機と撮像装置とがクレードル１に対して載置されている状況となっていればよい。
【０４７１】
そして、デジタルスチルカメラ４（２）等の撮像装置の中には、音楽再生機能をも備え、撮像して得た静止画像データを用いて例えばスライドショーを行う場合に、同時に音楽データをも再生して利用できるようにしているものもある。そこで、この例においては、音楽再生機と音楽再生機能を備えた撮像装置とがクレードル１に載置された場合に、音楽再生機から撮像装置に自動的に適切と考えられる音楽データを転送し、撮像装置で再生可能な音楽データを更新する。
【０４７２】
このようにすることにより、携帯型の音楽再生機と撮像装置との間で機能連携を強化し、携帯型の音楽再生機でよく再生している音楽データを音楽再生機能付きの撮像装置においてもユーザーが直接に関与することなく自動的に利用することができるようにしている。
【０４７３】
以下においては、携帯型の音楽再生機として音楽再生機能を備えた携帯電話端末４（１）と音楽再生機能を備えたデジタルスチルカメラ４（２）とが、クレードル１に載置された場合を例にして、具体的に説明する。
【０４７４】
［モバイル機器である音楽再生機能を備えたデジタルスチルカメラ４（２）の構成例について］
図３４は、この第２の実施の形態のデータ通信システムで用いられるモバイル機器の１つである音楽再生機能付きのデジタルスチルカメラ４（２）の構成例を説明するためのブロック図である。図３４に示すように、この例のデジタルスチルカメラ４（２）は、音声再生部５２、スピーカ５３を備え、画像データや音楽データを記憶保持するデータ記憶部５４を備える点を除けば、図４に示したモバイル機器であるデジタルスチルカメラと同様に構成されるものである。
【０４７５】
このため、図３４に示すデジタルスチルカメラ４（２）において、図４に示したモバイル機器であるデジタルスチルカメラと同様に構成される部分には同じ参照符号を付し、それらの詳細な説明については省略する。
【０４７６】
そして、図３４に示すように、この例のデジタルスチルカメラ４（２）の場合、図４に示したデジタルスチルカメラが備えていた画像記憶部４４に変えて、データ記憶部５４を備えるものである。このデータ記憶部５４は、撮影することにより得た静止画像データや、例えば、送受信アンテナ４５ｂ、無線通信部４５ａを通じてサーバ装置などから提供を受ける音楽データ等を記憶保持することができるものである。
【０４７７】
音声再生部５２は、制御部２１によりデータ記憶部５４から読み出された音楽データの供給を受けて、これをアナログ音声信号に変換し、制御部４１の制御に応じて、種々の音響調整処理や増幅処理を行って、スピーカ５３に供給する音声信号を形成し、これをスピーカ５３に供給する。
【０４７８】
これにより、データ記憶部５４から読み出された音楽データに応じた音楽をスピーカ５３から放音して、これをユーザーが聴取することができるようにされる。なお、音楽データがデータ圧縮されたものである場合には、音声再生部５２において圧縮解凍処理を行うようにすることもできるし、制御部４１において行うようにすることもできる。
【０４７９】
そして、この例のデジタルスチルカメラ４（２）は、制御部４１がデータ記憶部５４に記憶保持されている静止画像データを順次に読み出して、これを表示部４９に供給して表示部４９の表示画面に所定時間分ずつ表示するスライドショー再生を行う場合に、制御部４１がデータ記憶部５４に記憶保持されている所定の音楽データを読み出して、これを音声再生部５２に供給することにより、同時に音楽も再生する機能をも備えたものである。
【０４８０】
なお、この例で用いられる音楽再生機能付きの携帯電話端末４（１）は、図２５を用いて説明した携帯電話端末と同様に構成されたものである。
【０４８１】
［蓄積データである音楽データのレイアウト例］
図３５は、図２５を用いて説明した構成を有するこの例のデータ通信システムで用いられる音楽再生機能付きの携帯電話端末４（１）のコンテンツ記憶部６２や図３４を用いて説明した構成を有するこの例のデータ通信システムで用いられるデジタルスチルカメラ４（２）のデータ記憶部５４に記憶保持される蓄積データである音楽データのレイアウト例を説明するための図である。
【０４８２】
蓄積データである音楽データは、この例の携帯電話端末４（１）の広域通信機能を用いて、インターネット上の所定のサーバ装置からダウンロードしてきたものや、送受信アンテナ６６ｂ、無線通信部６６ａを通じてサーバ装置２から提供されたものである。そして、図３５に示すように、携帯電話端末４（１）やデジタルスチルカメラ４（２）の所定の記憶部に蓄積される音楽データ（蓄積データ）には、ヘッダ情報が付加される。
【０４８３】
ヘッダ情報は、図３５に示すように、装置ＩＤ、データＩＤ、データ属性、作成日時、データサイズ、プロテクト、使用回数、再生履歴（再生日時１、再生日時２、…）、その他の情報からなるものである。
【０４８４】
ここで、装置ＩＤは、当該蓄積データを蓄積している装置を特定する情報である。データＩＤは、当該蓄積データを一意に特定可能なものである。データ属性は、当該蓄積データが静止画像データなのか、動画像データなのか、音声データなのか等のデータの種類を示す情報である。作成日時は、当該音楽データを取得してコンテンツ記憶部６２に記録した日時を示す情報である。データサイズは、当該音楽データの大きさを示す情報である。
【０４８５】
また、プロテクトは、例えば、プロテクトがかけら得ている場合にはオン、掛けられていない場合にはオフとなる情報であり、プロテクトがかけられている場合には、これを解除しない限り、消去することができないようにされる。また、使用回数は、当該音楽データが再生される毎に、値１がインクリメントされる情報であり、何回再生されたかを把握するための情報である。また、再生履歴は、この例の場合、直近の５回分の再生日時からなるものである。
【０４８６】
このようにヘッダ情報が付加された音楽データが、この例の音楽再生機能付き携帯電話端末４（１）のコンテンツ記憶部６２やデジタルスチルカメラ４（２）のデータ記憶部５４に記憶保持されている。
【０４８７】
［蓄積データである静止画像データのレイアウト例］
図３６は、図３４を用いて説明した構成を有するデジタルスチルカメラ４（２）のデータ記憶部５４に記憶保持される蓄積データである静止画像データのレイアウト例を説明するための図である。静止画像データは、基本的には当該デジタルスチルカメラ４（２）において撮影することにより取得したものである。この他、送受信アンテナ６６ｂ、無線通信部６６ａを通じてサーバ装置２から提供されたものである場合もある。
【０４８８】
そして、図３６に示すように、データ記憶部５４に蓄積される静止画像データ（蓄積データ）には、ヘッダ情報が付加される。ヘッダ情報は、図３６に示すように、装置ＩＤ、データＩＤ、データ属性、作成日時、プロテクト、印刷マーク、データサイズ、使用回数、その他の情報からなるものである。
【０４８９】
印刷マーク以外の各情報は、図３５を用いて説明した音楽データに付加されたヘッダ情報の対応する情報と同様のものである。そして、印刷マークは、印刷する必要のある情報であることを予め指定しておくための情報であり、この情報がオンになっている場合には、例えば、サーバ装置２に取り込まれた場合に、自動的に印刷するなどのことができるようにされる。
【０４９０】
このようにヘッダ情報が付加された画像データが、この例のデジタルスチルカメラ４（２）のデータ記憶部５４に記憶保持されている。
【０４９１】
そして、上述もしたように、この例のデジタルスチルカメラ４（２）において、データ記憶部５４に記憶保持されている静止画像データを順次に読み出して、一定時間ずつ表示部４９の表示画面に表示するスライドショー再生を行う場合に、データ記憶部５４に記憶保持されている音楽データが予め決められた順番で読み出されて、一定時間分ずつ再生することができるようにされる。
【０４９２】
なお、スライドショー再生時において、再生される音楽データの再生順は、例えば、デジタルスチルカメラ４（２）の不揮発性メモリ４１４に登録された音楽再生順テーブルにしたがって制御される。この音楽再生順テーブルには、再生されるべき楽曲のデータＩＤ（楽曲ＩＤ）と再生時間とが登録されている。この再生時間は、ユーザーが調整することもできるようにされる。
【０４９３】
制御部４１は、当該音楽再生順テーブルに登録された順番にしたがって、音楽データをデータ記憶部５４から読み出し、これを音声再生部５２に供給し、音楽再生テーブルに指定された再生時間分の再生を終了すると、次の音楽データを読み出して、音声再生部５２に供給するといった処理を行うことによって、スライド再生時において、音楽を再生することができるようにしている。
【０４９４】
そして、この例のデータ通信システムにおいては、音楽再生機能付き携帯電話端末４（１）と、音楽再生機能付きデジタルスチルカメラ４（２）がクレードル１に載置された場合に、携帯電話端末４（１）においてよく利用している音楽データを、デジタルスチルカメラ４（２）にも転送して、デジタルスチルカメラ４（２）においても利用することができるようにしたものである。
【０４９５】
［機器連携テーブルの構成例について］
そして、以下に説明するモバイル機器間において音楽データを用いた連携を行う場合にも、サーバ装置２の例えば不揮発性メモリ２１４に作成される機器関連テーブルの情報に従ったサーバ装置２の制御により、当該モバイル機器間の連携を実現することができる。この場合において用いられる機器関連テーブルは、図２６を用いて説明したものと同様のものであるが、登録されている情報が異なる。
【０４９６】
図３７は、この例において用いられる機器連携テーブルについて説明するための図である。図３７において、１番目と２番目に登録された情報は、図２６に示したものと同じである。そして、この例の場合には、図３７に示した機器連携テーブルの３番目に登録した情報が必要になる。
【０４９７】
すなわち、図３７に示した機器連携テーブルの３番目に登録された登録情報は、連携機器として、機器１が「携帯型音楽再生機（音楽再生機能付きの携帯電話端末を含む）」、機器２が「音楽再生機能付きのデジタルスチルカメラ」であり、その連携処理の内容は、「携帯型音楽再生機（機器１）の音楽データのうち、予め決められた条件に合致するものをデジタルスチルカメラ（機器２）にコピーすること」である。そして、当該連携処理を行うために、サーバ装置２において実行されるプログラムのプログラムＩＤが、「ＰＧ３」ということになる。
【０４９８】
そして、図３３に示したように、クレードル１に携帯型の音楽再生機である音楽再生機能付き携帯電話端末４（１）と、音楽再生機能付きのデジタルスチルカメラ４（２）とが載置されたことをサーバ装置２が検知した場合に、サーバ装置２は、図３７に示した機器連携テーブルの３番目の登録情報にしたがって、音楽データを用いたモバイル機器間の連携処理を当該データ通信システムにおいて行うことになる。
【０４９９】
［音楽データを用いる連携を行う場合のシステムの動作について］
次に、モバイル機器として携帯電話端末４（１）とデジタルスチルカメラ４（２）とが用いられる場合であって、モバイル機器間で音楽データを用いた連携を行えるようにするこの例のデータ通信システムの動作について説明する。図３８〜図４０は、モバイル機器間で音楽データを用いた連携を行えるようにするこの例のデータ通信システムの動作について説明するためのタイミングチャートである。
【０５００】
この例の場合にも、図２７、図２８を用いて説明した場合と同様に、異なるモバイル機器間において、クレードル１、サーバ装置２を通じて情報を送受するものである。そこで、説明を簡単にするため、図３８〜図４０において、図２７、図２８を用いて説明した場合と同様に行われる部分には同じ参照符号を付し、その部分の詳細な説明については、図２７、図２８を用いて説明した通りであるので省略する。
【０５０１】
なお、以下においては、上述もしたように、モバイル機器は、図２５を用いて説明した構成を有する音楽再生機能を備えた携帯電話端末４（１）と、図３４を用いて説明した構成を有する音楽再生機能を備えたデジタルスチルカメラ４（２）とが用いられる場合を例にして説明する。なお、上述もしたように、携帯電話端末４（１）とデジタルスチルカメラ４（２）とが、クレードル１に載置されるタイミングは特に問題とならないが、ここでは説明を簡単にするために、携帯電話端末４（１）がクレードル１に載置された後に、デジタルスチルカメラ４（２）がクレードル１に載置された場合を例にして説明する。
【０５０２】
また、この第２の例においては、少なくとも、携帯電話端末４（１）のコンテンツ記憶部６２には、図３５を用いて説明した音楽データが、デジタルスチルカメラ４（２）のデータ記憶部５４には、図３６を用いて説明した静止画像データが記憶されているものとする。
【０５０３】
そして、図３８に示しように、ステップＳ５１〜ステップＳ５６までの処理は、図２７を用いて説明した第１の例の場合と同様に行われる。すなわち、クレードル１においては、自機にモバイル機器が載置されたことを検出すると充電を行うようにする処理（充電開始処理）実行し（ステップＳ５１）、載置されたモバイル機器に対して、機器ＩＤ問い合わせを行う（ステップＳ５２、ステップＳ５４）。
【０５０４】
機器ＩＤ問い合わせを受信したモバイル機器からは、機器ＩＤ応答が返信されてくるので（ステップＳ５３、ステップＳ５５）、クレードル１はこれを受信して、サーバ装置２に送信する。これにより、サーバ装置２は、クレードル１を介して送信されてくる機器ＩＤ応答（機器ＩＤ報告）に基づいて、クレードル１に載置されたモバイル機器が何かを把握することができる。
【０５０５】
そして、サーバ装置２は、クレードル１に載置されたモバイル機器からの機器ＩＤ応答に基づいて、クレードル１に複数のモバイル機器が載置された場合に、サーバ装置２のＥＥＰＲＯＭ２１４に作成されている機器連携テーブルを参照し、行うべき機器の連携処理を特定し、連携させる機器を登録する（ステップＳ５６）。
【０５０６】
この第２の例においては、音楽再生機能付き携帯電話端末４（１）と、音楽再生機能付きデジタルスチルカメラ４（２）とがクレードル１に載置されるので、ステップＳ５６においては、図３７に示した機器関連テーブルの３番目の登録情報が用いる情報として特定される。
【０５０７】
そして、この第２の例の場合、ステップＳ５６においては、音楽再生機能付き携帯電話端末４（１）が機器１となり、また、音楽再生機能付きデジタルスチルカメラ４（２）が機器２となるので、機器１（携帯電話端末４（１））の音楽データの内、予め決められた条件に合致するものを、機器２（デジタルスチルカメラ４（２））にコピーする処理が行うべき連携処理内容として特定される。また、機器１として携帯電話端末４（１）が、機器２としてデジタルスチルカメラ４（２）が関連付けられてサーバ装置２の不揮発性メモリ２１４に登録される。なお、この例において、予め決められた条件は、再生頻度の高い音楽データをコピー対象とするものとする。
【０５０８】
そして、この第２の例の場合、音楽データの提供元（機器１）は、携帯電話端末４（１）であるので、サーバ装置２は、携帯電話端末４（１）に対して蓄積データリストの提供を要求する蓄積データリスト要求を形成して、これを外部Ｉ／Ｆ２６ａ、入出力端２６ｂを通じて出力し、クレードル１を通じて携帯電話端末４（１）に送信する（ステップＳ８１）。この場合、クレードル１は、入出力端１４ｂ、外部Ｉ／Ｆ１４ａを通じてサーバ装置２からの蓄積データリスト要求を受信し、これを無線通信部１５ａ、送受信アンテナ１５ｂを通じて携帯電話端末４（１）に送信する。
【０５０９】
携帯電話端末４（１）は、送受信アンテナ６６ｂ、無線通信部６６ａを通じて、クレードル１を介して送信されてくるサーバ装置２からの蓄積データリスト要求を受信し、これに応じて、コンテンツ記憶部６２に記憶保持している音楽データについての蓄積データリストを無線通信部６６ａ、送受信アンテナ６６ｂを通じてサーバ装置２に対して送信する（ステップＳ８２）。
【０５１０】
この場合、クレードル１は、送受信アンテナ１５ｂ、無線通信部１５ａを通じて携帯電話端末４（１）からの蓄積データリストを受信し、これを外部Ｉ／Ｆ１４ａ、入出力端１４ｂを通じてサーバ装置２に送信する。また、この第２の例において、音楽データについての蓄積データリストは、図３５を用いて説明した音楽データのヘッダ情報に基づいて、図８を用いて説明した蓄積データリストに更に「使用回数」、「使用履歴」が加えられて形成されたものである。
【０５１１】
サーバ装置２は、クレードル１を介して送信されてくる携帯電話端末４（１）からの蓄積データリストを、入出力端２６ｂ、外部Ｉ／Ｆ２６ａを通じて受信し、これを自機のＨＤＤ３０の所定の領域に格納する（ステップＳ８３）。そして、図３９に示す処理に進む。
【０５１２】
そして、第２の例の場合、サーバ装置２は、デジタルスチルカメラ４（２）に対して蓄積データリストの提供を要求する蓄積データリスト要求を形成して、これを外部Ｉ／Ｆ２６ａ、入出力端２６ｂを通じて出力し、クレードル１を通じてデジタルスチルカメラ４（２）に送信する（ステップＳ８１Ｘ）。この場合、クレードル１は、入出力端１４ｂ、外部Ｉ／Ｆ１４ａを通じてサーバ装置２からの蓄積データリスト要求を受信し、これを無線通信部１５ａ、送受信アンテナ１５ｂを通じてデジタルスチルカメラ４（２）に送信する。
【０５１３】
デジタルスチルカメラ４（２）は、送受信アンテナ４５ｂ、無線通信部４５ａを通じて、クレードル１を介して送信されてくるサーバ装置２からの蓄積データリスト要求を受信し、これに応じて、デジタルスチルカメラ４（２）のデータ記憶部５４に記憶保持されている音楽データについての蓄積データリストであって、を無線通信部４５ａ、送受信アンテナ４５ｂを通じてサーバ装置２に対して送信する（ステップＳ８２Ｘ）。
【０５１４】
この場合、クレードル１は、送受信アンテナ１５ｂ、無線通信部１５ａを通じてデジタルスチルカメラ４（２）からの蓄積データリストを受信し、これを外部Ｉ／Ｆ１４ａ、入出力端１４ｂを通じてサーバ装置２に送信する。また、ここで送受される蓄積データリスとも、図３５を用いて説明した音楽データのヘッダ情報に基づいて、図８を用いて説明した蓄積データリストに更に「使用回数」、「使用履歴」が加えられて形成されたものである。
【０５１５】
サーバ装置２は、クレードル１を介して送信されてくるデジタルスチルカメラ４（２）からの蓄積データリストを、入出力端２６ｂ、外部Ｉ／Ｆ２６ａを通じて受信し、これを自機のＨＤＤ３０の所定の領域に格納する（ステップＳ８３Ｘ）。
【０５１６】
これにより、サーバ装置２は、携帯電話端末４（１）がどのような音楽データを保持しており、デジタルスチルカメラ４（２）がどのような音楽データを保持しているのかを把握することができる。そして、サーバ装置２は、ステップＳ８３において格納した携帯電話端末４（１）からの音楽データについての蓄積リストと、ステップＳ８３Ｘにおいて格納したデジタルスチルカメラ４（２）からの音楽データについての蓄積リストとに基づいて、携帯電話端末４（１）において使用回数が多い音楽データであって、デジタルスチルカメラ４（２）が保持していない音楽データを、デジタルスチルカメラ４（２）に送信する音楽データとして特定する（ステップＳ８４）。
【０５１７】
そして、サーバ装置２は、携帯電話端末４（１）に対して、ステップＳ８４において特定した音楽データの提供要求を形成して、これを外部Ｉ／Ｆ２６ａ、入出力端２６ｂを通じて出力し、クレードル１を通じて携帯電話端末４（１）に送信する（ステップＳ８５）。この場合、クレードル１は、入出力端１４ｂ、外部Ｉ／Ｆ１４ａを通じてサーバ装置２からの音楽データ提供要求を受信し、これを無線通信部１５ａ、送受信アンテナ１５ｂを通じて携帯電話端末４（１）に送信する。
【０５１８】
携帯電話端末４（１）は、送受信アンテナ６６ｂ、無線通信部６６ａを通じて、クレードル１を介して送信されてくるサーバ装置２からの音楽データ提供要求を受信し、これに応じて、コンテンツ記憶部６２に記憶保持している要求された音楽データを抽出し、これを無線通信部６６ａ、送受信アンテナ６６ｂを通じてサーバ装置２に対して送信する（ステップＳ８６）。
【０５１９】
この場合、クレードル１は、送受信アンテナ１５ｂ、無線通信部１５ａを通じてデジタルスチルカメラ４（２）からの音楽データを受信し、これを外部Ｉ／Ｆ１４ａ、入出力端１４ｂを通じてサーバ装置２に送信する。
【０５２０】
そして、サーバ装置２は、クレードル１を介して送信されてくる携帯電話端末４（１）からの音楽データを、入出力端２６ｂ、外部Ｉ／Ｆ２６ａを通じて受信し、これを自機のＨＤＤ３０の所定の領域に格納する（ステップＳ８７）。そして、サーバ装置２は、ステップＳ８７で格納した音楽データをデジタルスチルカメラ４（２）に提供する音楽データとして、外部Ｉ／Ｆ２６ａ、入出力端２６ｂを通じて出力し、クレードル１を通じてデジタルスチルカメラ４（２）に送信する（ステップＳ８８）。
【０５２１】
この場合、クレードル１は、入出力端１４ｂ、外部Ｉ／Ｆ１４ａを通じてサーバ装置２からの音楽データを受信し、これを無線通信部１５ａ、送受信アンテナ１５ｂを通じてデジタルスチルカメラ４（２）に送信する。デジタルスチルカメラ４（２）は、送受信アンテナ４５ｂ、無線通信部４５ａを通じて、クレードル１を介して送信されてくるサーバ装置２からの音楽データを受信し、これをデータ記憶部５４に記録して、自機においても利用可能な状態にする（ステップＳ８９）。
【０５２２】
この後、図４０の処理に進み、第１の例の図２８に示したステップＳ６６〜ステップＳ７２と同様の処理を行う。すなわち、クレードル１は、自機に載置されたモバイル機器に対する充電が完了した場合に当該充電処理を終了させ（ステップＳ６６、ステップＳ６７）、モバイル機器に対して、連携処理についての終了確認を行う（ステップＳ６８、ステップＳ７０）。
【０５２３】
終了確認を受信したモバイル機器においては、自機において行うべき処理が終了していることを確認して、終了応答を送信してくるので（ステップＳ６９、ステップＳ７１）、クレードル１はこれを受信し、サーバ装置２に送信する。サーバ装置２においては、連携させる２つのモバイル機器からの終了応答を受信した場合には、当該連携処理は終了したと判断することができるので、図３８のステップＳ５６において行った連携機器登録を消去し（ステップＳ７２）、音楽データを用いる一連の連携処理を終了する。
【０５２４】
なお、この第２の例において、図３９に点線で示したステップＳ８１Ｘ、ステップＳ８２Ｘ、ステップＳ８３Ｘの処理は、必ずしも行う必要は無い。デジタルスチルカメラ４（２）が保持しているか否かに関わらず、携帯電話端末４（１）において使用頻度の高い音楽データを、携帯電話端末４（１）からデジタルスチルカメラ４（２）に転送するようにしてもよい。
【０５２５】
［音楽再生機である携帯電話端末と音楽再生機能を備えたデジタルスチルカメラが音楽データを介在させて連携する場合のデータ通信システムの各機器の処理について］
［クレードル１における処理について］
この第２の例の場合、データ通信システムを構成する携帯電話端末４（１）、デジタルスチルカメラ４（２）、クレードル１、サーバ装置２のうち、クレードル１において行われる処理は、図２９を用いて説明した第１の例のクレードル１で行われる処理と同様の処理が行われることになる。このため、ここでは、図２９を参照しながら、この第２の例におけるクレードル１の処理についてまとめる。
【０５２６】
すなわち、この第２の例におけるクレードル１もまた、自機へのモバイル機器の載置を検出し（ステップＳ５１０１）、充電を行うようにすると共に（ステップＳ５１０２〜ステップＳ５１０４）、自機に載置されたモバイル機器に対して機器ＩＤ問い合わせを行って（ステップＳ５１０５）、これに応じて送信されてくる機器ＩＤ応答をサーバ装置２に転送する（ステップＳ５１０６）。
【０５２７】
この後、クレードル１は、サーバ装置２と自機に載置されたモバイル機器との間のデータの送受の中継を行い（ステップＳ５１０７）、一連の中継処理の終了後、充電の終了確認を行って（ステップＳ５１０８、ステップＳ５１０９）、充電処理を終了させ（ステップＳ５１１０）、モバイル機器への終了確認の送信（ステップＳ５１１１）と、モバイル機器からの終了応答のサーバ装置２への中継処理を行って（ステップＳ５１１２）、クレードル１における連携のための処理を終了する。
【０５２８】
［サーバ装置２における処理について］
図４１は、この第２の実施の形態のデータ通信システムにおいて、図３８〜図４０を用いて説明した音楽再生機能付き携帯電話端末４（１）と音楽再生機能付きデジタルスチルカメラ４（２）が連携し、携帯電話端末４（１）が保持する音楽データをデジタルスチルカメラ４（２）においても利用できるようにする場合にサーバ装置２において行われる処理を説明するためのフローチャートである。この図４１に示す処理は、サーバ装置２において電源が投入された状態にあるときに主に制御部２１と送受信制御部２７とによって実行される処理である。
【０５２９】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤ報告を受信したか否かを判断する（ステップＳ７２０１）。ステップＳ７２０１の判断処理において、まだ機器ＩＤ報告を受信していないと判断したときには、ステップＳ７２０１からの処理を繰り返し、クレードル１に載置されたモバイル機器の機器ＩＤ報告の受信待ちとなる。
【０５３０】
ステップＳ７２０１の判断処理において、クレードル１からの機器ＩＤ報告を受信したと判断したときには、制御部２１は、既に受信済みの機器ＩＤを把握しているので、複数のモバイル機器がクレードル１に載置された状態になったか否かを判断する（ステップＳ７２０２）。ステップＳ７２０２の判断処理において、まだ複数のモバイル機器がクレードル１に載置された状態になっていない（まだ、１台しか載置されていない）と判断したときには、ステップＳ７２０１からの処理を繰り返す。
【０５３１】
ステップＳ７２０２の判断処理において、複数のモバイル機器がクレードル１に載置されたと判断したときには、制御部２１は、図３７を用いて説明したように、不揮発性メモリ２１４に形成される機器連携テーブルを参照し（ステップＳ７２０３）、クレードル１に載置された２台のモバイル機器の組み合わせが、連携させる機器の組み合わせとして機器連携テーブルに登録されているか否かを判断する（ステップＳ７２０４）。
【０５３２】
ステップＳ７２０４の判断処理において、クレードル１に載置された２台のモバイル機器の組み合わせが、連携させる機器の組み合わせとして機器連携テーブルに登録されていないと判断したときには、モバイル機器間で連携させる処理は存在しないので、この図４１に示す処理を終了させる。
【０５３３】
また、ステップＳ７２０４の判断処理において、クレードル１に載置された２台のモバイル機器の組み合わせが、連携させる機器の組み合わせとして機器連携テーブルに登録されていると判断したときには、参照した機器連携テーブルの情報に基づいて、クレードル１に載置されたモバイル機器間で行う連携処理を特定し、当該２台のモバイル機器を連携する機器としてサーバ装置２の不揮発性メモリ２１４に登録する（ステップＳ７２０５）。
【０５３４】
この第２の例の場合には、図３３〜図４０を用いて説明したように、機器１が音楽再生機能付き携帯電話端末４（１）であり、機器２が音楽再生機能付きデジタルスチルカメラ４（２）であるので、図３７に示した３番目に登録された、「機器１の音楽データのうち、予め決められた条件に合致するものを機器２にコピーする処理」が実行する連携処理として特定され、機器１である携帯電話端末４（１）と機器２であるデジタルスチルカメラ４（２）とが連携する機器として不揮発性メモリ２１４に登録される。
【０５３５】
そして、図４１に示した処理のステップＳ７２０６以降の処理が、ステップＳ７２０５において特定された連携処理に応じた処理であり、図３７に示した機器連携テーブルのプログラムＩＤによって特定されるプログラムによる処理となる。この例の場合、サーバ装置２の制御部２１は、携帯電話端末４（１）宛の音楽データについての蓄積データリスト要求を形成し、これを送受信制御部２７が、外部Ｉ／Ｆ２６ａ、入出力端２６ｂを通じて送信する（ステップＳ７２０６）。この蓄積データリスト要求は、上述もしたように、クレードル１を介して、携帯電話端末４（１）に送信される。
【０５３６】
これに応じて、携帯電話端末４（１）からはクレードル１を介して音楽データについての蓄積データリストが送信されてくるので、送受信制御部２７は、外部Ｉ／Ｆ２６ａを制御し、携帯電話端末４（１）からの音楽データについての蓄積データリストを受信して、これをＨＤＤ３０の所定の領域に格納する（ステップＳ７２０７）。
【０５３７】
また、図４１においては省略したが、図３９において点線で示したステップＳ８１Ｘ〜ステップＳ８３Ｘの処理に対応し、デジタルスチルカメラ４（２）に対しても音楽データについての蓄積データリスと提供を要求し、デジタルスチルカメラ４（２）から音楽データについての蓄積データリスとの提供を受けるようにし、デジタルスチルカメラ４（２）が既に保持する音楽データをも考慮するようにしてもよい。
【０５３８】
そして、制御部２１は、ＨＤＤ３０に格納した音楽データの蓄積データリストに基づいて、デジタルスチルカメラ４（２）に提供すべきデータ、この第２の例の場合には、携帯電話端末４（１）において使用頻度の高い音楽データを洗い出すようにする（ステップＳ７２０８）。
【０５３９】
そして、制御部２１は、ステップＳ７２０８の洗い出し結果に基づいて、デジタルスチルカメラ４（２）に使用頻度の高い音楽データが存在するか否かを判断する（ステップＳ７２０９）。ステップＳ７２０９の判断処理において、例えば、音楽データの再生は全く行われておらず、使用頻度の高い音楽データは存在しないと判断したときには、デジタルスチルカメラ４（２）に供給すべきデータが存在しないので、ステップＳ７２１４の処理に進み、ステップＳ７２０５で不揮発性メモリ２１４に対して行った連携機器登録を消去して（ステップＳ７２１４）、この図４１の処理を終了させる。
【０５４０】
また、ステップＳ７２０９の判断処理において、携帯電話端末４（１）に使用頻度の高い音楽データが存在すると判断したときには、サーバ装置２の制御部２１は、携帯電話端末４（１）宛の音楽データ提供要求を形成し、これを送受信制御部２７が、外部Ｉ／Ｆ２６ａ、入出力端２６ｂを通じて送信する（ステップＳ７２１０）。この音楽データ提供要求は、上述もしたように、クレードル１を介して、携帯電話端末４（１）に送信される。
【０５４１】
これに応じて、携帯電話端末４（１）からはクレードル１を介して音楽データが送信されてくるので、送受信制御部２７は、外部Ｉ／Ｆ２６ａを制御し、携帯電話端末４（１）からの音楽データを受信して、これをＨＤＤ３０の所定の領域に一時記憶する（ステップＳ７２１１）。
【０５４２】
そして、送受信制御部２７は、外部Ｉ／Ｆ２６ａを制御して、デジタルスチルカメラ４（２）宛に送信すべき一時記憶している音楽データをデジタルスチルカメラ４（２）に対して送信する（ステップＳ７２１２）。このデジタルスチルカメラ４（２）宛の音楽データは、上述もしたように、クレードル１を介してデジタルスチルカメラ４（２）に送信される。
【０５４３】
この後、サーバ装置２の制御部２１は、連携機器である携帯電話端末４（１）とデジタルスチルカメラ４（２）からの終了応答を受信するまで待ち状態となり（ステップＳ７２１３）、携帯電話端末４（１）とデジタルスチルカメラ４（２）との両方からの終了応答を受信した場合には、ステップＳ７２０５で不揮発性メモリ２１４に対して行った連携機器登録を消去して（ステップＳ７２１４）、この図４１の処理を終了させる。
【０５４４】
なお、ここでは、携帯電話端末４（１）からの音楽データをそのままデジタルスチルカメラ４（２）に転送するものとして説明したが、これに限るものではない。例えば、携帯電話端末４（１）で利用可能な音楽データのデータ形式と、デジタルスチルカメラ４（２）デ利用可能な音楽データのデータ形式が異なっている場合には、サーバ装置２において音楽データのデータ形式をデジタルスチルカメラ４（２）で利用可能な形式に変換した後に、デジタルスチルカメラ４（２）に供給するようにすることもできる。
【０５４５】
ここで、音楽データのデータ形式の変換は、例えば、ＰＣＭデータから所定の圧縮方式でデータ圧縮したものに変換したり、また、用いるデータ圧縮方式を変換したりすることが含まれる。
【０５４６】
［携帯電話端末４（１）における処理について］
図４２は、この第２の実施の形態のデータ通信システムにおいて、図３８〜図４０を用いて説明した音楽再生機能付き携帯電話端末４（１）と音楽再生機能付きデジタルスチルカメラ４（２）が連携し、携帯電話端末４（１）が保持する音楽データをデジタルスチルカメラ４（２）においても利用できるようにする場合に携帯電話端末４（１）において行われる処理を説明するためのフローチャートである。
【０５４７】
この図４２に示す処理は、モバイル機器である携帯電話端末４（１）が例えば充電モード等の、クレードル１に載置され、データ通信と充電処理とを行うようにする所定のモードとされた場合に、携帯電話端末４（１）の主に制御部６１によって実行される処理である。
【０５４８】
まず、所定のモードに切り替えられると、制御部６１は、送受信アンテナ６６ｂ、無線通信部６６ａを通じて、クレードル１からの機器ＩＤ問合せを受信したか否かを判断する（ステップＳ７３０１）。ステップＳ７３０１の判断処理において、機器ＩＤ問合せを受信していないと判断したときには、ステップＳ７３０１からの処理を繰り返し、機器ＩＤ問合せの受信待ちとなる。
【０５４９】
ステップＳ７３０１の判断処理において、クレードル１からの機器ＩＤ問合せを受信したと判断したときには、制御部６１は、自機の例えばＲＯＭ６１２に記憶保持されている機器ＩＤや機器属性などの必要な情報を取得し、図７Ｃに示したような機器ＩＤ応答を形成して、これを無線通信部６６ａ、送受信アンテナ６６ｂを通じて送信する（ステップＳ７３０２）。この機器ＩＤ応答は、クレードル１を介してサーバ装置２に送信される。
【０５５０】
そして、制御部６１は、送受信アンテナ６６ｂ、無線通信部６６ａを通じて、クレードル１を介して送信されてくるサーバ装置２からの音楽データについての蓄積データリスト要求を受信するようにする（ステップＳ７３０３）。そして、蓄積データリスト要求を受信したときには、制御部６１は、サーバ装置２宛の蓄積データリスを形成し、これを制御部６１が、無線通信部６６ａを制御して送信する（ステップＳ７３０４）。この蓄積データリストも、クレードル１を介してサーバ装置２に送信される。
【０５５１】
そして、制御部６１は、送受信アンテナ６６ｂ、無線通信部６６ａを通じて、クレードル１を介して送信されてくるサーバ装置２からの音楽データ提供要求を受信するようにする（ステップＳ７３０５）。そして、音楽データ提供要求を受信したときには、制御部６１は、要求された音楽データをコンテンツ記憶部６２から読み出し、これを制御部６１が、無線通信部６６ａを制御して送信する（ステップＳ７３０６）。この音楽データも、クレードル１を介してサーバ装置２に送信される。
【０５５２】
この後、制御部６１は、送受信アンテナ６６ｂ、無線通信部６６ａを通じて、クレードル１から送信される終了確認を受信するようにし（ステップＳ７３０７）、当該終了確認を受信したときには、連携処理が終了するまで待ち状態となり（ステップＳ７３０８）、一連の連携処理が終了していれば、制御部６１は、終了応答を形成してこれを、無線通信部４５ａを制御して送信し（ステップＳ７３０９）、この図４２の処理を終了する。
【０５５３】
［デジタルスチルカメラ４（２）における処理について］
図４３は、この第２の実施の形態のデータ通信システムにおいて、図３８〜図４０を用いて説明した音楽再生機能付き携帯電話端末４（１）と音楽再生機能付きデジタルスチルカメラ４（２）が連携し、携帯電話端末４（１）が保持する音楽データをデジタルスチルカメラ４（２）においても利用できるようにする場合にデジタルスチルカメラ４（２）において行われる処理を説明するためのフローチャートである。
【０５５４】
この図４３に示す処理は、モバイル機器であるデジタルスチルカメラ４（２）が例えば充電モード等の、クレードル１に載置され、データ通信と充電処理とを行うようにする所定のモードとされた場合に、デジタルスチルカメラ４（２）の主に制御部４１と送受信制御部４７とによって実行される処理である。
【０５５５】
まず、所定のモードに切り替えられると、送受信制御部４７は、送受信アンテナ４５ｂ、無線通信部４５ａを通じて、クレードル１からの機器ＩＤ問合せを受信したか否かを判断する（ステップＳ７４０１）。ステップＳ７４０１の判断処理において、機器ＩＤ問合せを受信していないと判断したときには、ステップＳ７４０１からの処理を繰り返し、機器ＩＤ問合せの受信待ちとなる。
【０５５６】
ステップＳ７４０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを送受信制御部４７が無線通信部４５ａ、送受信アンテナ４５ｂを通じて送信する（ステップＳ７４０２）。この機器ＩＤ応答は、クレードル１を介してサーバ装置２に送信される。
【０５５７】
そして、送受信制御部４７は、送受信アンテナ４５ｂ、無線通信部４５ａを通じて、クレードル１を介して送信されてくるサーバ装置２からの音楽データを受信し、これをデータ記憶部５４に格納する（ステップＳ７４０３）。そして、データ記憶部５４に記憶した音楽データを、制御部４１の制御に応じて読み出して利用できるようデータの形式を整えるなどの準備を行う（ステップＳ７４０４）。
【０５５８】
この後、送受信制御部４７は、クレードル１から送信される終了確認を送受信アンテナ４５ｂ、無線通信部４５ａを通じて受信するようにし（ステップＳ７４０５）、当該終了確認を受信したときには、連携処理が終了するまで待ち状態となり（ステップＳ７４０６）、一連の連携処理が終了していれば、制御部４１は、終了応答を形成し、これを送受信制御部４７が無線通信部４５ａを制御して送信し（ステップＳ７４０７）、この図４３の処理を終了する。
【０５５９】
このように、この第２の例の場合には、音楽再生機として用いられる携帯電話端末４（１）と音楽再生機能を備えたデジタルスチルカメラ４（２）とが連携し、携帯電話端末４（１）に利用される音楽データの内、所定の条件（上述した第２の例の場合には、携帯電話端末４（１）において使用頻度の高い音楽データ）を、ユーザーの手を煩わせることなく音楽再生機能を備えたデジタルスチルカメラ４（２）に自動的に提供し、デジタルスチルカメラ４（２）において、携帯電話端末４（１）から提供された音楽データを利用することができるようにされる。
【０５６０】
なお、上述の説明においては、使用頻度の高い音楽データを携帯電話端末４（１）からデジタルスチルカメラ４（２）に転送するものとして説明したが、これに限るものではなく、携帯電話端末４（１）の音楽データの再生履歴に基づいて、最新に使用された音楽データをデジタルスチルカメラ４（２）に転送することも可能である。
【０５６１】
また、使用頻度が高い音楽データが複数ある場合には、予め決められた容量分の音楽データをサーバ装置２が携帯電話端末４（１）に要求し、これに応じて送信されてくる音楽データをデジタルスチルカメラ４（２）に提供することもできる。この場合、デジタルスチルカメラ４（２）に空き容量が少ない場合には、作成日時が古い音楽データから消去するようにしたり、現在の空き容量に応じた容量分の音楽データだけを受け付けるようにしたりすることもできる。
【０５６２】
また、サーバ装置２が、デジタルスチルカメラ４（２）のデータ記憶部５４の空き容量を確認するようにした上で、サーバ装置２がデジタルスチルカメラ４（２）に対して適量の音楽データを提供するようにすることも可能である。この場合には、サーバ装置２が、デジタルスチルカメラ４（２）に対して、データ記憶部５４の空き容量を問い合わせることができるようにすると共に、サーバ装置２において、デジタルスチルカメラ４（２）のデータ記憶部の空き容量と、音楽データの提供許容量とを対応付けたテーブルを用意しておき、これに応じてサーバ装置２がデジタルスチルカメラ４（２）に提供可能な音楽データのデータ量を制御することができる。
【０５６３】
また、携帯電話端末４（１）に蓄積されている音楽データには再生履歴情報が存在するので、図３８のステップＳ８１〜ステップＳ８３の処理により携帯電話端末４（１）からサーバ装置２に提供される蓄積データリストに当該再生履歴情報をも含めてサーバ装置に提供するようにする。
【０５６４】
ステップＳ８１Ｘ〜ステップＳ８３Ｘの処理により、デジタルスチルカメラ４（２）に蓄積している画像データの蓄積リストの提供を受けるようにし、画像データの作成日時と一致する再生日時を有する音楽データを優先的にデジタルスチルカメラ４（２）に提供するなどのことも可能である。この他、蓄積データリストに含まれる種々の情報に基づいて、デジタルスチルカメラ４（２）に転送すべき音楽データを決めるようにすることができる。
【０５６５】
また、サーバ装置２自身が音楽データを記憶保持している場合には、サーバ装置２が記憶保持している音楽データについても、上述した携帯電話端末４（１）からデジタルスチルカメラ４（２）に音楽データを適用する場合と同様の条件にしたがって、サーバ装置２が記憶保持している音楽データをもデジタルスチルカメラ４（２）に提供することも可能である。
【０５６６】
［（３）撮像装置と携帯電話端末との間でテキストデータを用いる連携（第３の例）について］
図４４、図４５は、第３の例、すなわち、撮像装置と携帯電話端末との間でテキストデータを用いる連携を行う場合の概要について説明するための図である。上述したように、クレードル１に対しては、種々のモバイル機器を複数同時に載置することが可能である。このため、図４３に示すように、例えば、携帯電話端末４（１）と、デジタルスチルカメラ４（２）とをクレードル１に載置する場合もある。
【０５６７】
この例の場合においても重要なことは、携帯電話端末４（１）とデジタルスチルカメラ４（２）とがクレードル１に対して載置されていることであり、載置のタイミングは異なっていてもよい。例えば、携帯電話端末４（１）が先にクレードル１に載置され、数時間後にデジタルスチルカメラ４（２）がクレードル１に載置されるような場合や、これとは逆に、デジタルスチルカメラ４（２）が先にクレードル１に載置され、後から携帯電話端末４（１）が載置されるような場合であってもよい。要は、携帯電話端末４（１）とデジタルスチルカメラ４（２）とがクレードル１に対して載置されている状況となっていればよい。
【０５６８】
そして、デジタルスチルカメラ４（２）の中には、撮影モードとして黒板やホワイトボードに書かれた文字情報や種々の掲示板などに掲示される文字情報などを白黒画像として撮影し、白黒のコントラストをはっきりさせることにより、文字情報を明瞭に識別可能な静止画像データとして取り込むようにするメモモードを備えたものがある。
【０５６９】
そこで、この例においては、図４５に示すように、携帯電話端末４（１）とデジタルスチルカメラ４（２）とがクレードル１に載置された場合に、デジタルスチルカメラ４（２）に記憶保持されている静止画像データの内、メモモードで撮影されて得られた静止画像データ（メモ画像）をサーバ装置２が取り込み、サーバ装置２においてメモ画像中の文字を認識してテキストデータに変換し、このメモ画像に含まれる文字情報をテキスト化して得たテキストデータを携帯電話端末４（１）に転送する。
【０５７０】
このようにすることにより、携帯電話端末４（１）とデジタルスチルカメラ４（２）との間で機能連携を強化し、デジタルスチルカメラ４（２）においてメモモードで撮影して得た静止画像データの文字情報を、携帯電話端末４（１）においてテキストデータとして利用することができる。また、静止画像データ中の文字情報をテキストデータに変換するので、データ量を格段に少なくすることができ、しかも文字情報を携帯電話端末（１）において明瞭に表示し、ユーザーに対して提供することができる。
【０５７１】
以下においては、図４４、図４５に示したように、携帯電話端末４（１）とデジタルスチルカメラ４（２）とがクレードル１に載置された場合を例にして、具体的に説明する。なお、この第３の例において、携帯電話端末４（１）は、図２５を用いて説明した構成を有するものであり、また、デジタルスチルカメラ４（２）は、図４あるいは図３４を用いて説明した構成を有するものとして説明する。
【０５７２】
［蓄積データである静止画像データのレイアウト例］
図４６は、図４あるいは図３４を用いて説明した構成を有するこの例のデータ通信システムで用いられるデジタルスチルカメラ４（２）の画像記憶部４４あるいはデータ記憶部５４に記憶保持される蓄積データである静止画像データのレイアウト例を説明するための図である。
【０５７３】
蓄積データである静止画像データは、主に、デジタルスチルカメラ４（２）において撮影することにより得られるものである。また、送受信アンテナ４５ｂ、無線通信部４５ａを通じてクレードル１を介しサーバ装置２から提供されたものもある。そして、図４６に示すように、デジタルスチルカメラ４（２）の画像記憶部４４あるいはデータ記憶部５４に記憶保持される蓄積データである静止画像データには、ヘッダ情報が付加される。
【０５７４】
ヘッダ情報は、図４６に示すように、装置ＩＤ、データＩＤ、データ属性、作成日時、プロテクト、印刷マーク、データサイズ、使用回数、撮影モード、その他の情報からなるものである。そして、装置ＩＤ、データＩＤ、データ属性、作成日時、プロテクト、印刷マーク、データサイズ、使用回数のそれぞれは、図９を用いて説明した画像データである蓄積データのレイアウトで説明した情報と同じ内容のものである。
【０５７５】
そして、撮影モードが、この第３の例において用いられるようにされるものである。上述もしたように、この第３の例のデジタルスチルカメラ４（２）は、撮影モードとして、例えば、通常モードと、メモモードなどを備えたものであり、デジタルスチルカメラ４（２）の操作部４３を通じてユーザーにより選択されて切り替えることができるようにされている。そして、このようにしてユーザーによって選択された撮影モードに応じて撮影処理が行うようにされ、撮影されることにより形成された静止画像データのヘッダ情報として、例えば制御部４１によって撮影モードを示す情報が付加するようにされる。
【０５７６】
したがって、画像データに付加されているヘッダ情報の撮影モードの情報により、当該画像データは、通常モードで撮影されて得られたものか、メモモードで撮影されて得られたものかを判別することができるようにされる。このようにヘッダ情報が付加された静止画像データが、デジタルスチルカメラ４（２）の画像記憶部４４あるいはデータ記憶部５４に記憶保持されている。
【０５７７】
［蓄積データであるテキストデータのレイアウト例］
図４７は、図２５を用いて説明した構成を有する携帯電話端末４（１）のコンテンツ記憶部６２に記憶保持される蓄積データであるテキストデータのレイアウト例を説明するための図である。ここでテキストデータは、上述もしたように、デジタルスチルカメラ４（２）においてメモモードで撮影されて得られた静止画像に含まれる文字情報が、サーバ装置２においてテキスト化されたものである。
【０５７８】
そして、図４７に示すように、コンテンツ記憶部６２に蓄積されるテキストデータ（蓄積データ）には、ヘッダ情報が付加される。ヘッダ情報は、図４７に示すように、装置ＩＤ、データＩＤ、データ属性、作成日時、プロテクト、印刷マーク、データサイズ、使用回数、提供元ＩＤ、その他の情報からなるものである。
【０５７９】
提供元ＩＤ以外の各情報は、図９を用いて説明した画像データである蓄積データのレイアウトで説明した情報と同じ内容のものである。そして、提供元ＩＤが、当該テキストデータの元になった静止画像データをメモモードで撮影して得たデジタルスチルカメラ４（２）を示すものである。
【０５８０】
そして、この例のデータ通信システムにおいては、携帯電話端末４（１）とデジタルスチルカメラ４（２）とがクレードル１に載置された場合に、デジタルスチルカメラ４（２）に保持されているメモモードで撮影されて得られた静止画像データがサーバ装置２に吸い上げられ、これに含まれる文字情報がテキスト化され、これが図４７に示したレイアウトで携帯電話端末４（１）のコンテンツ記憶部６２に記憶保持されることになる。
【０５８１】
［機器連携テーブルの構成例について］
そして、以下に説明するモバイル機器間においてテキストデータを用いた連携を行う場合にも、サーバ装置２の例えば不揮発性メモリ２１４に作成される機器関連テーブルの情報に従ったサーバ装置２の制御により、当該モバイル機器間の連携を実現することができる。この場合において用いられる機器関連テーブルは、図２６、図３７を用いて説明したものと同様のものであるが、登録されている情報が異なる。
【０５８２】
図４８は、この例において用いられる機器連携テーブルについて説明するための図である。図４８において、１番目、２番目、３番目に登録された情報は、図３７に示したものと同じである。そして、この例の場合には、図４８に示した機器連携テーブルの４番目に登録した情報が必要になる。
【０５８３】
すなわち、図４８に示した機器連携テーブルの４番目に登録された登録情報は、連携機器として、機器１が「デジタルスチルカメラ」、機器２が「携帯電話端末」であり、その連携処理の内容は、「デジタルスチルカメラ（機器１）のメモ用途画像をテキスト化して携帯電話端末（機器２）に転送すること」である。そして、当該連携処理を行うために、サーバ装置２において実行されるプログラムのプログラムＩＤが、「ＰＧ４」ということになる。
【０５８４】
そして、図４４、図４５に示したように、クレードル１に携帯電話端末４（１）と、デジタルスチルカメラ４（２）とが載置されたことをサーバ装置２が検知した場合に、サーバ装置２は、図４８に示した機器連携テーブルの４番目の登録情報にしたがって、テキストデータを用いたモバイル機器間の連携処理を当該データ通信システムにおいて行うことになる。
【０５８５】
なお、図４８に示した５番目に登録されている情報は、第４の例において用いる情報であるため、その詳細については後述する。
【０５８６】
［テキストデータを用いる連携を行う場合のシステムの動作について］
次に、モバイル機器として携帯電話端末４（１）とデジタルスチルカメラ４（２）とが用いられる場合であって、モバイル機器間でテキストデータを用いた連携を行えるようにするこの例のデータ通信システムの動作について説明する。図４９、図５０は、モバイル機器間でテキストデータを用いた連携を行えるようにするこの例のデータ通信システムの動作について説明するためのタイミングチャートである。
【０５８７】
この例の場合にも、図２７、図２８を用いて説明した場合と同様に、異なるモバイル機器間において、クレードル１、サーバ装置２を通じて情報を送受するものである。そこで、説明を簡単にするため、図４９、図５０において、図２７、図２８を用いて説明した場合と同様に行われる部分には同じ参照符号を付し、その部分の詳細な説明については、図２７、図２８を用いて説明した通りであるので省略する。
【０５８８】
なお、上述もしたように、携帯電話端末４（１）とデジタルスチルカメラ４（２）とが、クレードル１に載置されるタイミングは特に問題とならないが、ここでは説明を簡単にするために、携帯電話端末４（１）がクレードル１に載置された後に、デジタルスチルカメラ４（２）がクレードル１に載置された場合を例にして説明する。
【０５８９】
また、この第３の例においては、デジタルスチルカメラの画像記憶部４４あるいはデータ記憶部５４には、図４６を用いて説明したメモモードで撮影されて得られた画像データが記憶されているものとする。
【０５９０】
この第３の例において、図４９に示すステップＳ５１〜ステップ５９までの処理、及び、図５０に示すステップＳ６０〜ステップＳ６２までの処理は、図２７、図２８を用いて説明した第１の例の場合と同様に行われる。すなわち、クレードル１においては、自機にモバイル機器が載置されたことを検出すると充電を行うようにする処理（充電開始処理）実行し（ステップＳ５１）、載置されたモバイル機器に対して、機器ＩＤ問い合わせを行う（ステップＳ５２、ステップＳ５４）。
【０５９１】
機器ＩＤ問い合わせを受信したモバイル機器からは、機器ＩＤ応答が返信されてくるので（ステップＳ５３、ステップＳ５５）、クレードル１はこれを受信して、サーバ装置２に送信する。これにより、サーバ装置２は、クレードル１を介して送信されてくる機器ＩＤ応答（機器ＩＤ報告）に基づいて、クレードル１に載置されたモバイル機器が何かを把握することができる。
【０５９２】
そして、サーバ装置２は、クレードル１に載置されたモバイル機器からの機器ＩＤ応答に基づいて、クレードル１に複数のモバイル機器が載置された場合に、サーバ装置２のＥＥＰＲＯＭ２１４に作成されている機器連携テーブルを参照し、行うべき機器の連携処理を特定し、連携させる機器を登録する（ステップＳ５６）。
【０５９３】
この第３の例においては、携帯電話端末４（１）と、デジタルスチルカメラ４（２）とがクレードル１に載置されるので、モバイル機器の組み合わせとしては、図４８に示す機器連携テーブルの１番目の登録情報と４番目の登録情報とに合致する。このような場合の対処方法としては、以下の方法がある。
【０５９４】
（Ａ）登録順にしたがって、複数の連携処理を行う。したがって、この例の場合、まず図４８に示す１番目の登録情報に従った連携処理を行った後に、４番目の登録情報に従った処理を行う。（Ｂ）予め優先順位を設定するようにしておき、その優先順位にしたがって複数の連携処理を行う。（Ｃ）複数の連携処理が可能であることを、サーバ装置２を通じてユーザーに通知し、どの連携処理を行うか選択してもらいその選択された連携処理を行う。（Ｄ）連携させる固有のモバイル機器を特定できるようにしておき、登録情報が重複しないようにする。といった種々の方法を用いることができる。
【０５９５】
このため、この第３の例においては、説明を簡単にするため、例えば、上記（Ｃ）の方法が取られ、図４９のステップＳ５６においては、図４８に示した機器連携テーブルの４番目の登録情報が用いる登録情報として特定されるものとして説明する。
【０５９６】
したがって、この第３の例の場合、ステップＳ５６においては、デジタルスチルカメラ４（２）が機器１となり、また、携帯電話端末４（１）が機器２となるので、機器１（デジタルスチルカメラ４（２））のメモ用途の静止画像データから文字情報をテキスト化して形成したテキストデータを、機器２（携帯電話端末４（１））に転送する処理が行うべき連携処理内容として特定される。また、機器１としてデジタルスチルカメラ４（２）が、機器２として携帯電話端末４（１）が関連付けられてサーバ装置２の不揮発性メモリ２１４に登録される。
【０５９７】
この第３の例の場合、メモ用途の静止画像データの提供元（機器１）は、デジタルスチルカメラ４（２）であるので、サーバ装置２は、デジタルスチルカメラ４（２）に対してメモモードで撮影されて得られた静止画像データについての蓄積データリストの提供を要求する蓄積データリスト要求を形成して送信する（ステップＳ５７）。
【０５９８】
デジタルスチルカメラ４（２）は、クレードル１を介して送信されてくるサーバ装置２からのメモモードで撮影されて得られた静止画像データについての蓄積データリスト要求を受信し、これに応じて、画像記憶部４４、あるいは、データ記憶部５４に記憶保持しているメモモードで撮影されて得られた静止画像データについての蓄積データリストを無線通信部４５ａ、送受信アンテナ４５ｂを通じてサーバ装置２に対して送信する（ステップＳ５８）。
【０５９９】
この第３の例において、メモモードで撮影されて得られた静止画像データについての蓄積データリストは、図４６を用いて説明した蓄積データ（静止画像データ）のヘッダ情報に基づいて、図８を用いて説明した蓄積データリストに更に「撮影モード」が加えられて形成されたものである。
【０６００】
サーバ装置２は、クレードル１を介して送信されてくるデジタルスチルカメラ４（２）からの蓄積データリストを受信し、これを自機のＨＤＤ３０の所定の領域に格納する（ステップＳ５９）。そして、図５０に示す処理に進む。
【０６０１】
そして、この第３の例においては、サーバ装置２は、図４９のステップＳ５９において自己のＨＤＤ３０に格納したメモモードで撮影して得た静止画像データについての蓄積データリストと、既に提供を受けて記憶保持しているメモモードで撮影して得た静止画像データについての蓄積データリストとの差分から、まだ提供を受けていないメモモードで撮影されて得られた静止画像データを特定し、デジタルスチルカメラ４（２）に対して新規蓄積データの提供を要求する新規蓄積データ要求を形成して、これをクレードル１を通じてデジタルスチルカメラ４（２）に送信する（ステップＳ６０）。
【０６０２】
デジタルスチルカメラ４（２）は、クレードル１を介して送信されてくるサーバ装置２からの新規蓄積データ要求（メモモードで撮影されて得られた静止画像データについての新規蓄積データ要求）を受信し、これに応じて、まだサーバ装置２に送信していないメモモードで撮影されて得られた静止画像データを自己の画像記憶部４４あるいはデータ記憶部５４から抽出し、これをサーバ装置２に対して送信する（ステップＳ６１）。ここでデジタルスチルカメラ４（２）からサーバ装置２に提供される蓄積データは、図４６に示した構成のメモモードで撮影されて得られた静止画像データである。
【０６０３】
サーバ装置２は、クレードル１を介して送信されてくるデジタルスチルカメラ４（２）からの蓄積データ（メモモードで撮影されて得られた静止画像データ）を受信し、これを自機のＨＤＤ３０の所定の領域に格納する（ステップＳ６２）。
【０６０４】
そして、この第３の例においては、サーバ装置２の制御部２１は、例えば書き戻しデータ作成部２９の機能を用い、ステップ６２においてＨＤＤ３０に格納したメモモードで撮影されて得られた静止画像データを分析し、当該静止画像データに含まれる文字情報（文字部分）を特定して、その特定した文字情報をテキストデータに変換する処理を行う（ステップＳ９１）。
【０６０５】
この後、ステップＳ９１において変換することにより得たテキストデータから携帯電話端末４（１）に転送するテキストデータを生成し、これを外部Ｉ／Ｆ２６ａ、入出力端２６ｂを通じて出力する（ステップＳ９２）。この携帯電話端末４（１）宛のテキストデータは、クレードル１の入出力端１４ｂ、外部Ｉ／Ｆ１４ａを通じて受信され、無線通信部１５ａ、送受信アンテナ１５ｂを通じて携帯電話端末４（１）に送信される。
【０６０６】
携帯電話端末４（１）は、送受信アンテナ６６ｂ、無線通信部６６ａを通じて、クレードル１を介して送信されてくるサーバ装置２からのテキストデータを受信し、これを自機のコンテンツ記憶部６２に記録して、自機においても利用可能な状態にする（ステップＳ９３）。
【０６０７】
この後、第１の例の図２８に示したステップＳ６６〜ステップＳ７２と同様の処理を行う。すなわち、クレードル１は、自機に載置されたモバイル機器に対する充電が完了した場合に当該充電処理を終了させ（ステップＳ６６、ステップＳ６７）、モバイル機器に対して、連携処理についての終了確認を行う（ステップＳ６８、ステップＳ７０）。
【０６０８】
終了確認を受信したモバイル機器においては、自機において行うべき処理が終了していることを確認して、終了応答を送信してくるので（ステップＳ６９、ステップＳ７１）、クレードル１はこれを受信し、サーバ装置２に送信する。サーバ装置２においては、連携させる２つのモバイル機器からの終了応答を受信した場合には、当該連携処理は終了したと判断することができるので、図４９のステップＳ５６において行った連携機器登録を消去し（ステップＳ７２）、テキストデータを用いる一連の連携処理を終了する。
【０６０９】
［携帯電話端末とデジタルスチルカメラがテキストデータを介在させて連携する場合のデータ通信システムの各機器の処理について］
［クレードル１における処理について］
この第３の例の場合、データ通信システムを構成する携帯電話端末４（１）、デジタルスチルカメラ４（２）、クレードル１、サーバ装置２のうち、クレードル１において行われる処理は、図２９を用いて説明した第１の例のクレードル１で行われる処理と同様の処理が行われることになる。このため、ここでは、図２９を参照しながら、この第３の例におけるクレードル１の処理についてまとめる。
【０６１０】
すなわち、この第３の例におけるクレードル１もまた、自機へのモバイル機器の載置を検出し（ステップＳ５１０１）、充電を行うようにすると共に（ステップＳ５１０２〜ステップＳ５１０４）、自機に載置されたモバイル機器に対して機器ＩＤ問い合わせを行って（ステップＳ５１０５）、これに応じて送信されてくる機器ＩＤ応答をサーバ装置２に転送する（ステップＳ５１０６）。
【０６１１】
この後、クレードル１は、サーバ装置２と自機に載置されたモバイル機器との間のデータの送受の中継を行い（ステップＳ５１０７）、一連の中継処理の終了後、充電の終了確認を行って（ステップＳ５１０８、ステップＳ５１０９）、充電処理を終了させ（ステップＳ５１１０）、モバイル機器への終了確認の送信（ステップＳ５１１１）と、モバイル機器からの終了応答のサーバ装置２への中継処理を行って（ステップＳ５１１２）、クレードル１における連携のための処理を終了する。
【０６１２】
［サーバ装置２における処理について］
図５１は、この第３の実施の形態のデータ通信システムにおいて、図４９〜図５０を用いて説明した携帯電話端末４（１）とデジタルスチルカメラ４（２）が連携し、デジタルスチルカメラ４（２）が保持するメモモードで撮影されて得られた静止画像データからテキストデータを生成し、これを携帯電話端末４（１）においても利用できるようにする場合にサーバ装置２において行われる処理を説明するためのフローチャートである。この図５１に示す処理は、サーバ装置２において電源が投入された状態にあるときに主に制御部２１と送受信制御部２７とによって実行される処理である。
【０６１３】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤ報告を受信したか否かを判断する（ステップＳ８２０１）。ステップＳ８２０１の判断処理において、まだ機器ＩＤ報告を受信していないと判断したときには、ステップＳ８２０１からの処理を繰り返し、クレードル１に載置されたモバイル機器の機器ＩＤ報告の受信待ちとなる。
【０６１４】
ステップＳ８２０１の判断処理において、クレードル１からの機器ＩＤ報告を受信したと判断したときには、制御部２１は、既に受信済みの機器ＩＤを把握しているので、複数のモバイル機器がクレードル１に載置された状態になったか否かを判断する（ステップＳ８２０２）。ステップＳ８２０２の判断処理において、まだ複数のモバイル機器がクレードル１に載置された状態になっていない（まだ、１台しか載置されていない）と判断したときには、ステップＳ８２０１からの処理を繰り返す。
【０６１５】
ステップＳ８２０２の判断処理において、複数のモバイル機器がクレードル１に載置されたと判断したときには、制御部２１は、図４８を用いて説明したように、不揮発性メモリ２１４に形成される機器連携テーブルを参照し（ステップＳ８２０３）、クレードル１に載置された２台のモバイル機器の組み合わせが、連携させる機器の組み合わせとして機器連携テーブルに登録されているか否かを判断する（ステップＳ８２０４）。
【０６１６】
ステップＳ８２０４の判断処理において、クレードル１に載置された２台のモバイル機器の組み合わせが、連携させる機器の組み合わせとして機器連携テーブルに登録されていないと判断したときには、モバイル機器間で連携させる処理は存在しないので、この図５１に示す処理を終了させる。
【０６１７】
また、ステップＳ８２０４の判断処理において、クレードル１に載置された２台のモバイル機器の組み合わせが、連携させる機器の組み合わせとして機器連携テーブルに登録されていると判断したときには、参照した機器連携テーブルの情報に基づいて、クレードル１に載置されたモバイル機器間で行う連携処理を特定し、当該２台のモバイル機器を連携する機器としてサーバ装置２の不揮発性メモリ２１４に登録する（ステップＳ８２０５）。
【０６１８】
この第２の例の場合には、図４４〜図５０を用いて説明したように、機器１がデジタルスチルカメラ４（２）であり、機器２が携帯電話端末４（１）であるので、図４８に示した４番目に登録された、「機器１のメモ用途画像をテキスト化して機器２に転送する処理」が実行する連携処理として特定され、機器１であるデジタルスチルカメラ４（２）と機器２である携帯電話端末４（１）とが連携する機器として不揮発性メモリ２１４に登録される。
【０６１９】
そして、図５１に示した処理のステップＳ８２０６以降の処理が、ステップＳ８２０５において特定された連携処理に応じた処理であり、図４８に示した機器連携テーブルのプログラムＩＤによって特定されるプログラムによる処理となる。この例の場合、サーバ装置２の制御部２１は、デジタルスチルカメラ４（２）宛のメモモードで撮影されて得られた静止画像データについての蓄積データリスト要求を形成し、これを送受信制御部２７が、外部Ｉ／Ｆ２６ａ、入出力端２６ｂを通じて送信する（ステップＳ８２０６）。この蓄積データリスト要求は、上述もしたように、クレードル１を介して、デジタルスチルカメラ４（２）に送信される。
【０６２０】
これに応じて、デジタルスチルカメラ４（２）からはクレードル１を介してメモモードで撮影されて得られた静止画像データについての蓄積データリストが送信されてくるので、送受信制御部２７は、外部Ｉ／Ｆ２６ａを制御し、デジタルスチルカメラ４（２）からのメモモードで撮影されて得られた静止画像データについての蓄積データリストを受信して、これをＨＤＤ３０の所定の領域に格納する（ステップＳ８２０７）。
【０６２１】
そして、制御部２１は、ＨＤＤ３０に格納したメモモードで撮影されて得られた静止画像データの蓄積データリストに基づいて、新規に蓄積された静止画像データを洗い出すようにする（ステップＳ８２０８）。具体的には、既にサーバ装置２に提供されている蓄積データリストとの差分を取ることにより、新たに蓄積されたサーバ装置２において未処理の静止画像データを洗い出すことができる。
【０６２２】
そして、制御部２１は、ステップＳ８２０８の洗い出し結果に基づいて、新規蓄積データ（サーバ装置２において未処理のメモモードで撮影されて得られた静止画像データ）が存在するか否かを判断する（ステップＳ８２０９）。ステップＳ８２０９の判断処理において、例えば、メモモードでの撮影が全く行われておらず、メモモードで撮影されて得られた静止画像データは存在しないと判断したときには、携帯電話端末４（１）に供給すべきテキストデータが存在しないので、ステップＳ８２１５の処理に進み、ステップＳ８２０５で不揮発性メモリ２１４に対して行った連携機器登録を消去して（ステップＳ８２１５）、この図５１の処理を終了させる。
【０６２３】
また、ステップＳ８２０９の判断処理において、新規蓄積データ（サーバ装置２において未処理のメモモードで撮影されて得られた静止画像データ）が存在すると判断したときには、サーバ装置２の制御部２１は、デジタルスチルカメラ４（２）宛の新規蓄積データ提供要求を形成し、これを送受信制御部２７が、外部Ｉ／Ｆ２６ａ、入出力端２６ｂを通じて送信する（ステップＳ８２１０）。この新規蓄積データ提供要求は、上述もしたように、クレードル１を介して、デジタルスチルカメラ４（２）に送信される。
【０６２４】
これに応じて、デジタルスチルカメラ４（２）からはクレードル１を介して新規蓄積データ（メモモードで撮影されて得られた静止画像データ）が送信されてくるので、送受信制御部２７は、外部Ｉ／Ｆ２６ａを制御し、デジタルスチルカメラ４（２）からの新規蓄積データを受信して、これをＨＤＤ３０の所定の領域に記憶する（ステップＳ８２１１）。
【０６２５】
そして、サーバ装置２の制御部２１は、ＨＤＤ３０に記憶したメモモードで撮影されて得られた静止画像データを分析し、当該静止画像データに含まれる文字情報（文字部分）をテキストデータに変換する（ステップＳ８２１２）。この後、送受信制御部２７は、外部Ｉ／Ｆ２６ａを制御して、携帯電話端末４（１）宛に送信すべき変換したテキストデータを携帯電話端末４（１）に対して送信する（ステップＳ８２１３）。この携帯電話端末４（１）宛のテキストデータは、上述もしたように、クレードル１を介して携帯電話端末４（１）に送信される。
【０６２６】
この後、サーバ装置２の制御部２１は、連携機器である携帯電話端末４（１）とデジタルスチルカメラ４（２）からの終了応答を受信するまで待ち状態となり（ステップＳ８２１４）、携帯電話端末４（１）とデジタルスチルカメラ４（２）との両方からの終了応答を受信した場合には、ステップＳ８２０５で不揮発性メモリ２１４に対して行った連携機器登録を消去して（ステップＳ８２１５）、この図５１の処理を終了させる。
【０６２７】
［デジタルスチルカメラ４（２）における処理について］
この第３の実施の形態のデータ通信システムにおいて、図４９〜図５０を用いて説明した携帯電話端末４（１）とデジタルスチルカメラ４（２）が連携し、デジタルスチルカメラ４（２）が保持するメモモードで撮影されて得られた静止画像データからテキストデータを生成し、これを携帯電話端末４（１）においても利用できるようにする場合に、デジタルスチルカメラ４（２）において行われる処理は、図３１を用いて説明した第１の例のデジタルスチルカメラ４（２）で行われる処理と同じである。このため、ここでは、図３１を参照しながら、この第３の例におけるデジタルスチルカメラ４（２）の処理についてまとめる。
【０６２８】
すなわち、この第３の例におけるデジタルスチルカメラ４（２）もまた、例えば充電モード等の、クレードル１に載置され、データ通信と充電処理とを行うようにする所定のモードとされた場合に、デジタルスチルカメラ４（２）の主に制御部４１と送受信制御部４７によって図３１に示した処理を実行する。
【０６２９】
まず、所定のモードに切り替えられると、送受信制御部４７は、送受信アンテナ４５ｂ、無線通信部４５ａを通じて、クレードル１からの機器ＩＤ問合せの受信待ちとなる（ステップＳ５３０１）。
【０６３０】
ステップＳ５３０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを無線通信部４５ａ、送受信アンテナ４５ｂを通じて送信する（ステップＳ５３０２）。この機器ＩＤ応答は、クレードル１を介してサーバ装置２に送信される。
【０６３１】
そして、送受信制御部４７は、送受信アンテナ４５ｂ、無線通信部４５ａを通じて、クレードル１を介して送信されてくるサーバ装置２からのメモモードで撮影されて得られた静止画像データについての蓄積データリスト要求を受信するようにする（ステップＳ５３０３）。そして、蓄積データリスト要求を受信したときには、制御部４１は、サーバ装置２宛のメモモードで撮影されて得られた静止画像データについての蓄積データリスを形成し、これを送受信制御部４７が、無線通信部４５ａを制御して送信する（ステップＳ５３０４）。この蓄積データリストも、クレードル１を介してサーバ装置２に送信される。
【０６３２】
そして、送受信制御部４７は、送受信アンテナ４５ｂ、無線通信部４５ａを通じて、クレードル１を介して送信されてくるサーバ装置２からの新規蓄積データ要求を受信するようにする（ステップＳ５３０５）。そして、新規蓄積データ要求を受信したときには、制御部４１は、要求された新規蓄積データ（メモモードで撮影されて得られた静止画像データでまだサーバ装置に送信していないもの）を画像記憶部４４から読み出し、これを送受信制御部４７が、無線通信部４５ａを制御して送信する（ステップＳ５３０６）。この新規蓄積データも、クレードル１を介してサーバ装置２に送信される。
【０６３３】
この後、送受信制御部４７は、送受信アンテナ４５ｂ、無線通信部４５ａを通じて、クレードル１から送信される終了確認を受信するようにし（ステップＳ５３０７）、当該終了確認を受信したときには、連携処理が終了するまで待ち状態となり（ステップＳ５３０８）、一連の連携処理が終了していれば、制御部４１は、終了応答を形成し、これを送受信制御部４７が、無線通信部４５ａを制御して送信し（ステップＳ５３０９）、図３１の処理を終了する。
【０６３４】
このように、この第３の例において、デジタルスチルカメラ４（２）は、サーバ装置２からの要求に応じて、メモモードで撮影されて得られた静止画像データをサーバ装置２に提供する処理を行う。
【０６３５】
［携帯電話端末４（１）における処理について］
図５２は、この第３の実施の形態のデータ通信システムにおいて、図４９〜図５０を用いて説明した携帯電話端末４（１）とデジタルスチルカメラ４（２）が連携し、デジタルスチルカメラ４（２）が保持するメモモードで撮影されて得られた静止画像データからテキストデータを生成し、これを携帯電話端末４（１）においても利用できるようにする場合に、携帯電話端末４（１）において行われる処理を説明するためのフローチャートである。
【０６３６】
この図５２に示す処理は、モバイル機器である携帯電話端末４（１）が例えば充電モード等の、クレードル１に載置され、データ通信と充電処理とを行うようにする所定のモードとされた場合に、携帯電話端末４（１）の主に制御部６１によって実行される処理である。
【０６３７】
まず、所定のモードに切り替えられると、制御部６１は、送受信アンテナ６６ｂ、無線通信部６６ａを通じて、クレードル１からの機器ＩＤ問合せを受信したか否かを判断する（ステップＳ８３０１）。ステップＳ８３０１の判断処理において、機器ＩＤ問合せを受信していないと判断したときには、ステップＳ８３０１からの処理を繰り返し、機器ＩＤ問合せの受信待ちとなる。
【０６３８】
ステップＳ８３０１の判断処理において、クレードル１からの機器ＩＤ問合せを受信したと判断したときには、制御部４１は、自機の例えばＲＯＭ６１２に記憶保持されている機器ＩＤや機器属性などの必要な情報を取得し、図７Ｃに示したような機器ＩＤ応答を形成して、これを制御部６１が無線通信部６６ａ、送受信アンテナ６６ｂを通じて送信する（ステップＳ８３０２）。この機器ＩＤ応答は、クレードル１を介してサーバ装置２に送信される。
【０６３９】
そして、制御部６１は、送受信アンテナ６６ｂ、無線通信部６６ａを通じて、クレードル１を介して送信されてくるサーバ装置２からのテキストデータを受信し、これをコンテンツ記憶部６２に格納する（ステップＳ８３０３）。そして、コンテンツ記憶部６２に記憶したテキストデータを、制御部６１の制御に応じて読み出して利用できるようデータの形式を整えるなどの準備を行う（ステップＳ８３０４）。
【０６４０】
この後、制御部６１は、クレードル１から送信される終了確認を送受信アンテナ６６ｂ、無線通信部６６ａを通じて受信するようにし（ステップＳ８３０５）、当該終了確認を受信したときには、連携処理が終了するまで待ち状態となり（ステップＳ８３０６）、一連の連携処理が終了していれば、制御部６１は、終了応答を形成し、これを無線通信部４５ａを制御して送信し（ステップＳ８３０７）、この図５２の処理を終了する。
【０６４１】
このように、この第３の例の場合には、携帯電話端末４（１）とメモ用途の静止画像の撮影が可能なデジタルスチルカメラ４（２）とが連携し、デジタルスチルカメラ４（２）でメモモードが用いられて撮影することにより得られた静止画像データをサーバ装置２提供し、サーバ装置２において、当該静止画像データに含まれる文字情報部分をテキストデータに変換し、これを携帯電話端末４（１）に自動的に提供して、携帯電話端末４（１）において当該テキストデータを利用することができるようにされる。
【０６４２】
［（４）撮像装置と携帯電話端末間で画像データと関連情報を用いた連携について］
図５３は、第４の例、すなわち、撮像装置と携帯電話端末との間で画像データと関連情報（撮影位置データ）とを用いる連携を行う場合の概要について説明するための図である。この第４の例の場合にも、図４４に示したように、例えば、携帯電話端末４（１）と、デジタルスチルカメラ４（２）とがクレードル１に載置された場合として説明する。
【０６４３】
そして、この第４の例の場合においても重要なことは、携帯電話端末４（１）とデジタルスチルカメラ４（２）とがクレードル１に対して載置されていることであり、載置のタイミングは異なっていてもよい。例えば、携帯電話端末４（１）が先にクレードル１に載置され、数時間後にデジタルスチルカメラ４（２）がクレードル１に載置されるような場合や、これとは逆に、デジタルスチルカメラ４（２）が先にクレードル１に載置され、後から携帯電話端末４（１）が載置されるような場合であってもよい。要は、携帯電話端末４（１）とデジタルスチルカメラ４（２）とがクレードル１に対して載置されている状況となっていればよい。
【０６４４】
そして、近年においては、ＧＰＳ（Global Positioning System）などと呼ばれる全地球測位システムが一般に用いられるようになってきている。ＧＰＳは、複数の人口衛星から送信される電波を受信し、自己の現在位置を正確に測位することができるものである。そして、ＧＰＳは、カーナビゲーションシステムなどに利用されていると共に、その小型化、軽量化が進められ、携帯電話端末やデジタルスチルカメラなどの携帯型電子機器にも搭載することができるようになってきている。そして、この第４の例で用いられるデジタルスチルカメラ４（２）は、詳しくは後述するように、ＧＰＳ機能が搭載され、撮影時点の現在位置を測位し、撮影することにより得た静止画像データに対して撮影位置データを付加することができるものである。
【０６４５】
そこで、この第４の例においては、図５３に示すように、携帯電話端末４（１）とデジタルスチルカメラ４（２）とがクレードル１に載置された場合に、デジタルスチルカメラ４（２）に記憶保持されている撮影位置データが付加された静止画像データをサーバ装置２が取り込む。サーバ装置は、後述するように、地図データベースを備えており、静止画像データに付加されている撮影位置データに基づいて地図データベースを参照し、その位置に存在する店や会社の名称、住所などからなる住所データを形成して、これを静止画像データに付加して携帯電話端末４（１）に転送する。
【０６４６】
このようにすることにより、携帯電話端末４（１）とデジタルスチルカメラ４（２）との間で機能連携を強化し、デジタルスチルカメラ４（２）からの静止画像データに付加されている撮影位置データに基づいて、地図情報が存在しない携帯電話端末４（１）においても、デジタルスチルカメラ４（２）からの静止画像データと、その静止画像データにより形成される画像の所在地に関する情報を携帯電話端末４（１）において利用することができるようにされる。
【０６４７】
［モバイル機器であるＧＰＳ機能を備えたデジタルスチルカメラ４（２）の構成例について］
図５４は、この第２の実施の形態の第４の例のデータ通信システムで用いられるモバイル機器の１つであるＧＰＳ機能付きデジタルスチルカメラ４（２）の構成例を説明するためのブロック図である。図５４に示すように、この例のデジタルスチルカメラ４（２）は、ＧＰＳ部５５ａ、ＧＰＳ受信アンテナ５５ｂを備えた点を除けば、図４に示したモバイル機器であるデジタルスチルカメラと同様に構成されるものである。
【０６４８】
このため、図５４に示すデジタルスチルカメラ４（２）において、図４に示したモバイル機器であるデジタルスチルカメラと同様に構成される部分には同じ参照符号を付し、それらの詳細な説明については省略する。
【０６４９】
そして、この第４の例で用いられるデジタルスチルカメラ４（２）においては、例えば撮影時において、ＧＰＳ受信アンテナ５５ｂを通じて受信する人口衛星からの信号を、ＧＰＳ部５５ａにおいて解析することにより現在位置データを得て、これを制御部４１に供給することにより、撮影して得た静止画像データに対して撮影位置データを付加することができるものである。
【０６５０】
したがって、この第４の例で用いられるデジタルスチルカメラ４（２）により撮影されて得られた静止画像データに付加されている撮影位置データに基づいて、撮影位置を特定することができるようにされる。
【０６５１】
［地図情報の利用が可能なサーバ装置２の構成例について］
図５５は、この第２の実施の形態の第４の例のデータ通信システムで用いられる地図情報の利用が可能なサーバ装置２の構成例を説明するためのブロック図である。図５５に示すように、この例のサーバ装置２は、ＨＤＤ３０に地図情報を蓄積し、住所データ作成部３２を備える点を除けば、図３に示したサーバ装置２と同様に構成されるものである。
【０６５２】
このため、図５５に示すサーバ装置２において、図３に示したサーバ装置と同様に構成される部分には同じ参照符号を付し、それらの詳細な説明については省略する。
【０６５３】
そして、この第４の例で用いられるサーバ装置２においては、ＨＤＤ３０に、詳細地図情報が記憶保持されている。この詳細地図情報は、経度、緯度からなる位置データと、住所データ、店名や会社名などの名称データ等の情報が対応付けられたものである。そして、この第４の例で用いられるサーバ装置２は、上述したＧＰＳ機能を備えたデジタルスチルカメラ４（２）からの撮影位置データの付加された静止画像データの提供を受けた場合に、住所データ作成部３２の機能により、当該静止画像データに付加された撮影位置データに基づいてＨＤＤ３０の地図情報を参照し、当該撮影位置データによって特定される位置に存在する店や会社などの名称と、その住所とからなる住所データを作成し、これを当該静止画像データに対して付すことができるものである。
【０６５４】
これにより、後述もするように、詳細な地図情報を持たない携帯電話端末４（１）においても、デジタルスチルカメラ４（２）により撮影されて得られた静止画像データと、その静止画像データによって形成される画像が示す店や会社などの名称と、その住所とを明確に把握することができるようにされる。
【０６５５】
以下においては、図５３に示したように、モバイル機器として、図２５に示した構成を有する携帯電話端末４（１）と、図５４に示した構成のデジタルスチルカメラ４（２）とが、図２に示した構成を有するクレードル１に載置されると共に、このクレードル１に対しては、図５５に示した構成を有するサーバ装置２がインターフェイスケーブル３を通じて接続されるものとして説明する。
【０６５６】
［デジタルスチルカメラ４（２）で形成される静止画像データのレイアウト例］
図５６は、図５４を用いて説明した構成を有するこの例のデータ通信システムで用いられるデジタルスチルカメラ４（２）の画像記憶部４４に記憶保持される蓄積データである静止画像データのレイアウト例を説明するための図である。
【０６５７】
ここで蓄積データである静止画像データは、デジタルスチルカメラ４（２）において撮影することにより得られるものである。そして、図５６に示すように、デジタルスチルカメラ４（２）において画像を撮影することにより得られ、画像記憶部４４に記憶保持される蓄積データである静止画像データには、ヘッダ情報が付加される。
【０６５８】
ヘッダ情報は、図５６に示すように、装置ＩＤ、データＩＤ、データ属性、作成日時、プロテクト、印刷マーク、データサイズ、使用回数、位置データ、その他の情報からなるものである。そして、装置ＩＤ、データＩＤ、データ属性、作成日時、プロテクト、印刷マーク、データサイズ、使用回数のそれぞれは、図９を用いて説明した画像データである蓄積データのレイアウトで説明した情報と同様のものである。
【０６５９】
そして、位置データが、この第４の例において用いられるようにされるものである。上述もしたように、この第４の例のデジタルスチルカメラ４（２）は、ＧＰＳ機能を備えており、撮影時にＧＰＳ機能を用いて撮影位置データを取得し、これを図５６に示すレイアウト例のヘッダ中に設けられる位置データ欄に格納する。これにより、当該情報が付加された静止画像データは、どこで撮影されて得られたものであるかが把握される。
【０６６０】
［携帯電話端末に蓄積される静止画像データのレイアウト例］
図５７は、この第４の例において、図２５を用いて説明した構成を有する携帯電話端末４（１）がサーバ装置２から提供を受けて、コンテンツ記憶部６２に記憶保持する蓄積データである静止画像データのレイアウト例を説明するための図である。
【０６６１】
そして、図５７に示すように、コンテンツ記憶部６２に蓄積される静止画像データには、ヘッダ情報が付加される。ヘッダ情報は、図５７に示すように、装置ＩＤ、データＩＤ、データ属性、作成日時、プロテクト、印刷マーク、データサイズ、名称、住所、その他の情報からなるものである。
【０６６２】
図５７において、装置ＩＤ、データＩＤ、データ属性、作成日時、プロテクト、印刷マーク、データサイズのそれぞれは、図９を用いて説明した画像データである蓄積データのレイアウトで説明した情報と同様のものである。そして、名称及び住所が、この第４の例において用いられるようにされるものである。
【０６６３】
すなわち、図５７に示した静止画像データのヘッダ情報として付加される名称及び住所は、デジタルスチルカメラ４（２）により撮影されて得られた静止画像データに付加されている撮影位置データ（図５５の位置データ）に基づいて、サーバ装置２において詳細地図情報が参照されて付加するようにされたものである。
【０６６４】
［機器連携テーブルの構成例について］
そして、この第４の例の場合においても、サーバ装置２の例えば不揮発性メモリ２１４に作成される機器関連テーブルの情報に従ったサーバ装置２の制御により、当該モバイル機器間の連携を実現することができる。この場合において用いられる機器関連テーブルは、図４８を用いて説明したものと同様のものである。
【０６６５】
図４８において、１番目、２番目の登録情報は上述した第１の例で用いられ、３番目の登録情報は第２の例で用いられ、４番目の登録情報は第３の例で用いられたものである。そして、図４８において、５番目の登録情報が、この第４の例で用いられるものである。
【０６６６】
すなわち、図４８に示した機器連携テーブルの５番目に登録された登録情報は、連携機器として、機器１が「ＧＰＳ付デジタルスチルカメラ」、機器２が「携帯電話端末」であり、その連携処理の内容は、「ＧＰＳ付デジタルスチルカメラ（機器１）の撮影画像＋撮影位置データから、住所データを付加した撮影画像を形成して携帯電話端末（機器２）に転送すること」である。そして、当該連携処理を行うために、サーバ装置２において実行されるプログラムのプログラムＩＤが、「ＰＧ５」ということになる。
【０６６７】
そして、この第４の例の場合には、図５３を用いて説明したように、クレードル１に携帯電話端末４（１）と、デジタルスチルカメラ４（２）とが載置されたことをサーバ装置２が検知した場合に、サーバ装置２は、図４８に示した機器連携テーブルの５番目の登録情報にしたがって、静止画像データに付加された撮影位置データをも考慮したモバイル機器間の連携処理を当該データ通信システムにおいて行うことになる。
【０６６８】
［静止画像データと撮影位置データとを用いる連携を行う場合のシステムの動作について］
次に、モバイル機器として携帯電話端末４（１）とデジタルスチルカメラ４（２）とが用いられる場合であって、モバイル機器間で静止画像データと撮影位置データとを用いた連携を行えるようにするこの例のデータ通信システムの動作について説明する。図５８、図５９は、モバイル機器間で静止画像データと撮影位置データとを用いた連携を行えるようにするこの例のデータ通信システムの動作について説明するためのタイミングチャートである。
【０６６９】
この例の場合にも、図２７、図２８を用いて説明した場合と同様に、異なるモバイル機器間において、クレードル１、サーバ装置２を通じて情報を送受するものである。そこで、説明を簡単にするため、図５８、図５９において、図２７、図２８を用いて説明した場合と同様に行われる部分には同じ参照符号を付し、その部分の詳細な説明については、図２７、図２８を用いて説明した通りであるので省略する。
【０６７０】
なお、上述もしたように、携帯電話端末４（１）とデジタルスチルカメラ４（２）とが、クレードル１に載置されるタイミングは特に問題とならないが、ここでは説明を簡単にするために、携帯電話端末４（１）がクレードル１に載置された後に、デジタルスチルカメラ４（２）がクレードル１に載置された場合を例にして説明する。
【０６７１】
また、この第４の例においては、デジタルスチルカメラ４（２）の画像記憶部４４には、当該デジタルスチルカメラ４（２）で撮影されることにより得られた静止画像データに対して、当該撮影時にＧＰＳ部５５ａを通じて取得された撮影位置データ（位置データ）が付加された、図５５を用いて説明したレイアウトの蓄積データが記憶されているものとする。
【０６７２】
この第４の例において、図５８に示すステップＳ５１〜ステップ５９までの処理、及び、図５９に示すステップＳ６０〜ステップＳ６２までの処理は、図２７、図２８を用いて説明した第１の例の場合と同様に行われる。すなわち、クレードル１においては、自機にモバイル機器が載置されたことを検出すると充電を行うようにする処理（充電開始処理）実行し（ステップＳ５１）、載置されたモバイル機器に対して、機器ＩＤ問い合わせを行う（ステップＳ５２、ステップＳ５４）。
【０６７３】
機器ＩＤ問い合わせを受信したモバイル機器からは、機器ＩＤ応答が返信されてくるので（ステップＳ５３、ステップＳ５５）、クレードル１はこれを受信して、サーバ装置２に送信する。これにより、サーバ装置２は、クレードル１を介して送信されてくる機器ＩＤ応答（機器ＩＤ報告）に基づいて、クレードル１に載置されたモバイル機器が何かを把握することができる。
【０６７４】
そして、サーバ装置２は、クレードル１に載置されたモバイル機器からの機器ＩＤ応答に基づいて、クレードル１に複数のモバイル機器が載置された場合に、サーバ装置２のＥＥＰＲＯＭ２１４に作成されている機器連携テーブルを参照し、行うべき機器の連携処理を特定し、連携させる機器を登録する（ステップＳ５６）。
【０６７５】
この第４の例においては、携帯電話端末４（１）と、ＧＰＳ付デジタルスチルカメラ４（２）とがクレードル１に載置されるので、モバイル機器の組み合わせとしては、図４８に示す機器連携テーブルの５番目の登録情報に合致する。
【０６７６】
したがって、この第４の例の場合、ステップＳ５６においては、ＧＰＳ付デジタルスチルカメラ４（２）が機器１となり、また、携帯電話端末４（１）が機器２となるので、機器１（デジタルスチルカメラ４（２））の撮影画像（静止画像データ）と撮影位置データとから住所データを付加した撮影画像（静止画像データ）を形成して、これを機器２（携帯電話端末４（１））に転送する処理が行うべき連携処理内容として特定される。また、機器１としてＧＰＳ付デジタルスチルカメラ４（２）が、機器２として携帯電話端末４（１）が関連付けられてサーバ装置２の不揮発性メモリ２１４に登録される。
【０６７７】
この第４の例の場合、撮影画像（メモ用途の静止画像データ）の提供元（機器１）は、デジタルスチルカメラ４（２）であるので、サーバ装置２は、デジタルスチルカメラ４（２）に対して撮影されて得られた静止画像データについての蓄積データリストの提供を要求する蓄積データリスト要求を形成して送信する（ステップＳ５７）。
【０６７８】
デジタルスチルカメラ４（２）は、クレードル１を介して送信されてくるサーバ装置２からの、撮影されて得られた静止画像データについての蓄積データリスト要求を受信し、これに応じて、画像記憶部４４に記憶保持している撮影されて得られた静止画像データについての蓄積データリストを無線通信部４５ａ、送受信アンテナ４５ｂを通じてサーバ装置２に対して送信する（ステップＳ５８）。
【０６７９】
この第４の例において、撮影されて得られた静止画像データについての蓄積データリストは、図５６を用いて説明した蓄積データ（静止画像データ）のヘッダ情報に基づいて、図８を用いて説明したレイアウトに従って形成されたものである。
【０６８０】
サーバ装置２は、クレードル１を介して送信されてくるデジタルスチルカメラ４（２）からの蓄積データリストを受信し、これを自機のＨＤＤ３０の所定の領域に格納する（ステップＳ５９）。そして、図５９に示す処理に進む。
【０６８１】
そして、この第３の例においては、サーバ装置２は、図５８のステップＳ５９において自己のＨＤＤ３０に格納したメモモードで撮影して得た静止画像データについての蓄積データリストと、既に提供を受けて記憶保持しているメモモードで撮影して得た静止画像データについての蓄積データリストとの差分から、まだ提供を受けていない撮影されて得られた静止画像データを特定し、デジタルスチルカメラ４（２）に対して新規蓄積データの提供を要求する新規蓄積データ要求を形成して、これをクレードル１を通じてデジタルスチルカメラ４（２）に送信する（ステップＳ６０）。
【０６８２】
デジタルスチルカメラ４（２）は、クレードル１を介して送信されてくるサーバ装置２からの新規蓄積データ要求（撮影されて得られた静止画像データについての新規蓄積データ要求）を受信し、これに応じて、まだサーバ装置２に送信していない撮影されて得られた静止画像データを自己の画像記憶部４４から抽出し、これをサーバ装置２に対して送信する（ステップＳ６１）。ここでデジタルスチルカメラ４（２）からサーバ装置２に提供される蓄積データは、図５６に示した構成の、撮影されて得られた静止画像データである。
【０６８３】
サーバ装置２は、クレードル１を介して送信されてくるデジタルスチルカメラ４（２）からの蓄積データ（撮影されて得られた静止画像データ）を受信し、これを自機のＨＤＤ３０の所定の領域に格納する（ステップＳ６２）。
【０６８４】
そして、この第４の例においては、サーバ装置２の制御部２１は、住所データ作成部３２を制御して、ステップ６２においてＨＤＤ３０に格納した撮影されて得られた静止画像データに付加されている位置データ（撮影位置データ）に基づいて、ＨＤＤ３０に格納されている詳細地図情報を参照し、名称、住所を特定し、これを付加した静止画像データ（図５７に示したレイアウトの静止画像データ）を形成する処理を行う（ステップＳ９５）。
【０６８５】
この後、ステップＳ９５において形成した住所等の情報が付加された静止画像データを外部Ｉ／Ｆ２６ａ、入出力端２６ｂを通じて出力する（ステップＳＳ９６）。この携帯電話端末４（１）宛のテキストデータは、クレードル１の入出力端１４ｂ、外部Ｉ／Ｆ１４ａを通じて受信され、無線通信部１５ａ、送受信アンテナ１５ｂを通じて携帯電話端末４（１）に送信される。
【０６８６】
携帯電話端末４（１）は、送受信アンテナ６６ｂ、無線通信部６６ａを通じて、クレードル１を介して送信されてくるサーバ装置２からの住所等が付加された静止画像データテを受信し、これを自機のコンテンツ記憶部６２に記録して、自機においても利用可能な状態にする（ステップＳ９７）。
【０６８７】
この後、第１の例の図２８に示したステップＳ６６〜ステップＳ７２と同様の処理を行う。すなわち、クレードル１は、自機に載置されたモバイル機器に対する充電が完了した場合に当該充電処理を終了させ（ステップＳ６６、ステップＳ６７）、モバイル機器に対して、連携処理についての終了確認を行う（ステップＳ６８、ステップＳ７０）。
【０６８８】
終了確認を受信したモバイル機器においては、自機において行うべき処理が終了していることを確認して、終了応答を送信してくるので（ステップＳ６９、ステップＳ７１）、クレードル１はこれを受信し、サーバ装置２に送信する。サーバ装置２においては、連携させる２つのモバイル機器からの終了応答を受信した場合には、当該連携処理は終了したと判断することができるので、図５８のステップＳ５６において行った連携機器登録を消去し（ステップＳ７２）、テキストデータを用いる一連の連携処理を終了する。
【０６８９】
［携帯電話端末とデジタルスチルカメラが静止画像データと撮影位置データとを介在させて連携する場合のデータ通信システムの各機器の処理について］
［クレードル１における処理について］
この第４の例の場合もまた、上述した第３の例の場合と同様に、データ通信システムを構成する携帯電話端末４（１）、デジタルスチルカメラ４（２）、クレードル１、サーバ装置２のうち、クレードル１において行われる処理は、図２９を用いて説明した第１の例のクレードル１で行われる処理と同様の処理が行われることになる。このため、ここでは、図２９を参照しながら、この第４の例におけるクレードル１の処理についてまとめる。
【０６９０】
すなわち、この第４の例におけるクレードル１もまた、自機へのモバイル機器の載置を検出し（ステップＳ５１０１）、充電を行うようにすると共に（ステップＳ５１０２〜ステップＳ５１０４）、自機に載置されたモバイル機器に対して機器ＩＤ問い合わせを行って（ステップＳ５１０５）、これに応じて送信されてくる機器ＩＤ応答をサーバ装置２に転送する（ステップＳ５１０６）。
【０６９１】
この後、クレードル１は、サーバ装置２と自機に載置されたモバイル機器との間のデータの送受の中継を行い（ステップＳ５１０７）、一連の中継処理の終了後、充電の終了確認を行って（ステップＳ５１０８、ステップＳ５１０９）、充電処理を終了させ（ステップＳ５１１０）、モバイル機器への終了確認の送信（ステップＳ５１１１）と、モバイル機器からの終了応答のサーバ装置２への中継処理を行って（ステップＳ５１１２）、クレードル１における連携のための処理を終了する。
【０６９２】
［サーバ装置２における処理について］
図６０は、この第４の実施の形態のデータ通信システムにおいて、図５８〜図５９を用いて説明した携帯電話端末４（１）とデジタルスチルカメラ４（２）が連携し、デジタルスチルカメラ４（２）が保持する撮影されて得られた静止画像データとこれに付加されている撮影位置データから撮影位置に存在する店や会社などの名所と住所とを付加した静止画像データを形成し、これを携帯電話端末４（１）においても利用できるようにする場合にサーバ装置２において行われる処理を説明するためのフローチャートである。この図６０に示す処理は、サーバ装置２において電源が投入された状態にあるときに主に制御部２１と送受信制御部２７とによって実行される処理である。
【０６９３】
電源が投入されると、サーバ装置２の送受信制御部２７は、入出力端２６ｂ、外部Ｉ／Ｆ２６ａを通じて、クレードル１からのクレードル１に載置されたモバイル機器の機器ＩＤ報告を受信したか否かを判断する（ステップＳ９２０１）。ステップＳ９２０１の判断処理において、まだ機器ＩＤ報告を受信していないと判断したときには、ステップＳ９２０１からの処理を繰り返し、クレードル１に載置されたモバイル機器の機器ＩＤ報告の受信待ちとなる。
【０６９４】
ステップＳ９２０１の判断処理において、クレードル１からの機器ＩＤ報告を受信したと判断したときには、制御部２１は、既に受信済みの機器ＩＤを把握しているので、複数のモバイル機器がクレードル１に載置された状態になったか否かを判断する（ステップＳ９２０２）。ステップＳ９２０２の判断処理において、まだ複数のモバイル機器がクレードル１に載置された状態になっていない（まだ、１台しか載置されていない）と判断したときには、ステップＳ９２０１からの処理を繰り返す。
【０６９５】
ステップＳ９２０２の判断処理において、複数のモバイル機器がクレードル１に載置されたと判断したときには、制御部２１は、図４８を用いて説明したように、不揮発性メモリ２１４に形成される機器連携テーブルを参照し（ステップＳ９２０３）、クレードル１に載置された２台のモバイル機器の組み合わせが、連携させる機器の組み合わせとして機器連携テーブルに登録されているか否かを判断する（ステップＳ９２０４）。
【０６９６】
ステップＳ９２０４の判断処理において、クレードル１に載置された２台のモバイル機器の組み合わせが、連携させる機器の組み合わせとして機器連携テーブルに登録されていないと判断したときには、モバイル機器間で連携させる処理は存在しないので、この図６０に示す処理を終了させる。
【０６９７】
また、ステップＳ９２０４の判断処理において、クレードル１に載置された２台のモバイル機器の組み合わせが、連携させる機器の組み合わせとして機器連携テーブルに登録されていると判断したときには、参照した機器連携テーブルの情報に基づいて、クレードル１に載置されたモバイル機器間で行う連携処理を特定し、当該２台のモバイル機器を連携する機器としてサーバ装置２の不揮発性メモリ２１４に登録する（ステップＳ９２０５）。
【０６９８】
この第４の例の場合には、図５３〜図５９を用いて説明したように、機器１がＧＰＳ付デジタルスチルカメラ４（２）であり、機器２が携帯電話端末４（１）であるので、図４８に示した５番目に登録された、「ＧＰＳ付デジタルスチルカメラ（機器１）の撮影画像＋撮影位置データから、住所データを付加した撮影画像を形成して携帯電話端末（機器２）に転送する処理」が実行する連携処理として特定され、機器１であるＧＰＳ付デジタルスチルカメラ４（２）と機器２である携帯電話端末４（１）とが連携する機器として不揮発性メモリ２１４に登録される。
【０６９９】
そして、図５１に示した処理のステップＳ９２０６以降の処理が、ステップＳ９２０５において特定された連携処理に応じた処理であり、図４８に示した機器連携テーブルのプログラムＩＤによって特定されるプログラムによる処理となる。この例の場合、サーバ装置２の制御部２１は、デジタルスチルカメラ４（２）宛の、撮影されて得られた静止画像データについての蓄積データリスト要求を形成し、これを送受信制御部２７が、外部Ｉ／Ｆ２６ａ、入出力端２６ｂを通じて送信する（ステップＳ９２０６）。この蓄積データリスト要求は、上述もしたように、クレードル１を介して、デジタルスチルカメラ４（２）に送信される。
【０７００】
これに応じて、デジタルスチルカメラ４（２）からはクレードル１を介して撮影されて得られた静止画像データについての蓄積データリストが送信されてくるので、送受信制御部２７は、外部Ｉ／Ｆ２６ａを制御し、デジタルスチルカメラ４（２）からの蓄積データリストを受信して、これをＨＤＤ３０の所定の領域に格納する（ステップＳ９２０７）。
【０７０１】
そして、制御部２１は、ＨＤＤ３０に格納した蓄積データリストに基づいて、新規に蓄積された静止画像データを洗い出すようにする（ステップＳ９２０８）。具体的には、既にサーバ装置２に提供されている蓄積データリストとの差分を取ることにより、新たに蓄積されたサーバ装置２において未処理の静止画像データを洗い出すことができる。
【０７０２】
そして、制御部２１は、ステップＳ９２０８の洗い出し結果に基づいて、新規蓄積データ（サーバ装置２において未処理の静止画像データ）が存在するか否かを判断する（ステップＳ９２０９）。ステップＳ９２０９の判断処理において、例えば、撮影が全く行われておらず、撮影されて得られた静止画像データは存在しないと判断したときには、携帯電話端末４（１）に供給すべき静止画像データが存在しないので、ステップＳ９２１５の処理に進み、ステップＳ９２０５で不揮発性メモリ２１４に対して行った連携機器登録を消去して（ステップＳ９２１５）、この図６０の処理を終了させる。
【０７０３】
また、ステップＳ９２０９の判断処理において、新規蓄積データ（サーバ装置２において未処理の静止画像データ）が存在すると判断したときには、サーバ装置２の制御部２１は、デジタルスチルカメラ４（２）宛の新規蓄積データ提供要求を形成し、これを送受信制御部２７が、外部Ｉ／Ｆ２６ａ、入出力端２６ｂを通じて送信する（ステップＳ９２１０）。この新規蓄積データ提供要求は、上述もしたように、クレードル１を介して、デジタルスチルカメラ４（２）に送信される。
【０７０４】
これに応じて、デジタルスチルカメラ４（２）からはクレードル１を介して新規蓄積データ（撮影されて得られた静止画像データ）が送信されてくるので、送受信制御部２７は、外部Ｉ／Ｆ２６ａを制御し、デジタルスチルカメラ４（２）からの新規蓄積データを受信して、これをＨＤＤ３０の所定の領域に記憶する（ステップＳ９２１１）。
【０７０５】
そして、サーバ装置２の制御部２１は、住所データ作成を制御し、ＨＤＤ３０に記憶した撮影されて得られた静止画像データに付加されている撮影位置データに基づいて、ＨＤＤ３０記憶保持している詳細地図情報を参照して、撮影位置の名称、住所を特定し、これを静止画像データに付加した送信用の静止画像データを形成する（ステップＳ９２１２）。この後、送受信制御部２７は、外部Ｉ／Ｆ２６ａを制御して、携帯電話端末４（１）宛に送信すべき静止画像データ（撮影位置の名称、住所が付加された静止画像データ）を携帯電話端末４（１）に対して送信する（ステップＳ９２１３）。この携帯電話端末４（１）宛の静止画像データは、上述もしたように、クレードル１を介して携帯電話端末４（１）に送信される。
【０７０６】
この後、サーバ装置２の制御部２１は、連携機器である携帯電話端末４（１）とデジタルスチルカメラ４（２）からの終了応答を受信するまで待ち状態となり（ステップＳ９２１４）、携帯電話端末４（１）とデジタルスチルカメラ４（２）との両方からの終了応答を受信した場合には、ステップＳ９２０５で不揮発性メモリ２１４に対して行った連携機器登録を消去して（ステップＳ９２１５）、この図６０の処理を終了させる。
【０７０７】
［デジタルスチルカメラ４（２）における処理について］
この第４の例のデータ通信システムにおいて、図５８〜図５９を用いて説明した携帯電話端末４（１）とデジタルスチルカメラ４（２）が連携し、デジタルスチルカメラ４（２）が保持する静止画像データに付加された撮影位置データから撮影位置の名称、住所を特定し、この特定した名所、住所が付加された静止画像データを携帯電話端末４（１）においても利用できるようにする場合に、デジタルスチルカメラ４（２）において行われる処理は、図３１を用いて説明した第１の例のデジタルスチルカメラ４（２）で行われる処理と同じである。このため、ここでは、図３１を参照しながら、この第４の例におけるデジタルスチルカメラ４（２）の処理についてまとめる。
【０７０８】
すなわち、この第４の例におけるデジタルスチルカメラ４（２）もまた、例えば充電モード等の、クレードル１に載置され、データ通信と充電処理とを行うようにする所定のモードとされた場合に、デジタルスチルカメラ４（２）の主に制御部４１と送受信制御部４７によって図３１に示した処理を実行する。
【０７０９】
まず、所定のモードに切り替えられると、送受信制御部４７は、送受信アンテナ４５ｂ、無線通信部４５ａを通じて、クレードル１からの機器ＩＤ問合せの受信待ちとなる（ステップＳ５３０１）。
【０７１０】
ステップＳ５３０１の判断処理において、クレードル１からの機器ＩＤ問合せを受信したと判断したときには、制御部４１は、自機の例えばＲＯＭ４１２に記憶保持されている機器ＩＤや機器属性などの必要な情報を取得し、図７Ｃに示したような機器ＩＤ応答を形成して、これを無線通信部４５ａ、送受信アンテナ４５ｂを通じて送信する（ステップＳ５３０２）。この機器ＩＤ応答は、クレードル１を介してサーバ装置２に送信される。
【０７１１】
そして、送受信制御部４７は、送受信アンテナ４５ｂ、無線通信部４５ａを通じて、クレードル１を介して送信されてくるサーバ装置２からの、撮影されて得られた静止画像データについての蓄積データリスト要求を受信するようにする（ステップＳ５３０３）。そして、蓄積データリスト要求を受信したときには、制御部４１は、サーバ装置２宛の静止画像データについての蓄積データリスを形成し、これを送受信制御部４７が、無線通信部４５ａを制御して送信する（ステップＳ５３０４）。この蓄積データリストも、クレードル１を介してサーバ装置２に送信される。
【０７１２】
そして、送受信制御部４７は、送受信アンテナ４５ｂ、無線通信部４５ａを通じて、クレードル１を介して送信されてくるサーバ装置２からの新規蓄積データ要求を受信するようにする（ステップＳ５３０５）。そして、新規蓄積データ要求を受信したときには、制御部４１は、要求された新規蓄積データ（撮影されて得られた静止画像データでまだサーバ装置に送信していないもの）を画像記憶部４４から読み出し、これを送受信制御部４７が、無線通信部４５ａを制御して送信する（ステップＳ５３０６）。この新規蓄積データも、クレードル１を介してサーバ装置２に送信される。
【０７１３】
この後、送受信制御部４７は、送受信アンテナ４５ｂ、無線通信部４５ａを通じて、クレードル１から送信される終了確認を受信するようにし（ステップＳ５３０７）、当該終了確認を受信したときには、連携処理が終了するまで待ち状態となり（ステップＳ５３０８）、一連の連携処理が終了していれば、制御部４１は、終了応答を形成し、これを送受信制御部４７が、無線通信部４５ａを制御して送信し（ステップＳ５３０９）、図３１の処理を終了する。
【０７１４】
このように、この第４の例において、デジタルスチルカメラ４（２）は、サーバ装置２からの要求に応じて、撮影されて得られた静止画像データをサーバ装置２に提供する処理を行う。
【０７１５】
［携帯電話端末４（１）における処理について］
図６１は、この第４の実施の形態のデータ通信システムにおいて、図５８〜図５９を用いて説明した携帯電話端末４（１）とデジタルスチルカメラ４（２）が連携し、デジタルスチルカメラ４（２）が保持する撮影されて得られた静止画像データとこれに付加されている撮影位置データから撮影位置に存在する店や会社などの名所と住所とを付加した静止画像データを形成し、これを携帯電話端末４（１）においても利用できるようにする場合に携帯電話端末４（１）において行われる処理を説明するためのフローチャートである。
【０７１６】
この図６１に示す処理は、モバイル機器である携帯電話端末４（１）が例えば充電モード等の、クレードル１に載置され、データ通信と充電処理とを行うようにする所定のモードとされた場合に、携帯電話端末４（１）の主に制御部６１によって実行される処理である。
【０７１７】
まず、所定のモードに切り替えられると、制御部６１は、送受信アンテナ６６ｂ、無線通信部６６ａを通じて、クレードル１からの機器ＩＤ問合せを受信したか否かを判断する（ステップＳ９３０１）。ステップＳ９３０１の判断処理において、機器ＩＤ問合せを受信していないと判断したときには、ステップＳ９３０１からの処理を繰り返し、機器ＩＤ問合せの受信待ちとなる。
【０７１８】
ステップＳ９３０１の判断処理において、クレードル１からの機器ＩＤ問合せを受信したと判断したときには、制御部４１は、自機の例えばＲＯＭ６１２に記憶保持されている機器ＩＤや機器属性などの必要な情報を取得し、図７Ｃに示したような機器ＩＤ応答を形成して、これを制御部６１が無線通信部６６ａ、送受信アンテナ６６ｂを通じて送信する（ステップＳ９３０２）。この機器ＩＤ応答は、クレードル１を介してサーバ装置２に送信される。
【０７１９】
そして、制御部６１は、送受信アンテナ６６ｂ、無線通信部６６ａを通じて、クレードル１を介して送信されてくるサーバ装置２からの名称や住所が付加された静止画像データを受信し、これをコンテンツ記憶部６２に格納する（ステップＳ９３０３）。そして、コンテンツ記憶部６２に記憶した静止画像データを、制御部６１の制御に応じて読み出して利用できるようデータの形式を整えるなどの準備を行う（ステップＳ９３０４）。
【０７２０】
この後、制御部６１は、クレードル１から送信される終了確認を送受信アンテナ６６ｂ、無線通信部６６ａを通じて受信するようにし（ステップＳ９３０５）、当該終了確認を受信したときには、連携処理が終了するまで待ち状態となり（ステップＳ９３０６）、一連の連携処理が終了していれば、制御部６１は、終了応答を形成し、これを無線通信部４５ａを制御して送信し（ステップＳ９３０７）、この図６１の処理を終了する。
【０７２１】
このように、この第４の例の場合には、携帯電話端末４（１）とＧＰＳ付デジタルスチルカメラ４（２）とが連携し、デジタルスチルカメラ４（２）で撮影することにより得られた撮影位置データ付きの静止画像データをサーバ装置２提供し、サーバ装置２において、撮影位置データから、撮影場所の名称と住所とを特定し、これを静止画像データに付加して携帯電話端末４（１）に自動的に提供し、携帯電話端末４（１）において撮影場所の名称や住所が付加された静止画像を利用することができるようにされる。
【０７２２】
すなわち、ユーザーは、携帯電話端末４（１）とＧＰＳ機能付きのデジタルスチルカメラ４（２）とをクレードル１に載置するだけで、携帯電話端末４（１）のコンテンツ記憶部６２に、名称、住所、静止画像からなる住所録を自動的に作成、これを利用することができるようにされる。
【０７２３】
このように、この第２の実施の形態のデータ通信システムの場合には、第１〜第４の例として具体的に説明したように、クレードル１に載置されるモバイル機器間で連携を取り、ユーザーの手を煩わせることなく、モバイル機器において新たな機能を利用することができるようにされる。
【０７２４】
また、上述した第２の実施の形態の第１〜第４の例は一例であり、その他の種々のモバイル機器間の連携を行うようにすることももちろんできる。
【０７２５】
また、上述した第２の実施の形態の第１〜第４の例は、２つのモバイル機器間の連携を行うものとして説明したが、これに限るものではない。所定の２種類のモバイル機器から情報の提供を受けて、これを１つのデータにまとめて所定のモバイル機器に提供したり、１つのモバイル機器から提供を受けた情報を、複数のモバイル機器に提供したりすることも可能である。この場合には、図２６、図３７、図４８を用いて説明した機器連携テーブルにおいて、連携機器を３つ以上にしたり、その連携処理内容を詳細に定めたりすることにより、２以上のモバイル機器間のより複雑な連携処理をも実現することが可能である。
【０７２６】
また、上述した第２の実施の形態において、携帯電話端末、デジタルスチルカメラ、デジタルビデオカメラなどの携帯電子機器（モバイル機器）における通信手段は、図４、図３４、５４に示したデジタルスチルカメラの場合には、無線通信部４５ａ及び送受信アンテナ４５ｂが、図２５に示した携帯電話端末の場合には、無線通信部６６ａ及び送受信アンテナ６６ｂが実現している。
【０７２７】
また、携帯電子機における送信制御手段、受信制御手段は、図４、図３４、５４に示したデジタルスチルカメラの場合には、制御部４１及び送受信制御部４７が、図２５に示した携帯電話端末の場合には、制御部６１が実現している。また、携帯電子機器における準備手段、利用制御手段は、図４、図３４、５４に示したデジタルスチルカメラの場合には、制御部４１が、図２５に示した携帯電話端末の場合には、制御部６２が実現するようにしている。また、携帯電子機器における記憶手段は、図４、図３４、５４に示したデジタルスチルカメラの場合には、画像記憶部４４あるいはデータ記憶部５４が、図２５に示した携帯電話端末の場合には、コンテンツ記憶部６２が実現するようにしている。
【０７２８】
また、クレードル装置における第１の通信手段は、無線通信部１５ａ及び送受信アンテナ１５ｂが実現し、第２の通信手段は、外部Ｉ／Ｆ１４ａ及び入出力端１４ｂが実現し、接続検出手段は、載置検出部１６が実現し、通知制御手段、中継制御手段は、制御部１１及び送受信制御部１７が実現している。
【０７２９】
また、サーバ装置における通信手段は、外部Ｉ／Ｆ２６ａ及び入出力端２６ｂが実現し、第１、第２の送信制御手段、第１の受信制御手段は、制御部２１及び送受信制御部２７が実現するようにしている。また、判別手段は、制御部２１が実現し、形成手段は、制御部２１、及び、必要に応じて、書き戻しデータ作成部２９や住所データ作成部が実現するようにしている。
【０７３０】
また、図２９に示したフローチャートの処理を実行するプログラムが、この発明に係る転送制御プログラムである。当該プログラムを形成し、これを図２に示した構成のクレードル１のＲＯＭ１１２に記録して制御部１１のＣＰＵ１１１において実行可能にしておくことになる。
【０７３１】
また、図３０、図４１、図５１、図６０のそれぞれのフローチャートの処理を実行するプログラムが、この発明に係る通信制御プログラムである。当該プログラムを形成し、これを図３に示した構成のサーバ装置２のＲＯＭ２１２に記録して制御部２１のＣＰＵ２１１において実行可能にしておくことになる。
【０７３２】
また、この第２の実施の形態においても、第１の実施の形態の場合と同様に、クレードル１に対して、複数のサーバ装置を接続するようにして使い分けるようにすることも可能である。
【０７３３】
また、上述した第２の実施の形態においては、サーバ装置２のＥＥＰＲＯＭ２１４に形成される機器連携テーブルの登録情報にしたがって、モバイル機器間の連携処理を行うようにした。この機器連携テーブルは、ユーザーによって適宜修正したり、追加したりすることができるようにされる。
【０７３４】
なお、連携させるモバイル機器がある程度限られている場合には、クレードル１の製造会社などによって、基本的な連携テーブルを作成して、ＣＤ−ＲＯＭなどの記録媒体に記録して提供し、これをサーバ装置２の所定のメモリに記録して用いるようにするなどのことが可能である。すなわち、連携させるモバイル機器の組み合わせや、連携処理の内容は、予め決められる場合もあるし、ユーザーが設定できる場合もある。
【０７３５】
また、第１の実施の形態においても、また、第２の実施の形態においても、クレードル１とサーバ装置２とを一体に構成することももちろん可能である。
【０７３６】
また、上述した第１、第２の実施の形態において、種々のモバイル機器４とクレードル１とは、接点を接触させることなく、充電及びデータ通信を行えるものとして説明したが、非接触に構成することは必須の要件ではない。例えば、種々のモバイル機器４とクレードル１との双方に、充電のための接点やデータ通信のための接点を設けておき、これらを通じて相互の機器が接続された場合に、充電やデータ通信を行うようにしてもよい。また、クレードル１と種々のモバイル機器４とをケーブルにより接続するように構成することも可能である。
【０７３７】
また、データ通信は、光通信で行い、充電は上述した否接触の態様で行うようにしたりするなどのことももちろん可能である。
【図面の簡単な説明】
【０７３８】
【図１】この発明の一実施の形態が適用された第１の実施の形態のデータ通信システムの概要を説明するための図である。
【図２】図１に示したデータ通信システムで用いられるクレードル１の構成例について説明するためのブロック図である。
【図３】図１に示したデータ通信システムで用いられるサーバ装置２の構成例について説明するためのブロック図である。
【図４】図１に示したデータ通信システムのクレードル１に対して載置されるモバイル機器４の一例であるデジタルスチルカメラやデジタルビデオカメラの構成例について説明するためのブロック図である。
【図５】図１に示したデータ通信システム全体の動作について説明するためのタイミングチャートである。
【図６】図５に続くタイミングチャートである。
【図７】コマンドデータのレイアウト例とその具体例を説明するための図である。
【図８】蓄積データリストのレイアウト例を説明するための図である。
【図９】蓄積データのレイアウト例を説明するための図である。
【図１０】書き戻しデータのレイアウト例を説明するための図である。
【図１１】書き戻し履歴のレイアウト例を説明するための図である。
【図１２】クレードル１において行われる処理を説明するためのフローチャートである。
【図１３】サーバ装置２において行われる処理を説明するためのフローチャートである。
【図１４】図１３のステップＳ２０６において行われる消去対象データの洗い出し処理を説明するためのフローチャートである。
【図１５】図１４に示したステップＳ２０６２において行われる各新規蓄積データについての消去判定処理を説明するためのフローチャートである。
【図１６】図１３のステップＳ２０９において行われる書き戻しデータ作成処理について説明するためのフローチャートである。
【図１７】モバイル機器４において行われる処理を説明するためのフローチャートである。
【図１８】図１７に示した処理のステップＳ３０８において行われる画像データ消去処理（蓄積データ消去処理）について説明するためのフローチャートである。
【図１９】この発明の一実施の形態が適用されたデータ通信システムの変形例について説明するためのシーケンス図である。
【図２０】変形例のデータ通信システムのクレードル１において行われる処理を説明するためのフローチャートである。
【図２１】変形例のデータ通信システムのサーバ装置２において行われる処理を説明するためのフローチャートである。
【図２２】変形例のデータ通信システムのモバイル機器４において行われる処理を説明するためのフローチャートである。
【図２３】この発明の一実施の形態が適用された第２の実施の形態のデータ通信システムの概要を説明するための図である。
【図２４】第２の実施の形態の第１の例のデータ通信システムの概要を説明するための図である。
【図２５】第２の実施の形態のデータ通信システムで用いられる携帯電話端末４（１）の構成例を説明するためのブロック図である。
【図２６】第２の実施の形態の第１の例の機器連携テーブルの構成例を説明するための図である。
【図２７】第２の実施の形態の第１の例のデータ通信システムの動作について説明するためのタイミングチャートである。
【図２８】図２７に続くタイミングチャートである。
【図２９】第２の実施の形態の第１の例のクレードル１において行われる処理を説明するためのフローチャートである。
【図３０】第２の実施の形態の第１の例のサーバ装置２において行われる処理を説明するためのフローチャートである。
【図３１】第２の実施の形態の第１の例のデジタルスチルカメラ４（２）において行われる処理を説明するためのフローチャートである。
【図３２】第２の実施の形態の第１の例の携帯電話端末４（１）において行われる処理を説明するためのフローチャートである。
【図３３】第２の実施の形態の第２の例のデータ通信システムの概要を説明するための図である。
【図３４】第２の実施の形態の第２の例のデータ通信システムで用いられるデジタルスチルカメラ４（２）の構成例を説明するためのブロック図である。
【図３５】第２の実施の形態の第２の例のデータ通信システムの音楽再生機能付き携帯電話端末に記憶保持されている音楽データのレイアウトを説明するための図である。
【図３６】第２の実施の形態の第２の例のデータ通信システムの音楽再生機能付きデジタルスチルカメラに記憶保持される静止画像データのレイアウトを説明するための図である。
【図３７】第２の実施の形態の第２の例の機器連携テーブルの構成例を説明するための図である。
【図３８】第２の実施の形態の第２の例のデータ通信システムの動作について説明するためのタイミングチャートである。
【図３９】図３８に続くタイミングチャートである。
【図４０】図３９に続くタイミングチャートである。
【図４１】第２の実施の形態の第２の例のサーバ装置２において行われる処理を説明するためのフローチャートである。
【図４２】第２の実施の形態の第２の例の携帯電話端末４（１）において行われる処理を説明するためのフローチャートである。
【図４３】第２の実施の形態の第２の例のデジタルスチルカメラ４（２）において行われる処理を説明するためのフローチャートである。
【図４４】第２の実施の形態の第３の例のデータ通信システムの概要を説明するための図である。
【図４５】第２の実施の形態の第３の例のデータ通信システムの概要を説明するための図である。
【図４６】第２の実施の形態の第３の例のデータ通信システムのデジタルスチルカメラに記憶保持される静止画像データのレイアウトを説明するための図である。
【図４７】第２の実施の形態の第３の例のデータ通信システムの携帯電話端末に記憶保持されるテキストデータのレイアウトを説明するための図である。
【図４８】第２の実施の形態の第３、第４の例の機器連携テーブルの構成例を説明するための図である。
【図４９】第２の実施の形態の第３の例のデータ通信システムの動作について説明するためのタイミングチャートである。
【図５０】図４９に続くタイミングチャートである。
【図５１】第２の実施の形態の第３の例のサーバ装置２において行われる処理を説明するためのフローチャートである。
【図５２】第２の実施の形態の第３の例の携帯電話端末４（１）において行われる処理を説明するためのフローチャートである。
【図５３】第２の実施の形態の第４の例のデータ通信システムの概要を説明するための図である。
【図５４】第２の実施の形態の第４の例のデータ通信システムで用いられるデジタルスチルカメラ４（２）の構成例を説明するためのブロック図である。
【図５５】第２の実施の形態の第４の例のデータ通信システムで用いられるサーバ装置の構成例を説明するためのブロック図である。
【図５６】第２の実施の形態の第４の例のデータ通信システムのデジタルスチルカメラに記憶保持される静止画像データのレイアウトを説明するための図である。
【図５７】第２の実施の形態の第４の例のデータ通信システムの携帯電話端末に記憶保持される静止画像データのレイアウトを説明するための図である。
【図５８】第２の実施の形態の第４の例のデータ通信システムの動作について説明するためのタイミングチャートである。
【図５９】図４９に続くタイミングチャートである。
【図６０】第２の実施の形態の第４の例のサーバ装置２において行われる処理を説明するためのフローチャートである。
【図６１】第２の実施の形態の第４の例の携帯電話端末４（１）において行われる処理を説明するためのフローチャートである。
【符号の説明】
【０７３９】
１…クレードル、１１…制御部、１２…時計回路、１３…操作部、１４ａ…外部Ｉ／Ｆ、１４ｂ…入出力端子、１５ａ…無線通信部、１５ｂ…送受信アンテナ、１６…載置検出部、１７…送受信制御部、１８…表示部、１９…充電制御部、２…サーバ装置、２１…制御部２１、２２…時計回路、２３…操作部、２４…リモコン信号受光部、２５…リモコン、２６ａ…外部Ｉ／Ｆ、２６ｂ…入出力端、２７…送受信制御部、２８…消去データ抽出部、２９…書き戻しデータ作成部、３０…ハードディスクドライバ、３１ａ…表示Ｉ／Ｆ、３１ｂ…映像信号の出力端、３２…住所データ作成部、４…モバイル機器、４１…制御部、４２…時計回路、４３…操作部、４４…画像記憶部、４５ａ…無線通信部、４５ｂ…送受信アンテナ、４６…撮像部、４７…送受信制御部、４８…画像消去制御部、４９…表示部、５０…バッテリ、５１…無線充電制御部、５２…音声再生部、５３…スピーカ、５４…データ記憶部、５５ａ…ＧＰＳ部、５５ｂ…ＧＰＳアンテナ、６１…制御部、６２…コンテンツ記憶部、６３…キー操作部、６４…バッテリ、６５…無線充電制御部、６６ａ…無線通信部、６６ｂ…送受信アンテナ、７１…広域通信用の送受信アンテナ、７２…アンテナ共用器、７３…受信部、７４…局発部、７５…ベースバンド処理部、７６…コーデック、７７…受話器（スピーカ）、７８…送話器（マイクロホン）、７９…送信部、８０…音楽再生部、８１…音声出力端子、８２…ＬＣＤ、９０…ヘッドホン、１１１、２１１、４１１…ＣＰＵ、１１２、２１２、４１２…ＲＯＭ、１１３、２１３、４１３…ＲＡＭ、１１４、２１５、４１５…不揮発性メモリ１１４、１１５…ＣＰＵバス１１５
【図１】
2008289133.tif 000003
【図２】
2008289133.tif 000004
【図３】
2008289133.tif 000005
【図４】
2008289133.tif 000006
【図５】
2008289133.tif 000007
【図６】
2008289133.tif 000008
【図７】
2008289133.tif 000009
【図８】
2008289133.tif 000010
【図９】
2008289133.tif 000011
【図１０】
2008289133.tif 000012
【図１１】
2008289133.tif 000013
【図１２】
2008289133.tif 000014
【図１３】
2008289133.tif 000015
【図１４】
2008289133.tif 000016
【図１５】
2008289133.tif 000017
【図１６】
2008289133.tif 000018
【図１７】
2008289133.tif 000019
【図１８】
2008289133.tif 000020
【図１９】
2008289133.tif 000021
【図２０】
2008289133.tif 000022
【図２１】
2008289133.tif 000023
【図２２】
2008289133.tif 000024
【図２３】
2008289133.tif 000025
【図２４】
2008289133.tif 000026
【図２５】
2008289133.tif 000027
【図２６】
2008289133.tif 000028
【図２７】
2008289133.tif 000029
【図２８】
2008289133.tif 000030
【図２９】
2008289133.tif 000031
【図３０】
2008289133.tif 000032
【図３１】
2008289133.tif 000033
【図３２】
2008289133.tif 000034
【図３３】
2008289133.tif 000035
【図３４】
2008289133.tif 000036
【図３５】
2008289133.tif 000037
【図３６】
2008289133.tif 000038
【図３７】
2008289133.tif 000039
【図３８】
2008289133.tif 000040
【図３９】
2008289133.tif 000041
【図４０】
2008289133.tif 000042
【図４１】
2008289133.tif 000043
【図４２】
2008289133.tif 000044
【図４３】
2008289133.tif 000045
【図４４】
2008289133.tif 000046
【図４５】
2008289133.tif 000047
【図４６】
2008289133.tif 000048
【図４７】
2008289133.tif 000049
【図４８】
2008289133.tif 000050
【図４９】
2008289133.tif 000051
【図５０】
2008289133.tif 000052
【図５１】
2008289133.tif 000053
【図５２】
2008289133.tif 000054
【図５３】
2008289133.tif 000055
【図５４】
2008289133.tif 000056
【図５５】
2008289133.tif 000057
【図５６】
2008289133.tif 000058
【図５７】
2008289133.tif 000059
【図５８】
2008289133.tif 000060
【図５９】
2008289133.tif 000061
【図６０】
2008289133.tif 000062
【図６１】
2008289133.tif 000063